(57)【要約】  本願の実施形態は通信分野に関するものであり、エイリアスを動的に管理できないという従来技術における問題を解決するためのエイリアス管理方法およびデバイスを開示する。ある特定の解決策は、機能エイリアス管理エンティティが、第１クライアントにより送信された管理要求メッセージを受信することであって、管理要求メッセージは、ユーザのアイデンティティと、管理を要求されたエイリアスに関する情報とを含む、受信すること、および、ユーザにエイリアス管理権があるときに、機能エイリアス管理エンティティが第１クライアントに管理応答メッセージを送信することであって、管理応答メッセージは、ユーザのアイデンティティと、成功裏に管理されるエイリアスに関する情報とを含む、送信することである。管理は、登録、有効化、無効化、引き継ぎ、および同様のもののうちの１または複数であってよい。本願の実施形態はエイリアス管理プロセスで使用される。
2020526983.tif 000002
【特許請求の範囲】
【請求項１】
エイリアス管理方法であって、
機能エイリアス管理エンティティが、第１クライアントにより送信された登録要求メッセージを受信する段階であって、前記登録要求メッセージは、ユーザのアイデンティティと、登録を要求されたエイリアスの名前とを含む、段階と、
前記ユーザにエイリアス登録権があるときに、前記機能エイリアス管理エンティティが前記第１クライアントに登録応答メッセージを送信する段階であって、前記登録応答メッセージは、前記ユーザの前記アイデンティティと、成功裏に登録されるエイリアスの名前と、前記成功裏に登録されるエイリアスのアイデンティティとを含む、段階と
を備える方法。
【請求項２】
前記機能エイリアス管理エンティティが前記第１クライアントに登録応答メッセージを送信する前記段階の前に、
前記機能エイリアス管理エンティティが、前記ユーザの前記アイデンティティに基づいて前記ユーザの加入情報を取得する段階であって、前記加入情報は指示情報を含み、前記指示情報は、前記ユーザに前記エイリアス登録権があることを示すために使用される、段階、または、
前記機能エイリアス管理エンティティがポリシ情報を取得し、前記ポリシ情報に基づいて、前記ユーザに前記エイリアス登録権があると判断する段階であって、前記ポリシ情報は、前記エイリアス登録権があるユーザのアイデンティティを含む、段階
を更に備える、請求項１に記載の方法。
【請求項３】
前記機能エイリアス管理エンティティが前記第１クライアントに登録応答メッセージを送信する前記段階の前に、
前記登録を要求されたエイリアスの前記名前が登録されないときに、前記機能エイリアス管理エンティティが、前記登録を要求されたエイリアスに前記アイデンティティを割り当てる段階であって、前記成功裏に登録されるエイリアスは、前記登録を要求されたエイリアスである、段階
を更に備える、請求項１または２に記載の方法。
【請求項４】
前記登録要求メッセージは、前記登録を要求されたエイリアスのサービスタイプ、前記登録を要求されたエイリアスの属性、前記登録を要求されたエイリアスの適用範囲、および、前記登録を要求されたエイリアスの有効時間のうちの少なくとも１つを更に含む、請求項１から３の何れか一項に記載の方法。
【請求項５】
前記機能エイリアス管理エンティティが第２クライアントに通知メッセージを送信する段階であって、前記通知メッセージは、前記成功裏に登録されるエイリアスの前記名前と、前記成功裏に登録されるエイリアスの前記アイデンティティとを含む、段階
を更に備える、請求項１から４の何れか一項に記載の方法。
【請求項６】
前記通知メッセージは、前記成功裏に登録されるエイリアスのサービスタイプ、前記成功裏に登録されるエイリアスの属性、前記成功裏に登録されるエイリアスの適用範囲、および、前記成功裏に登録されるエイリアスの有効時間のうちの少なくとも１つを更に含む、請求項５に記載の方法。
【請求項７】
エイリアス管理方法であって、
機能エイリアス管理エンティティが、第１クライアントにより送信された有効化要求メッセージを受信する段階であって、前記有効化要求メッセージは、ユーザのアイデンティティと、有効化を要求されたエイリアスのアイデンティティとを含む、段階と、
前記ユーザにエイリアス有効化権があるときに、前記機能エイリアス管理エンティティが前記第１クライアントに有効化応答メッセージを送信する段階であって、前記有効化応答メッセージは、前記ユーザの前記アイデンティティと、成功裏に有効化されるエイリアスのアイデンティティとを含む、段階と
を備える方法。
【請求項８】
前記機能エイリアス管理エンティティが前記第１クライアントに有効化応答メッセージを送信する前記段階の前に、
前記機能エイリアス管理エンティティが、前記ユーザの前記アイデンティティに基づいて前記ユーザの加入情報を取得する段階であって、前記加入情報は指示情報を含み、前記指示情報は、前記ユーザに前記エイリアス有効化権があることを示すために使用される、段階、または、
前記機能エイリアス管理エンティティがポリシ情報を取得し、前記ポリシ情報に基づいて、前記ユーザに前記エイリアス有効化権があると判断する段階であって、前記ポリシ情報は、前記エイリアス有効化権があるユーザのアイデンティティを含む、段階
を更に備える、請求項７に記載の方法。
【請求項９】
前記有効化を要求されたエイリアスが、複数のユーザが同時に有効化できるエイリアスではなく、かつ、前記有効化を要求されたエイリアスが有効化されないときに、前記成功裏に有効化されるエイリアスは、前記有効化を要求されたエイリアスである、または、
前記有効化を要求されたエイリアスが、複数のユーザが同時に有効化できるエイリアスであり、かつ、前記有効化を要求されたエイリアスを成功裏に有効化するユーザの数が０より多くて最大有効化数より少ないときに、前記成功裏に有効化されるエイリアスは、前記有効化を要求されたエイリアスである、または、
前記有効化を要求されたエイリアスが、複数のユーザが同時に有効化できるエイリアスではなく、前記有効化を要求されたエイリアスが有効化されず、前記有効化を要求されたエイリアスを有効化するユーザの数が０に等しく、かつ、前記有効化を要求されたエイリアスのサービスタイプが、前記ユーザの前記アイデンティティに対応するサービスタイプと同じであるときに、前記成功裏に有効化されるエイリアスは、前記有効化を要求されたエイリアスである、または、
前記有効化を要求されたエイリアスが、複数のユーザが同時に有効化できるエイリアスであり、前記有効化を要求されたエイリアスを成功裏に有効化するユーザの数が０より多くて最大有効化数より少なく、かつ、前記有効化を要求されたエイリアスのサービスタイプが、前記ユーザの前記アイデンティティに対応するサービスタイプと同じであるときに、前記成功裏に有効化されるエイリアスは、前記有効化を要求されたエイリアスである、
請求項７または８に記載の方法。
【請求項１０】
前記機能エイリアス管理エンティティが、前記ユーザの前記アイデンティティと、前記成功裏に有効化されるエイリアスとの対応関係を記憶する段階
を更に備える、請求項７から９の何れか一項に記載の方法。
【請求項１１】
前記機能エイリアス管理エンティティが第２クライアントに通知メッセージを送信する段階であって、前記通知メッセージは、前記成功裏に有効化されるエイリアスを、前記ユーザが成功裏に有効化することを前記第２クライアントに通知するために使用される、段階
を更に備える、請求項７から１０の何れか一項に記載の方法。
【請求項１２】
エイリアス管理方法であって、
機能エイリアス管理エンティティが、第１クライアントにより送信された無効化要求メッセージを受信する段階であって、前記無効化要求メッセージは、ユーザのアイデンティティと、無効化を要求されたエイリアスのアイデンティティとを含む、段階と、
前記ユーザにエイリアス無効化権があるときに、前記機能エイリアス管理エンティティが前記第１クライアントに無効化応答メッセージを送信する段階であって、前記無効化応答メッセージは、前記ユーザの前記アイデンティティと、成功裏に無効化されるエイリアスのアイデンティティとを含む、段階と
を備える方法。
【請求項１３】
前記機能エイリアス管理エンティティが前記第１クライアントに無効化応答メッセージを送信する前記段階の前に、
前記機能エイリアス管理エンティティが、前記ユーザの前記アイデンティティに基づいて前記ユーザの加入情報を取得する段階であって、前記加入情報は指示情報を含み、前記指示情報は、前記ユーザに前記エイリアス無効化権があることを示すために使用される、段階、または、
前記機能エイリアス管理エンティティがポリシ情報を取得し、前記ポリシ情報に基づいて、前記ユーザに前記エイリアス無効化権があると判断する段階であって、前記ポリシ情報は、前記エイリアス無効化権があるユーザのアイデンティティを含む、段階
を更に備える、請求項１２に記載の方法。
【請求項１４】
前記無効化を要求されたエイリアスのサービスタイプが、前記ユーザの前記アイデンティティに対応するサービスタイプと同じであるときに、前記成功裏に無効化されるエイリアスは、前記無効化を要求されたエイリアスである、
請求項１２または１３に記載の方法。
【請求項１５】
前記機能エイリアス管理エンティティが、前記ユーザの前記アイデンティティと、前記成功裏に無効化されるエイリアスの前記アイデンティティとの対応関係を削除する段階
を更に備える、請求項１２から１４の何れか一項に記載の方法。
【請求項１６】
前記機能エイリアス管理エンティティが第２クライアントに通知メッセージを送信する段階であって、前記通知メッセージは、前記成功裏に無効化されるエイリアスを、前記ユーザが成功裏に無効化することを前記第２クライアントに通知するために使用される、段階
を更に備える、請求項１２から１５の何れか一項に記載の方法。
【請求項１７】
エイリアス管理方法であって、
機能エイリアス管理エンティティが、第１クライアントにより送信された引き継ぎ要求メッセージを受信する段階であって、前記引き継ぎ要求メッセージは、ユーザのアイデンティティと、引き継ぎを要求されたエイリアスのアイデンティティとを含む、段階と、
前記ユーザにエイリアス引き継ぎ権があるときに、前記機能エイリアス管理エンティティが前記第１クライアントに引き継ぎ応答メッセージを送信する段階であって、前記引き継ぎ応答メッセージは、前記ユーザの前記アイデンティティと、成功裏に引き継がれるエイリアスのアイデンティティとを含む、段階と
を備える方法。
【請求項１８】
前記機能エイリアス管理エンティティが前記第１クライアントに引き継ぎ応答メッセージを送信する前記段階の前に、
前記機能エイリアス管理エンティティが、前記ユーザの前記アイデンティティに基づいて前記ユーザの加入情報を取得する段階であって、前記加入情報は指示情報を含み、前記指示情報は、前記ユーザに前記エイリアス引き継ぎ権があることを示すために使用される、段階、または、
前記機能エイリアス管理エンティティがポリシ情報を取得し、前記ポリシ情報に基づいて、前記ユーザに前記エイリアス引き継ぎ権があると判断する段階であって、前記ポリシ情報は、前記エイリアス引き継ぎ権があるユーザのアイデンティティを含む、段階
を更に備える、請求項１７に記載の方法。
【請求項１９】
前記引き継ぎを要求されたエイリアスが、引き継ぎを許可されたエイリアスであるときに、前記成功裏に引き継がれるエイリアスは、前記引き継ぎを要求されたエイリアスである、または、
前記引き継ぎを要求されたエイリアスが、引き継ぎを許可されたエイリアスであり、かつ、前記引き継ぎを要求されたエイリアスのサービスタイプが、前記ユーザの前記アイデンティティに対応するサービスタイプと同じであるときに、前記成功裏に引き継がれるエイリアスは、前記引き継ぎを要求されたエイリアスである、
請求項１７または１８に記載の方法。
【請求項２０】
前記機能エイリアス管理エンティティが、前記成功裏に引き継がれるエイリアスの前記アイデンティティと、第２クライアントを使用するユーザのアイデンティティとの対応関係を削除し、前記第２クライアントに通知メッセージを送信する段階であって、前記通知メッセージは、前記成功裏に引き継がれるエイリアスを、前記第１クライアントを使用する前記ユーザが成功裏に引き継ぐことを前記第２クライアントに通知するために使用されるか、または、前記成功裏に引き継がれるエイリアスを無効化するよう前記第２クライアントに命令するために使用され、前記第２クライアントを使用する前記ユーザは、前記成功裏に引き継がれるエイリアスを成功裏に有効化するユーザである、段階
を更に備える、請求項１７から１９の何れか一項に記載の方法。
【請求項２１】
受信ユニットと送信ユニットとを備える機能エイリアス管理エンティティであって、
前記受信ユニットは、第１クライアントにより送信された登録要求メッセージを受信するように構成され、前記登録要求メッセージは、ユーザのアイデンティティと、登録を要求されたエイリアスの名前とを含み、
前記送信ユニットは、前記ユーザにエイリアス登録権があるときに、前記第１クライアントに登録応答メッセージを送信するように構成され、前記登録応答メッセージは、前記ユーザの前記アイデンティティと、成功裏に登録されるエイリアスの名前と、前記成功裏に登録されるエイリアスのアイデンティティとを含む、
機能エイリアス管理エンティティ。
【請求項２２】
前記受信ユニットにより受信される前記ユーザの前記アイデンティティに基づいて、前記ユーザの加入情報を取得するように構成される取得ユニットであって、前記加入情報は指示情報を含み、前記指示情報は、前記ユーザに前記エイリアス登録権があることを示すために使用される、取得ユニット、または、
ポリシ情報を取得するように構成される取得ユニットと、前記取得ユニットにより取得された前記ポリシ情報に基づいて、前記ユーザに前記エイリアス登録権があると判断するように構成される判断ユニットとであって、前記ポリシ情報は、前記エイリアス登録権があるユーザのアイデンティティを含む、取得ユニットおよび判断ユニット
を更に備える、請求項２１に記載の機能エイリアス管理エンティティ。
【請求項２３】
前記登録を要求されたエイリアスの前記名前が登録されないときに、前記登録を要求されたエイリアスに前記アイデンティティを割り当てるように構成される割り当てユニットであって、前記成功裏に登録されるエイリアスは、前記登録を要求されたエイリアスである、割り当てユニット
を更に備える、請求項２１または２２に記載の機能エイリアス管理エンティティ。
【請求項２４】
前記登録要求メッセージは、前記登録を要求されたエイリアスのサービスタイプ、前記登録を要求されたエイリアスの属性、前記登録を要求されたエイリアスの適用範囲、および、前記登録を要求されたエイリアスの有効時間のうちの少なくとも１つを更に含む、請求項２１から２３の何れか一項に記載の機能エイリアス管理エンティティ。
【請求項２５】
前記送信ユニットは、第２クライアントに通知メッセージを送信するように更に構成され、前記通知メッセージは、前記成功裏に登録されるエイリアスの前記名前と、前記成功裏に登録されるエイリアスの前記アイデンティティとを含む、
請求項２１から２４の何れか一項に記載の機能エイリアス管理エンティティ。
【請求項２６】
前記通知メッセージは、前記成功裏に登録されるエイリアスのサービスタイプ、前記成功裏に登録されるエイリアスの属性、前記成功裏に登録されるエイリアスの適用範囲、および、前記成功裏に登録されるエイリアスの有効時間のうちの少なくとも１つを更に含む、請求項２５に記載の機能エイリアス管理エンティティ。
【請求項２７】
受信ユニットと送信ユニットとを備える機能エイリアス管理エンティティであって、
前記受信ユニットは、第１クライアントにより送信された有効化要求メッセージを受信するように構成され、前記有効化要求メッセージは、ユーザのアイデンティティと、有効化を要求されたエイリアスのアイデンティティとを含み、
前記送信ユニットは、前記ユーザにエイリアス有効化権があるときに、前記第１クライアントに有効化応答メッセージを送信するように構成され、前記有効化応答メッセージは、前記ユーザの前記アイデンティティと、成功裏に有効化されるエイリアスのアイデンティティとを含む、
機能エイリアス管理エンティティ。
【請求項２８】
前記受信ユニットにより受信される前記ユーザの前記アイデンティティに基づいて、前記ユーザの加入情報を取得するように構成される取得ユニットであって、前記加入情報は指示情報を含み、前記指示情報は、前記ユーザに前記エイリアス有効化権があることを示すために使用される、取得ユニット、または、
ポリシ情報を取得するように構成される取得ユニットと、前記取得ユニットにより取得された前記ポリシ情報に基づいて、前記ユーザに前記エイリアス有効化権があると判断するように構成される判断ユニットとであって、前記ポリシ情報は、前記エイリアス有効化権があるユーザのアイデンティティを含む、取得ユニットおよび判断ユニット
を更に備える、請求項２７に記載の機能エイリアス管理エンティティ。
【請求項２９】
前記有効化を要求されたエイリアスが、複数のユーザが同時に有効化できるエイリアスではなく、かつ、前記有効化を要求されたエイリアスが有効化されないときに、前記成功裏に有効化されるエイリアスは、前記有効化を要求されたエイリアスである、または、
前記有効化を要求されたエイリアスが、複数のユーザが同時に有効化できるエイリアスであり、かつ、前記有効化を要求されたエイリアスを成功裏に有効化するユーザの数が０より多くて最大有効化数より少ないときに、前記成功裏に有効化されるエイリアスは、前記有効化を要求されたエイリアスである、または、
前記有効化を要求されたエイリアスが、複数のユーザが同時に有効化できるエイリアスではなく、前記有効化を要求されたエイリアスが有効化されず、かつ、前記有効化を要求されたエイリアスのサービスタイプが、前記ユーザの前記アイデンティティに対応するサービスタイプと同じであるときに、前記成功裏に有効化されるエイリアスは、前記有効化を要求されたエイリアスである、または、
前記有効化を要求されたエイリアスが、複数のユーザが同時に有効化できるエイリアスであり、前記有効化を要求されたエイリアスを成功裏に有効化するユーザの数が０より多くて最大有効化数より少なく、かつ、前記有効化を要求されたエイリアスのサービスタイプが、前記ユーザの前記アイデンティティに対応するサービスタイプと同じであるときに、前記成功裏に有効化されるエイリアスは、前記有効化を要求されたエイリアスである、
請求項２７または２８に記載の機能エイリアス管理エンティティ。
【請求項３０】
前記ユーザの前記アイデンティティと、前記成功裏に有効化されるエイリアスとの対応関係を記憶するように構成される記憶ユニット
を更に備える、請求項２７から２９の何れか一項に記載の機能エイリアス管理エンティティ。
【請求項３１】
前記送信ユニットは、第２クライアントに通知メッセージを送信するように更に構成され、前記通知メッセージは、前記成功裏に有効化されるエイリアスを、前記ユーザが成功裏に有効化することを前記第２クライアントに通知するために使用される、
請求項２７から３０の何れか一項に記載の機能エイリアス管理エンティティ。
【請求項３２】
受信ユニットと送信ユニットとを備える機能エイリアス管理エンティティであって、
前記受信ユニットは、第１クライアントにより送信された無効化要求メッセージを受信するように構成され、前記無効化要求メッセージは、ユーザのアイデンティティと、無効化を要求されたエイリアスのアイデンティティとを含み、
前記送信ユニットは、前記ユーザにエイリアス無効化権があるときに、前記第１クライアントに無効化応答メッセージを送信するように構成され、前記無効化応答メッセージは、前記ユーザの前記アイデンティティと、成功裏に無効化されるエイリアスのアイデンティティとを含む、
機能エイリアス管理エンティティ。
【請求項３３】
前記ユーザの前記アイデンティティに基づいて、前記ユーザの加入情報を取得するように構成される取得ユニットであって、前記加入情報は指示情報を含み、前記指示情報は、前記ユーザに前記エイリアス無効化権があることを示すために使用される、取得ユニット、または、
ポリシ情報を取得するように構成される取得ユニットと、前記取得ユニットにより取得された前記ポリシ情報に基づいて、前記ユーザに前記エイリアス無効化権があると判断するように構成される判断ユニットとであって、前記ポリシ情報は、前記エイリアス無効化権があるユーザのアイデンティティを含む、取得ユニットおよび判断ユニット
を更に備える、請求項３２に記載の機能エイリアス管理エンティティ。
【請求項３４】
前記無効化を要求されたエイリアスのサービスタイプが、前記ユーザの前記アイデンティティに対応するサービスタイプと同じであるときに、前記成功裏に無効化されるエイリアスは、前記無効化を要求されたエイリアスである、
請求項３２または３３に記載の機能エイリアス管理エンティティ。
【請求項３５】
前記ユーザの前記アイデンティティと、前記成功裏に無効化されるエイリアスの前記アイデンティティとの対応関係を削除するように構成される削除ユニット
を更に備える、請求項３２から３４の何れか一項に記載の機能エイリアス管理エンティティ。
【請求項３６】
前記送信ユニットは、第２クライアントに通知メッセージを送信するように更に構成され、前記通知メッセージは、前記成功裏に無効化されるエイリアスを、前記ユーザが成功裏に無効化することを前記第２クライアントに通知するために使用される、
請求項３２から３５の何れか一項に記載の機能エイリアス管理エンティティ。
【請求項３７】
受信ユニットと送信ユニットとを備える機能エイリアス管理エンティティであって、
前記受信ユニットは、第１クライアントにより送信された引き継ぎ要求メッセージを受信するように構成され、前記引き継ぎ要求メッセージは、ユーザのアイデンティティと、引き継ぎを要求されたエイリアスのアイデンティティとを含み、
前記送信ユニットは、前記ユーザにエイリアス引き継ぎ権があるときに、前記第１クライアントに引き継ぎ応答メッセージを送信するように構成され、前記引き継ぎ応答メッセージは、前記ユーザの前記アイデンティティと、成功裏に引き継がれるエイリアスのアイデンティティとを含む、
機能エイリアス管理エンティティ。
【請求項３８】
前記受信ユニットにより受信される前記ユーザの前記アイデンティティに基づいて、前記ユーザの加入情報を取得するように構成される取得ユニットであって、前記加入情報は指示情報を含み、前記指示情報は、前記ユーザに前記エイリアス引き継ぎ権があることを示すために使用される、取得ユニット、または、
ポリシ情報を取得するように構成される取得ユニットと、前記取得ユニットにより取得された前記ポリシ情報に基づいて、前記ユーザに前記エイリアス引き継ぎ権があると判断するように構成される判断ユニットとであって、前記ポリシ情報は、前記エイリアス引き継ぎ権があるユーザのアイデンティティを含む、取得ユニットおよび判断ユニット
を更に備える、請求項３７に記載の機能エイリアス管理エンティティ。
【請求項３９】
前記引き継ぎを要求されたエイリアスが、引き継ぎを許可されたエイリアスであるときに、前記成功裏に引き継がれるエイリアスは、前記引き継ぎを要求されたエイリアスである、または、
前記引き継ぎを要求されたエイリアスが、引き継ぎを許可されたエイリアスであり、かつ、前記引き継ぎを要求されたエイリアスのサービスタイプが、前記ユーザの前記アイデンティティに対応するサービスタイプと同じであるときに、前記成功裏に引き継がれるエイリアスは、前記引き継ぎを要求されたエイリアスである、
請求項３７または３８に記載の機能エイリアス管理エンティティ。
【請求項４０】
前記成功裏に引き継がれるエイリアスの前記アイデンティティと、第２クライアントを使用するユーザのアイデンティティとの対応関係を削除するように構成される削除ユニットであって、前記第２クライアントを使用する前記ユーザは、前記成功裏に引き継がれるエイリアスを成功裏に有効化するユーザである、削除ユニット
を更に備え、
前記送信ユニットは、前記第２クライアントに通知メッセージを送信するように更に構成され、前記通知メッセージは、前記成功裏に引き継がれるエイリアスを、前記第１クライアントを使用する前記ユーザが成功裏に引き継ぐことを前記第２クライアントに通知するために使用される、または、前記成功裏に引き継がれるエイリアスを無効化するよう前記第２クライアントに命令するために使用される、
請求項３７から３９の何れか一項に記載の機能エイリアス管理エンティティ。
【請求項４１】
コンピュータプログラムを記憶するように構成されるコンピュータ可読記憶媒体であって、前記コンピュータプログラムは、請求項１から２０の何れか一項に記載のエイリアス管理方法を実施するために使用される命令を含む、コンピュータ可読記憶媒体。
【発明の詳細な説明】
【技術分野】
【０００１】
本願は、２０１７年７月１７日に中国特許庁に出願された「ＡＬＩＡＳ  ＭＡＮＡＧＥＭＥＮＴ  ＭＥＴＨＯＤ  ＡＮＤ  ＤＥＶＩＣＥ」と題する中国特許出願第２０１７１０５８３３６３．６号に対する優先権を主張するものであり、この出願がそのまま参照により本明細書に組み込まれる。
【０００２】
本願の実施形態は、通信分野、特に、エイリアス管理方法およびデバイスに関する。
【背景技術】
【０００３】
第３世代パートナーシッププロジェクト（ｔｈｅ  ３ｒｄ  Ｇｅｎｅｒａｔｉｏｎ  Ｐａｒｔｎｅｒｓｈｉｐ  Ｐｒｏｊｅｃｔ、３ＧＰＰ）は、公安シナリオでのトランキング通信をサポートすべく、３ＧＰＰロングタームエボリューション（Ｌｏｎｇ  Ｔｅｒｍ  Ｅｖｏｌｕｔｉｏｎ、ＬＴＥ）システムに基づくミッションクリティカルサービスのグループを標準化してきた。ミッションクリティカルサービスは、ミッションクリティカル・プッシュ・トゥ・トーク（Ｍｉｓｓｉｏｎ  Ｃｒｉｔｉｃａｌ  Ｐｕｓｈ  Ｔｏ  Ｔａｌｋ、ＭＣＰＴＴ）サービス、ミッションクリティカルデータ（Ｍｉｓｓｉｏｎ  Ｃｒｉｔｉｃａｌ  Ｄａｔａ、ＭＣＤａｔａ）サービス、およびミッションクリティカルビデオ（Ｍｉｓｓｉｏｎ  Ｃｒｉｔｉｃａｌ  Ｖｉｄｅｏ、ＭＣＶｉｄｅｏ）サービスなどの基本サービスを含み得る。これらの基本サービスに基づいて、鉄道アプリケーションおよび企業アプリケーションなどの他のサービスも作成され得る。
【０００４】
３ＧＰＰ  ＬＴＥシステムに基づく既存のミッションクリティカルサービス・システムでは、各ユーザが、ユーザを一意的に特定するために使用されるアイデンティティを有する。異なるサービスの場合は、同じユーザが同じアイデンティティを使用してもよいし、異なるアイデンティティを使用してもよい。ユーザの各アイデンティティは、１または複数のエイリアス（ａｌｉａｓ）に対応してよい。エイリアスは、公の正式名称または標準名以外の、人、物事、物体、またはサービスの名前として、文語で使用されてもよいし、口語で使用されてもよい。エイリアスはニックネームとみなされてもよい。従来技術では、エイリアスはアイデンティティ以外のユーザの名前であってよい。それは例えば、電話番号形式のエイリアス、例えば、＋８６  １３０ｘｘｘｘ  ｘｘｘｘであってもよいし、ユニフォームリソース識別子（Ｕｎｉｆｏｒｍ  Ｒｅｓｏｕｒｃｅ  Ｉｄｅｎｔｉｆｉｅｒ、ＵＲＩ）形式のエイリアス、例えば、ユーザ名＠ドメインであってもよいし、自然人により容易に認識および記憶され得る文字または記号で形成されるエイリアスであってもよい。具体的に言うと、エイリアスは、ユーザ、例えば、列車Ｇ２０の車掌長、Ｇ２０の車掌、または北京南駅の発車係のアイデンティティ、雇用主、または位置などの情報との関連で指定されてよい。
【０００５】
従来技術では、エイリアスはシステムの展開中にユーザ構成ファイルで予め構成される。エイリアスが構成されるユーザ構成ファイルは、エイリアスの管理、例えば、登録、有効化、無効化、または引き継ぎを実施する必要があるときに、それに応じて最初に処理されるべきである。結果的に、エイリアス管理効率が低くなり、システム処理負荷が重くなる。例えば、ユーザが新規エイリアスを登録する必要があるときに、ユーザはユーザ構成ファイルを修正するか、または、新規ユーザ構成ファイルを構成して、エイリアス登録を完了する。
【発明の概要】
【０００６】
エイリアス管理効率が低く、システム処理負荷が重いという問題を解決すべく、本願の実施形態はエイリアス管理方法およびデバイスを提供する。
【０００７】
上述の目的を達成すべく、本願の実施形態では以下の技術的解決策を使用する。
【０００８】
第１態様によれば、本願の実施形態はエイリアス管理方法を提供する。エイリアス管理方法は、機能エイリアス管理エンティティが、第１クライアントにより送信された登録要求メッセージを受信する段階であって、登録要求メッセージは、ユーザのアイデンティティと、登録を要求されたエイリアスの名前とを含む、段階と、ユーザにエイリアス登録権があるときに、機能エイリアス管理エンティティが第１クライアントに登録応答メッセージを送信する段階であって、登録応答メッセージは、ユーザのアイデンティティと、成功裏に登録されるエイリアスの名前と、成功裏に登録されるエイリアスのアイデンティティとを含む、段階とを含む。
【０００９】
本願のこの実施形態により提供されるエイリアス管理方法では、機能エイリアス管理エンティティは、第１クライアントにより送信され、かつ、ユーザのアイデンティティと、登録を要求されたエイリアスの名前とを含む、登録要求メッセージを受信し、ユーザにエイリアス登録権があるときに、機能エイリアス管理エンティティは、ユーザのアイデンティティと、成功裏に登録されるエイリアスの名前と、成功裏に登録されるエイリアスのアイデンティティとを含む登録応答メッセージを第１クライアントに送信する。機能エイリアス管理エンティティが、第１クライアントにより送信された登録要求メッセージを受信した後、エイリアスの登録を要求する要求者にエイリアス登録権があると判断したときに、機能エイリアス管理エンティティは、それに応じて、エイリアスが構成されるユーザ構成ファイルを処理することなく、要求者のアイデンティティと、成功裏に登録されるエイリアスの名前と、成功裏に登録されるエイリアスのアイデンティティとを含む登録応答メッセージを第１クライアントに返す。故に、エイリアス登録を実装することができ、エイリアス管理効率が低く、システム処理負荷が重いという問題が解決される。
【００１０】
第１態様との関連で、考えられる実装では、機能エイリアス管理エンティティが第１クライアントに登録応答メッセージを送信する段階の前に、エイリアス管理方法は、機能エイリアス管理エンティティが、ユーザのアイデンティティに基づいてユーザの加入情報を取得する段階であって、加入情報は指示情報を含み、指示情報は、ユーザにエイリアス登録権があることを示すために使用される、段階、または、機能エイリアス管理エンティティがポリシ情報を取得し、取得されたポリシ情報に基づいて、ユーザにエイリアス登録権があると判断する段階であって、ポリシ情報は、エイリアス登録権があるユーザのアイデンティティを含む、段階を更に含んでよい。
【００１１】
第１態様または上述の考えられる実装との関連で、別の考えられる実装では、エイリアス管理方法は、ユーザにエイリアス登録権がないときに、機能エイリアス管理エンティティが第１クライアントに失敗応答メッセージを送信する段階であって、失敗応答メッセージは失敗原因を保持してよく、失敗原因は、ユーザの承認検査が失敗したことを示すために使用される、段階を更に含んでよい。
【００１２】
第１態様または上述の考えられる実装との関連で、別の考えられる実装では、機能エイリアス管理エンティティが第１クライアントに登録応答メッセージを送信する段階の前に、エイリアス管理方法は、登録を要求されたエイリアスの名前が登録されないときに、機能エイリアス管理エンティティが、登録を要求されたエイリアスにアイデンティティを割り当てる段階であって、成功裏に登録されるエイリアスは、登録を要求されたエイリアスである、段階を更に含んでよい。
【００１３】
第１態様または上述の考えられる実装との関連で、別の考えられる実装では、エイリアス管理方法は、登録を要求されたエイリアスの名前が既に登録されているときに、機能エイリアス管理エンティティが第１クライアントに失敗応答メッセージを送信する段階であって、失敗応答メッセージは失敗原因を保持してよく、失敗原因は、登録を要求されたエイリアスが既に登録されていることを示すために使用される、段階を更に含んでよい。
【００１４】
第１態様または上述の考えられる実装との関連で、別の考えられる実装では、登録要求メッセージは、登録を要求されたエイリアスのサービスタイプ、登録を要求されたエイリアスの属性、登録を要求されたエイリアスの適用範囲、および、登録を要求されたエイリアスの有効時間のうちの少なくとも１つを更に含んでよい。
【００１５】
第１態様または上述の考えられる実装との関連で、別の考えられる実装では、エイリアス管理方法は、機能エイリアス管理エンティティが第２クライアントに通知メッセージを送信する段階であって、通知メッセージは、成功裏に登録されるエイリアスの名前と、成功裏に登録されるエイリアスのアイデンティティとを含んでよい、段階を更に含んでよい。
【００１６】
第１態様または上述の考えられる実装との関連で、別の考えられる実装では、機能エイリアス管理エンティティがミッションクリティカルサービス・サーバに配置されないときに、エイリアス管理方法は、機能エイリアス管理エンティティがミッションクリティカルサービス・サーバに通知メッセージを送信する段階であって、通知メッセージは、成功裏に登録されるエイリアスの名前と、成功裏に登録されるエイリアスのアイデンティティとを含んでよい、段階を更に含んでよい。
【００１７】
第１態様または上述の考えられる実装との関連で、別の考えられる実装では、通知メッセージは、成功裏に登録されるエイリアスのサービスタイプ、成功裏に登録されるエイリアスの属性、成功裏に登録されるエイリアスの適用範囲、および、成功裏に登録されるエイリアスの有効時間のうちの少なくとも１つを更に含んでよい。
【００１８】
第２態様によれば、本願の実施形態はエイリアス管理方法を提供する。エイリアス管理方法は、機能エイリアス管理エンティティが、第１クライアントにより送信された有効化要求メッセージを受信する段階であって、有効化要求メッセージは、ユーザのアイデンティティと、有効化を要求されたエイリアスのアイデンティティとを含む、段階と、ユーザにエイリアス有効化権があるときに、機能エイリアス管理エンティティが第１クライアントに有効化応答メッセージを送信する段階であって、有効化応答メッセージは、ユーザのアイデンティティと、成功裏に有効化されるエイリアスのアイデンティティとを含む、段階とを含む。
【００１９】
本願のこの実施形態により提供されるエイリアス管理方法では、機能エイリアス管理エンティティは、第１クライアントにより送信され、かつ、ユーザのアイデンティティと、有効化を要求されたエイリアスのアイデンティティとを含む、有効化要求メッセージを受信し、ユーザにエイリアス有効化権があるときに、機能エイリアス管理エンティティは、ユーザのアイデンティティと、成功裏に有効化されるエイリアスのアイデンティティとを含む有効化応答メッセージを第１クライアントに送信する。第１クライアントにより送信された有効化要求メッセージを機能エイリアス管理エンティティが受信した後、エイリアスの有効化を要求する要求者にエイリアス有効化権があると判断したときに、機能エイリアス管理エンティティは、それに応じて、エイリアスが構成されるユーザ構成ファイルを処理することなく、要求者のアイデンティティと、成功裏に有効化されるエイリアスのアイデンティティとを含む有効化応答メッセージを第１クライアントに返す。故に、エイリアス有効化を実装することができ、エイリアス管理効率が低く、システム処理負荷が重いという問題が解決される。
【００２０】
第２態様との関連で、考えられる実装では、機能エイリアス管理エンティティが第１クライアントに有効化応答メッセージを送信する段階の前に、エイリアス管理方法は、機能エイリアス管理エンティティが、ユーザのアイデンティティに基づいてユーザの加入情報を取得する段階であって、加入情報は指示情報を含み、指示情報は、ユーザにエイリアス有効化権があることを示すために使用される、段階、または、機能エイリアス管理エンティティがポリシ情報を取得し、取得されたポリシ情報に基づいて、ユーザにエイリアス有効化権があると判断する段階であって、ポリシ情報は、エイリアス有効化権があるユーザのアイデンティティを含む、段階を更に含んでよい。
【００２１】
第２態様または上述の考えられる実装との関連で、別の考えられる実装では、エイリアス管理方法は、ユーザにエイリアス有効化権がないときに、機能エイリアス管理エンティティが第１クライアントに失敗応答メッセージを送信する段階であって、失敗応答メッセージは失敗原因を保持してよく、失敗原因は、ユーザの承認検査が失敗したことを示すために使用される、段階を更に含んでよい。
【００２２】
第２態様または上述の考えられる実装との関連で、別の考えられる実装では、有効化を要求されたエイリアスが、複数のユーザが同時に有効化できるエイリアスではなく、かつ、有効化を要求されたエイリアスが有効化されないときに、成功裏に有効化されるエイリアスは、有効化を要求されたエイリアスである、または、有効化を要求されたエイリアスが、複数のユーザが同時に有効化できるエイリアスであり、かつ、有効化を要求されたエイリアスを成功裏に有効化するユーザの数が０より多くて最大有効化数より少ないときに、成功裏に有効化されるエイリアスは、有効化を要求されたエイリアスである、または、有効化を要求されたエイリアスが、複数のユーザが同時に有効化できるエイリアスではなく、有効化を要求されたエイリアスが有効化されず、かつ、有効化を要求されたエイリアスのサービスタイプが、ユーザのアイデンティティに対応するサービスタイプと同じであるときに、成功裏に有効化されるエイリアスは、有効化を要求されたエイリアスである、または、有効化を要求されたエイリアスが、複数のユーザが同時に有効化できるエイリアスであり、有効化を要求されたエイリアスを成功裏に有効化するユーザの数が０より多くて最大有効化数より少なく、かつ、有効化を要求されたエイリアスのサービスタイプが、ユーザのアイデンティティに対応するサービスタイプと同じであるときに、成功裏に有効化されるエイリアスは、有効化を要求されたエイリアスである。有効化要求メッセージは、有効化を要求されたエイリアスのサービスタイプを更に含んでよい。
【００２３】
第２態様または上述の考えられる実装との関連で、別の考えられる実装では、エイリアス管理方法は、有効化を要求されたエイリアスが、複数のユーザが同時に有効化できるエイリアスではないが、有効化を要求されたエイリアスが既に有効化されているときに、機能エイリアス管理エンティティが第１クライアントに失敗応答メッセージを送信する段階であって、失敗応答メッセージは失敗原因を保持してよく、失敗原因は、有効化を要求されたエイリアスが既に有効化されていることを示すために使用される、段階、または、有効化を要求されたエイリアスが、複数のユーザが同時に有効化できるエイリアスであるが、有効化を要求されたエイリアスを成功裏に有効化するユーザの数が最大有効化数より多いときに、機能エイリアス管理エンティティが第１クライアントに失敗応答メッセージを送信する段階であって、失敗応答メッセージは失敗原因を保持してよく、失敗原因は、有効化を要求されたエイリアスを成功裏に有効化するユーザの数が既に最大有効化数に達していることを示すために使用される、段階を更に含んでよい。
【００２４】
第２態様または上述の考えられる実装との関連で、別の考えられる実装では、エイリアス管理方法は、機能エイリアス管理エンティティが、ユーザのアイデンティティと、成功裏に有効化されるエイリアスとの対応関係を記憶する段階を更に含んでよい。
【００２５】
第２態様または上述の考えられる実装との関連で、別の考えられる実装では、エイリアス管理方法は、機能エイリアス管理エンティティが第２クライアントに通知メッセージを送信する段階であって、通知メッセージは、成功裏に有効化されるエイリアスを、ユーザが成功裏に有効化することを第２クライアントに通知するために使用される、段階を更に含んでよい。
【００２６】
第２態様または上述の考えられる実装との関連で、別の考えられる実装では、有効化応答メッセージは、成功裏に有効化されるエイリアスのサービスタイプを更に含んでよい。
【００２７】
第２態様または上述の考えられる実装との関連で、別の考えられる実装では、機能エイリアス管理エンティティがミッションクリティカルサービス・サーバに配置されないときに、エイリアス管理方法は、機能エイリアス管理エンティティがミッションクリティカルサービス・サーバに有効化通知メッセージを送信する段階であって、有効化通知メッセージは、ユーザのアイデンティティと、成功裏に有効化されるエイリアスのアイデンティティとを含む、段階を更に含んでよい。
【００２８】
第３態様によれば、本願の実施形態はエイリアス管理方法を提供する。エイリアス管理方法は、機能エイリアス管理エンティティが、第１クライアントにより送信された無効化要求メッセージを受信する段階であって、無効化要求メッセージは、ユーザのアイデンティティと、無効化を要求されたエイリアスのアイデンティティとを含む、段階と、ユーザにエイリアス無効化権があるときに、機能エイリアス管理エンティティが第１クライアントに無効化応答メッセージを送信する段階であって、無効化応答メッセージは、ユーザのアイデンティティと、成功裏に無効化されるエイリアスのアイデンティティとを含む、段階とを含む。
【００２９】
本願のこの実施形態により提供されるエイリアス管理方法では、機能エイリアス管理エンティティは、第１クライアントにより送信され、かつ、ユーザのアイデンティティと、無効化を要求されたエイリアスのアイデンティティとを含む、無効化要求メッセージを受信し、ユーザにエイリアス無効化権があるときに、機能エイリアス管理エンティティは、ユーザのアイデンティティと、成功裏に無効化されるエイリアスのアイデンティティとを含む無効化応答メッセージを第１クライアントに送信する。第１クライアントにより送信された無効化要求メッセージを機能エイリアス管理エンティティが受信した後、エイリアスの無効化を要求する要求者にエイリアス無効化権があると判断したときに、機能エイリアス管理エンティティは、それに応じて、エイリアスが構成されるユーザ構成ファイルを処理することなく、要求者のアイデンティティと、成功裏に無効化されるエイリアスのアイデンティティとを含む無効化応答メッセージを第１クライアントに返す。故に、エイリアス無効化を実装することができ、エイリアス管理効率が低く、システム処理負荷が重いという問題が解決される。
【００３０】
第３態様との関連で、考えられる実装では、機能エイリアス管理エンティティが第１クライアントに無効化応答メッセージを送信する段階の前に、エイリアス管理方法は、機能エイリアス管理エンティティが、ユーザのアイデンティティに基づいてユーザの加入情報を取得する段階であって、加入情報は指示情報を含み、指示情報は、ユーザにエイリアス無効化権があることを示すために使用される、段階、または、機能エイリアス管理エンティティがポリシ情報を取得し、取得されたポリシ情報に基づいて、ユーザにエイリアス無効化権があると判断する段階であって、ポリシ情報は、エイリアス無効化権があるユーザのアイデンティティを含む、段階を更に含んでよい。
【００３１】
第３態様または上述の考えられる実装との関連で、別の考えられる実装では、エイリアス管理方法は、ユーザにエイリアス無効化権がないときに、機能エイリアス管理エンティティが第１クライアントに失敗応答メッセージを送信する段階であって、失敗応答メッセージは失敗原因を保持してよく、失敗原因は、ユーザの承認検査が失敗したことを示すために使用される、段階を更に含んでよい。
【００３２】
第３態様または上述の考えられる実装との関連で、別の考えられる実装では、無効化を要求されたエイリアスのサービスタイプが、ユーザのアイデンティティに対応するサービスタイプと同じであるときに、成功裏に無効化されるエイリアスは、無効化を要求されたエイリアスである。無効化要求メッセージは、無効化を要求されたエイリアスのサービスタイプを更に含んでよい。
【００３３】
第３態様または上述の考えられる実装との関連で、別の考えられる実装では、エイリアス管理方法は、機能エイリアス管理エンティティが、ユーザのアイデンティティと、成功裏に無効化されるエイリアスのアイデンティティとの対応関係を削除する段階を更に含んでよい。
【００３４】
第３態様または上述の考えられる実装との関連で、別の考えられる実装では、エイリアス管理方法は、機能エイリアス管理エンティティが第２クライアントに通知メッセージを送信する段階であって、通知メッセージは、成功裏に無効化されるエイリアスを、ユーザが成功裏に無効化することを第２クライアントに通知するために使用される、段階を更に含んでよい。
【００３５】
第３態様または上述の考えられる実装との関連で、別の考えられる実装では、無効化応答メッセージは、成功裏に無効化されるエイリアスのサービスタイプを更に含んでよい。
【００３６】
第３態様または上述の考えられる実装との関連で、別の考えられる実装では、機能エイリアス管理エンティティがミッションクリティカルサービス・サーバに配置されないときに、エイリアス管理方法は、機能エイリアス管理エンティティがミッションクリティカルサービス・サーバに無効化通知メッセージを送信する段階であって、無効化通知メッセージは、ユーザのアイデンティティと、成功裏に無効化されるエイリアスのアイデンティティとを含む、段階を更に含んでよい。
【００３７】
第４態様によれば、本願の実施形態はエイリアス管理方法を提供する。エイリアス管理方法は、機能エイリアス管理エンティティが、第１クライアントにより送信された引き継ぎ要求メッセージを受信する段階であって、引き継ぎ要求メッセージは、ユーザのアイデンティティと、引き継ぎを要求されたエイリアスのアイデンティティとを含む、段階と、ユーザにエイリアス引き継ぎ権があるときに、機能エイリアス管理エンティティが第１クライアントに引き継ぎ応答メッセージを送信する段階であって、引き継ぎ応答メッセージは、ユーザのアイデンティティと、成功裏に引き継がれるエイリアスのアイデンティティとを含む、段階とを含む。
【００３８】
本願のこの実施形態により提供されるエイリアス管理方法では、機能エイリアス管理エンティティは、第１クライアントにより送信され、かつ、ユーザのアイデンティティと、引き継ぎを要求されたエイリアスのアイデンティティとを含む、引き継ぎ要求メッセージを受信し、ユーザにエイリアス引き継ぎ権があるときに、機能エイリアス管理エンティティは、ユーザのアイデンティティと、成功裏に引き継がれるエイリアスのアイデンティティとを含む引き継ぎ応答メッセージを第１クライアントに送信する。第１クライアントにより送信された引き継ぎ要求メッセージを機能エイリアス管理エンティティが受信した後、エイリアスの引き継ぎを要求する要求者にエイリアス引き継ぎ権があると判断したときに、機能エイリアス管理エンティティは、それに応じて、エイリアスが構成されるユーザ構成ファイルを処理することなく、要求者のアイデンティティと、成功裏に引き継がれるエイリアスのアイデンティティとを含む引き継ぎ応答メッセージを第１クライアントに返す。故に、エイリアス引き継ぎを実装することができ、エイリアス管理効率が低く、システム処理負荷が重いという問題が解決される。
【００３９】
第４態様との関連で、考えられる実装では、機能エイリアス管理エンティティが第１クライアントに引き継ぎ応答メッセージを送信する段階の前に、エイリアス管理方法は、機能エイリアス管理エンティティが、ユーザのアイデンティティに基づいてユーザの加入情報を取得する段階であって、加入情報は指示情報を含み、指示情報は、ユーザにエイリアス引き継ぎ権があることを示すために使用される、段階、または、機能エイリアス管理エンティティがポリシ情報を取得し、取得されたポリシ情報に基づいて、ユーザにエイリアス引き継ぎ権があると判断する段階であって、ポリシ情報は、エイリアス引き継ぎ権があるユーザのアイデンティティを含む、段階を更に含んでよい。
【００４０】
第４態様または上述の考えられる実装との関連で、別の考えられる実装では、エイリアス管理方法は、ユーザにエイリアス引き継ぎ権がないときに、機能エイリアス管理エンティティが第１クライアントに失敗応答メッセージを送信する段階であって、失敗応答メッセージは失敗原因を保持してよく、失敗原因は、ユーザの承認検査が失敗したことを示すために使用される、段階を更に含んでよい。
【００４１】
第４態様または上述の考えられる実装との関連で、別の考えられる実装では、引き継ぎを要求されたエイリアスが、引き継ぎを許可されたエイリアスであるときに、成功裏に引き継がれるエイリアスは、引き継ぎを要求されたエイリアスである、または、引き継ぎを要求されたエイリアスが、引き継ぎを許可されたエイリアスであり、かつ、引き継ぎを要求されたエイリアスのサービスタイプが、ユーザのアイデンティティに対応するサービスタイプと同じであるときに、成功裏に引き継がれるエイリアスは、引き継ぎを要求されたエイリアスである。引き継ぎ要求メッセージは、引き継ぎを要求されたエイリアスのサービスタイプを更に含んでよい。
【００４２】
第４態様または上述の考えられる実装との関連で、別の考えられる実装では、エイリアス管理方法は、引き継ぎを要求されたエイリアスが、引き継ぎを許可されたエイリアスではないときに、機能エイリアス管理エンティティが第１クライアントに失敗応答メッセージを送信する段階であって、失敗応答メッセージは失敗原因を保持してよく、失敗原因は、引き継ぎを要求されたエイリアスが、引き継ぎを許可されたエイリアスではないことを示すために使用される、段階を更に含んでよい。
【００４３】
第４態様または上述の考えられる実装との関連で、別の考えられる実装では、エイリアス管理方法は、機能エイリアス管理エンティティが、成功裏に引き継がれるエイリアスのアイデンティティと、第２クライアントを使用するユーザのアイデンティティとの対応関係を削除し、第２クライアントに通知メッセージを送信する段階であって、通知メッセージは、成功裏に引き継がれるエイリアスを、第１クライアントを使用するユーザが成功裏に引き継ぐことを第２クライアントに通知するために使用されるか、または、成功裏に引き継がれるエイリアスを無効化するよう第２クライアントに命令するために使用され、第２クライアントを使用するユーザは、成功裏に引き継がれるエイリアスを成功裏に有効化するユーザである、段階を更に含んでよい。
【００４４】
第４態様または上述の考えられる実装との関連で、別の考えられる実装では、引き継ぎ応答メッセージは、成功裏に引き継がれるエイリアスのサービスタイプを更に含んでよい。
【００４５】
第４態様または上述の考えられる実装との関連で、別の考えられる実装では、エイリアス管理方法は、機能エイリアス管理エンティティがミッションクリティカルサービス・サーバに引き継ぎ通知メッセージを送信する段階であって、引き継ぎ通知メッセージは、ユーザのアイデンティティと、成功裏に引き継がれるエイリアスのアイデンティティとを含む、段階を更に含んでよい。
【００４６】
第４態様または上述の考えられる実装との関連で、別の考えられる実装では、エイリアス管理方法は、機能エイリアス管理エンティティがミッションクリティカルサービス・サーバに無効化通知メッセージを送信する段階であって、無効化通知メッセージは、成功裏に引き継がれるエイリアスのアイデンティティと、ユーザのアイデンティティとを含む、段階を更に含んでよい。
【００４７】
第５態様によれば、本願の実施形態は機能エイリアス管理エンティティを提供する。機能エイリアス管理エンティティは、第１クライアントにより送信された登録要求メッセージを受信するように構成される受信ユニットであって、登録要求メッセージは、ユーザのアイデンティティと、登録を要求されたエイリアスの名前とを含む、受信ユニットと、ユーザにエイリアス登録権があるときに、第１クライアントに登録応答メッセージを送信するように構成される送信ユニットであって、登録応答メッセージは、ユーザのアイデンティティと、成功裏に登録されるエイリアスの名前と、成功裏に登録されるエイリアスのアイデンティティとを含む、送信ユニットとを含む。
【００４８】
第５態様との関連で、考えられる実装では、機能エイリアス管理エンティティは、受信ユニットにより受信されるユーザのアイデンティティに基づいて、ユーザの加入情報を取得するように構成される取得ユニットであって、加入情報は指示情報を含み、指示情報は、ユーザにエイリアス登録権があることを示すために使用される、取得ユニット、または、ポリシ情報を取得するように構成される取得ユニットと、取得ユニットにより取得されたポリシ情報に基づいて、ユーザにエイリアス登録権があると判断するように構成される判断ユニットとであって、ポリシ情報は、エイリアス登録権があるユーザのアイデンティティを含む、取得ユニットおよび判断ユニットを更に含んでよい。
【００４９】
第５態様または上述の考えられる実装との関連で、別の考えられる実装では、機能エイリアス管理エンティティは、登録を要求されたエイリアスの名前が登録されないときに、登録を要求されたエイリアスにアイデンティティを割り当てることであって、成功裏に登録されるエイリアスは、登録を要求されたエイリアスである、割り当てることを行うように構成される割り当てユニットを更に含んでよい。
【００５０】
第５態様または上述の考えられる実装との関連で、別の考えられる実装では、登録要求メッセージは、登録を要求されたエイリアスのサービスタイプ、登録を要求されたエイリアスの属性、登録を要求されたエイリアスの適用範囲、および、登録を要求されたエイリアスの有効時間のうちの少なくとも１つを更に含む。
【００５１】
第５態様または上述の考えられる実装との関連で、別の考えられる実装では、送信ユニットは、第２クライアントに通知メッセージを送信するように更に構成され、通知メッセージは、成功裏に登録されるエイリアスの名前と、成功裏に登録されるエイリアスのアイデンティティとを含む。
【００５２】
第５態様または上述の考えられる実装との関連で、別の考えられる実装では、通知メッセージは、成功裏に登録されるエイリアスのサービスタイプ、成功裏に登録されるエイリアスの属性、成功裏に登録されるエイリアスの適用範囲、および、成功裏に登録されるエイリアスの有効時間のうちの少なくとも１つを更に含む。
【００５３】
第６態様によれば、本願の実施形態は機能エイリアス管理エンティティを提供する。機能エイリアス管理エンティティは、第１クライアントにより送信された有効化要求メッセージを受信するように構成される受信ユニットであって、有効化要求メッセージは、ユーザのアイデンティティと、有効化を要求されたエイリアスのアイデンティティとを含む、受信ユニットと、ユーザにエイリアス有効化権があるときに、第１クライアントに有効化応答メッセージを送信するように構成される送信ユニットであって、有効化応答メッセージは、ユーザのアイデンティティと、成功裏に有効化されるエイリアスのアイデンティティとを含む、送信ユニットとを含む。
【００５４】
第６態様との関連で、考えられる実装では、機能エイリアス管理エンティティは、受信ユニットにより受信されるユーザのアイデンティティに基づいて、ユーザの加入情報を取得するように構成される取得ユニットであって、加入情報は指示情報を含み、指示情報は、ユーザにエイリアス有効化権があることを示すために使用される、取得ユニット、または、ポリシ情報を取得するように構成される取得ユニットと、取得ユニットにより取得されたポリシ情報に基づいて、ユーザにエイリアス有効化権があると判断するように構成される判断ユニットとであって、ポリシ情報は、エイリアス有効化権があるユーザのアイデンティティを含む、取得ユニットおよび判断ユニットを更に含んでよい。
【００５５】
第６態様または上述の考えられる実装との関連で、別の考えられる実装では、有効化を要求されたエイリアスが、複数のユーザが同時に有効化できるエイリアスではなく、かつ、有効化を要求されたエイリアスが有効化されないときに、成功裏に有効化されるエイリアスは、有効化を要求されたエイリアスである、または、有効化を要求されたエイリアスが、複数のユーザが同時に有効化できるエイリアスであり、かつ、有効化を要求されたエイリアスを成功裏に有効化するユーザの数が０より多くて最大有効化数より少ないときに、成功裏に有効化されるエイリアスは、有効化を要求されたエイリアスである、または、有効化を要求されたエイリアスが、複数のユーザが同時に有効化できるエイリアスではなく、有効化を要求されたエイリアスが有効化されず、かつ、有効化を要求されたエイリアスのサービスタイプが、ユーザのアイデンティティに対応するサービスタイプと同じであるときに、成功裏に有効化されるエイリアスは、有効化を要求されたエイリアスである、または、有効化を要求されたエイリアスが、複数のユーザが同時に有効化できるエイリアスであり、有効化を要求されたエイリアスを成功裏に有効化するユーザの数が０より多くて最大有効化数より少なく、かつ、有効化を要求されたエイリアスのサービスタイプが、ユーザのアイデンティティに対応するサービスタイプと同じであるときに、成功裏に有効化されるエイリアスは、有効化を要求されたエイリアスである。
【００５６】
第６態様または上述の考えられる実装との関連で、別の考えられる実装では、機能エイリアス管理エンティティは、ユーザのアイデンティティと、成功裏に有効化されるエイリアスとの対応関係を記憶するように構成される記憶ユニットを更に含んでよい。
【００５７】
第６態様または上述の考えられる実装との関連で、別の考えられる実装では、送信ユニットは、第２クライアントに通知メッセージを送信するように更に構成され、通知メッセージは、成功裏に有効化されるエイリアスを、ユーザが成功裏に有効化することを第２クライアントに通知するために使用される。
【００５８】
第７態様によれば、本願の実施形態は機能エイリアス管理エンティティを提供する。機能エイリアス管理エンティティは、第１クライアントにより送信された無効化要求メッセージを受信するように構成される受信ユニットであって、無効化要求メッセージは、ユーザのアイデンティティと、無効化を要求されたエイリアスのアイデンティティとを含む、受信ユニットと、ユーザにエイリアス無効化権があるときに、第１クライアントに無効化応答メッセージを送信するように構成される送信ユニットであって、無効化応答メッセージは、ユーザのアイデンティティと、成功裏に無効化されるエイリアスのアイデンティティとを含む、送信ユニットとを含む。
【００５９】
第７態様との関連で、考えられる実装では、機能エイリアス管理エンティティは、ユーザのアイデンティティに基づいて、ユーザの加入情報を取得するように構成される取得ユニットであって、加入情報は指示情報を含み、指示情報は、ユーザにエイリアス無効化権があることを示すために使用される、取得ユニット、または、ポリシ情報を取得するように構成される取得ユニットと、取得ユニットにより取得されたポリシ情報に基づいて、ユーザにエイリアス無効化権があると判断するように構成される判断ユニットとであって、ポリシ情報は、エイリアス無効化権があるユーザのアイデンティティを含む、取得ユニットおよび判断ユニットを更に含んでよい。
【００６０】
第７態様または上述の考えられる実装との関連で、別の考えられる実装では、無効化を要求されたエイリアスのサービスタイプが、ユーザのアイデンティティに対応するサービスタイプと同じであるときに、成功裏に無効化されるエイリアスは、無効化を要求されたエイリアスである。
【００６１】
第７態様または上述の考えられる実装との関連で、別の考えられる実装では、機能エイリアス管理エンティティは、ユーザのアイデンティティと、成功裏に無効化されるエイリアスのアイデンティティとの対応関係を削除するように構成される削除ユニットを更に含んでよい。
【００６２】
第７態様または上述の考えられる実装との関連で、別の考えられる実装では、送信ユニットは、第２クライアントに通知メッセージを送信するように更に構成され、通知メッセージは、成功裏に無効化されるエイリアスを、ユーザが成功裏に無効化することを第２クライアントに通知するために使用される。
【００６３】
第８態様によれば、本願の実施形態は機能エイリアス管理エンティティを提供する。機能エイリアス管理エンティティは、第１クライアントにより送信された引き継ぎ要求メッセージを受信するように構成される受信ユニットであって、引き継ぎ要求メッセージは、ユーザのアイデンティティと、引き継ぎを要求されたエイリアスのアイデンティティとを含む、受信ユニットと、ユーザにエイリアス引き継ぎ権があるときに、第１クライアントに引き継ぎ応答メッセージを送信するように構成される送信ユニットであって、引き継ぎ応答メッセージは、ユーザのアイデンティティと、成功裏に引き継がれるエイリアスのアイデンティティとを含む、送信ユニットとを含む。
【００６４】
第８態様との関連で、考えられる実装では、機能エイリアス管理エンティティは、受信ユニットにより受信されるユーザのアイデンティティに基づいて、ユーザの加入情報を取得するように構成される取得ユニットであって、加入情報は指示情報を含み、指示情報は、ユーザにエイリアス引き継ぎ権があることを示すために使用される、取得ユニット、または、ポリシ情報を取得するように構成される取得ユニットと、取得ユニットにより取得されたポリシ情報に基づいて、ユーザにエイリアス引き継ぎ権があると判断するように構成される判断ユニットとであって、ポリシ情報は、エイリアス引き継ぎ権があるユーザのアイデンティティを含む、取得ユニットおよび判断ユニットを更に含んでよい。
【００６５】
第８態様または上述の考えられる実装との関連で、別の考えられる実装では、引き継ぎを要求されたエイリアスが、引き継ぎを許可されたエイリアスであるときに、成功裏に引き継がれるエイリアスは、引き継ぎを要求されたエイリアスである、または、引き継ぎを要求されたエイリアスが、引き継ぎを許可されたエイリアスであり、かつ、引き継ぎを要求されたエイリアスのサービスタイプが、ユーザのアイデンティティに対応するサービスタイプと同じであるときに、成功裏に引き継がれるエイリアスは、引き継ぎを要求されたエイリアスである。
【００６６】
第８態様または上述の考えられる実装との関連で、別の考えられる実装では、機能エイリアス管理エンティティは、成功裏に引き継がれるエイリアスのアイデンティティと、第２クライアントを使用するユーザのアイデンティティとの対応関係を削除するように構成される削除ユニットであって、第２クライアントを使用するユーザは、成功裏に引き継がれるエイリアスを成功裏に有効化するユーザである、削除ユニットを更に含んでよく、送信ユニットは、第２クライアントに通知メッセージを送信するように更に構成され、通知メッセージは、成功裏に引き継がれるエイリアスを、第１クライアントを使用するユーザが成功裏に引き継ぐことを第２クライアントに通知するために使用される、または、成功裏に引き継がれるエイリアスを無効化するよう第２クライアントに命令するために使用される。
【００６７】
第９態様によれば、本願の実施形態は機能エイリアス管理エンティティを提供する。機能エイリアス管理エンティティは、少なくとも１つのプロセッサとメモリとを含み、メモリは、コンピュータプログラムを記憶するように構成され、コンピュータプログラムを実行するときに、少なくとも１つのプロセッサは、第１態様もしくは第１態様の考えられる実装、または、第２態様もしくは第２態様の考えられる実装、または、第３態様もしくは第３態様の考えられる実装、または、第４態様もしくは第４態様の考えられる実装のうちの何れか１つにおけるエイリアス管理方法を実装する。
【００６８】
第１０態様によれば、本願の実施形態はコンピュータ可読記憶媒体を提供する。コンピュータ可読記憶媒体は、コンピュータプログラムを記憶するように構成され、コンピュータプログラムは、第１態様もしくは第１態様の考えられる実装、または、第２態様もしくは第２態様の考えられる実装、または、第３態様もしくは第３態様の考えられる実装、または、第４態様もしくは第４態様の考えられる実装のうちの何れか１つにおけるエイリアス管理方法を実施するために使用される命令を含む。
【００６９】
第１１態様によれば、本願の実施形態はチップシステムを提供する。チップシステムは、上述の態様における機能を実装する際に、例えば、上述の方法でデータおよび／または情報を生成または処理する際に、機能エイリアス管理エンティティをサポートするように構成されるプロセッサを含む。考えられる設計では、チップシステムはメモリを更に含み、メモリは、機能エイリアス管理エンティティにより必要とされるプログラム命令およびデータを記憶するように構成される。チップシステムはチップで形成されてもよいし、チップおよび他のディスクリートコンポーネントを含んでもよい。
【図面の簡単な説明】
【００７０】
【図１】従来技術に係る３ＧＰＰ  ＬＴＥシステムに基づくミッションクリティカルサービス・アプリケーション層のアーキテクチャの概略図である。
【００７１】
【図２】本願の実施形態に係るシステムアーキテクチャの簡略概略図である。
【００７２】
【図３】本願の実施形態に係る機能エイリアス管理エンティティの概略構成図である。
【００７３】
【図４】本願の実施形態に係るエイリアス管理方法のフローチャートである。
【００７４】
【図５】本願の実施形態に係る別のエイリアス管理方法フローチャートである。
【００７５】
【図６】本願の実施形態に係る別のエイリアス管理方法のフローチャートである。
【００７６】
【図７】本願の実施形態に係る別のエイリアス管理方法のフローチャートである。
【００７７】
【図８】本願の実施形態に係るエイリアスベースのアドレス指定発呼方法のフローチャートである。
【００７８】
【図９】本願の実施形態に係る別の機能エイリアス管理エンティティの概略構成図である。
【００７９】
【図１０】本願の実施形態に係る別の機能エイリアス管理エンティティの概略構成図である。
【発明を実施するための形態】
【００８０】
図１には、３ＧＰＰ  ＬＴＥシステムに基づくミッションクリティカルサービス・アプリケーション層のアーキテクチャが示されている。ミッションクリティカルサービス・ユーザデータベース（ＭＣ  ｓｅｒｖｉｃｅ  ｕｓｅｒ  ｄａｔａｂａｓｅ）がユーザ構成ファイルを記憶し、ユーザ構成ファイルは、ユーザのアイデンティティと、そのアイデンティティに対応する１または複数のエイリアスとを含む。エイリアスは、公の正式名称または標準名以外の名前である。異なるサービスの場合は、同じユーザが同じアイデンティティを使用してもよいし、異なるアイデンティティを使用してもよい。ユーザのアイデンティティは、ユーザのアイデンティティに対応するエイリアスと結び付けられ、ユーザ構成ファイルに記憶される。例えば、ＭＣＰＴＴサービスの場合は、ユーザのアイデンティティは、ユーザのアイデンティティに対応するエイリアスと結び付けられ、ＭＣＤａｔａサービスの場合は、ユーザのアイデンティティは、ユーザのアイデンティティに対応するエイリアスと結び付けられる。構成管理サーバ（Ｃｏｎｆｉｇｕｒａｔｉｏｎ  Ｍａｎａｇｅｍｅｎｔ  Ｓｅｒｖｅｒ、ＣＭＳ）および構成管理クライアント（Ｃｏｎｆｉｇｕｒａｔｉｏｎ  Ｍａｎａｇｅｍｅｎｔ  Ｃｌｉｅｎｔ、ＣＭＣ）を使用することによって、エイリアスを含むユーザ構成ファイルが、システム管理者により、ユーザが使用する端末に配信されるときにのみ、ユーザはエイリアスを使用することができる。加えて、エイリアスを含むユーザ構成ファイルは、エイリアスの管理、例えば、登録、有効化、無効化、または引き継ぎを実施する必要があるときに、それに応じて最初に処理されなければならない。例えば、エイリアスがシステムに動的かつ時間的に登録される場合は、ユーザ構成ファイルが最初に修正されるか、または、新規ユーザ構成ファイルが最初に構成されるときにのみ、エイリアス登録が完了され得る。
【００８１】
加えて、エイリアスは、エイリアスの特徴、例えば、システム内のエイリアスの一意性、複数のユーザに許可されたエイリアスの同時使用、および、エイリアスに対応するユーザのアイデンティティについて説明する何らかの情報を更に有する。鉄道アプリケーションでのエイリアスに関する情報は、具体的に以下の通りである。
【００８２】
１．エイリアスは、ユーザにより選択され得るエイリアスであり、ユーザの職務または任務と結び付けられる。
【００８３】
２．１人のユーザが１または複数のエイリアスを同時に有効化してよい。有効化された各エイリアスは一意的であり、エイリアスに対応するユーザと通信し、かつ、そのユーザをアドレス指定するための、ユーザのサービスアイデンティティとして使用されてよい。すなわち、ルーティング機能をサポートすることができる。例えば、エイリアスは、特定の列車の運転士を特定するために使用される。例えば、列車ＴＲＡＩＮ２９に２人の運転士がおり、運転士１のエイリアスがＤｒｉｖｅｒ１＿ＴＲＡＩＮ２９であり、運転士２のエイリアスがＤｒｉｖｅｒ２＿ＴＲＡＩＮ２９である場合は、エイリアスＤｒｉｖｅｒ１＿ＴＲＡＩＮ２９が成功裏に有効化された後、列車ＴＲＡＩＮ２９の運転士１をアドレス指定することができ、エイリアスＤｒｉｖｅｒ２＿ＴＲＡＩＮ２９が成功裏に有効化された後、列車ＴＲＡＩＮ２９の運転士２をアドレス指定することができる。
【００８４】
３．１つのエイリアスが、サービス管理構成に基づいて複数のユーザに割り当てられてもよいし、サービス管理構成に基づいて別の承認済みユーザにより引き継がれ（ｔａｋｅｎ  ｏｖｅｒ）てもよい。これら２つの要件は相互排他的である。具体的に言うと、エイリアスが複数のユーザに割り当てられる場合は、エイリアスを引き継ぐことができない。
【００８５】
４．承認済みユーザが新規エイリアスを登録してよい。
【００８６】
結論として、鉄道アプリケーション内のエイリアスの特徴を説明する情報に基づいて、ユーザが鉄道アプリケーション内のエイリアスを自由に選択できる必要があること、並びに、エイリアスを柔軟に有効化および無効化することができ、エイリアスがルーティング機能をサポートすることができ、エイリアスを引き継ぐことができ、かつ、エイリアスを登録することができることが取得されてよい。故に、システムの展開中にユーザ構成ファイルでエイリアスを予め構成するために従来技術が依然として使用される場合は、エイリアス管理効率が低くなり、システム処理負荷が重くなる。
【００８７】
エイリアス管理効率が低く、システム処理負荷が重いという問題を解決すべく、本願の実施形態はエイリアス管理方法を提供する。エイリアス管理方法の基本原理は、機能エイリアス管理エンティティが、第１クライアントにより送信された管理要求メッセージを受信することであって、管理要求メッセージは、ユーザのアイデンティティと、管理を要求されたエイリアスに関する情報とを含む、受信すること、および、ユーザにエイリアス管理権があるときに、機能エイリアス管理エンティティが第１クライアントに管理応答メッセージを送信することであって、管理応答メッセージは、ユーザのアイデンティティと、成功裏に管理されるエイリアスに関する情報とを含む、送信することである。管理は、登録、有効化、無効化、引き継ぎ、および同様のもののうちの１または複数であってよい。第１クライアントにより送信された管理要求メッセージを機能エイリアス管理エンティティが受信した後、エイリアスの管理を要求する要求者にエイリアス管理権があると判断したときに、機能エイリアス管理エンティティは、それに応じて、エイリアスが構成されるユーザ構成ファイルを処理することなく、要求者のアイデンティティと、成功裏に管理されるエイリアスに関する情報とを含む管理応答メッセージを第１クライアントに返す。故に、エイリアス管理を実装することができ、エイリアス管理効率が低く、システム処理負荷が重いという問題が解決される。
【００８８】
なお、本願の実施形態では、エイリアスは、機能エイリアス（Ｆｕｎｃｔｉｏｎａｌ  ａｌｉａｓ）とみなされてもよい。加えて、本願の実施形態における「複数の」は、２またはそれより多くてよい。
【００８９】
以下では、添付図面を参照しながら本願の実施形態について詳細に説明する。
【００９０】
図２は、本願の実施形態が適用され得るシステムアーキテクチャの簡略概略図である。図２に示す通り、システムアーキテクチャは、機能エイリアス管理サーバと、機能エイリアス管理クライアントと、図１に示すアーキテクチャ内の機能エンティティとを含んでよい。
【００９１】
ある特定の実装では、本願のこの実施形態における機能エイリアス管理エンティティは、図１に示すアーキテクチャに含まれるミッションクリティカルサービス・サーバ（Ｍｉｓｓｉｏｎ  ｃｒｉｔｉｃａｌ  ｓｅｒｖｉｃｅ  ｓｅｒｖｅｒ、ＭＣ  Ｓｅｒｖｉｃｅ  Ｓｅｒｖｅｒ／ＭＣ  ｓｅｒｖｅｒ）、グループ管理サーバ（Ｇｒｏｕｐ  ｍａｎａｇｅｍｅｎｔ  ｓｅｒｖｅｒ）、構成管理サーバ（Ｃｏｎｆｉｇｕｒａｔｉｏｎ  ｍａｎａｇｅｍｅｎｔ  ｓｅｒｖｅｒ）、アイデンティティ管理サーバ（Ｉｄｅｎｔｉｔｙ  ｍａｎａｇｅｍｅｎｔ  ｓｅｒｖｅｒ）、キー管理サーバ（Ｋｅｙ  ｍａｎａｇｅｍｅｎｔ  ｓｅｒｖｅｒ）、および位置管理サーバ（Ｌｏｃａｔｉｏｎ  ｍａｎａｇｅｍｅｎｔ  ｓｅｒｖｅｒ）のうちの何れか１つに統合されてもよいし、機能エイリアス管理サーバ（Ｆｕｎｃｔｉｏｎａｌ−Ａｌｉａｓ  ｍａｎａｇｅｍｅｎｔ  ｓｅｒｖｅｒ）に統合されてもよい。
【００９２】
ある特定の実装では、本願のこの実施形態における第１クライアントは、図１に示すアーキテクチャに含まれるミッションクリティカルサービス・クライアント（Ｍｉｓｓｉｏｎ  Ｃｒｉｔｉｃａｌ  Ｓｅｒｖｉｃｅ  Ｃｌｉｅｎｔ、ＭＣ  Ｓｅｒｖｉｃｅ  Ｃｌｉｅｎｔ／ＭＣ  ｃｌｉｅｎｔ）、グループ管理クライアント（Ｇｒｏｕｐ  ｍａｎａｇｅｍｅｎｔ  ｃｌｉｅｎｔ）、構成管理クライアント（Ｃｏｎｆｉｇｕｒａｔｉｏｎ  ｍａｎａｇｅｍｅｎｔ  ｃｌｉｅｎｔ）、アイデンティティ管理クライアント（Ｉｄｅｎｔｉｔｙ  ｍａｎａｇｅｍｅｎｔ  ｃｌｉｅｎｔ）、キー管理クライアント（Ｋｅｙ  ｍａｎａｇｅｍｅｎｔ  ｃｌｉｅｎｔ）、および位置管理クライアント（Ｌｏｃａｔｉｏｎ  ｍａｎａｇｅｍｅｎｔ  ｃｌｉｅｎｔ）のうちの何れか１つに統合されてもよいし、機能エイリアス管理クライアント（Ｆｕｎｃｔｉｏｎａｌ−Ａｌｉａｓ  ｍａｎａｇｅｍｅｎｔ  ｃｌｉｅｎｔ）に統合されてもよい。
【００９３】
本願のこの実施形態では、機能エイリアス管理エンティティは、システムのエイリアス情報を記憶および維持することができる。エイリアス情報は、エイリアスの名前、エイリアスのアイデンティティ、エイリアスの属性、エイリアスと関連付けられるユーザのアイデンティティ、エイリアスのサービスタイプ、エイリアスの適用範囲、エイリアスの有効時間、および同様のもののうちの１つ、または、これらの組み合わせを含んでよい。機能エイリアス管理エンティティは、ユーザにより開始された操作、例えば、エイリアス登録、エイリアス有効化、エイリアス無効化、およびエイリアス引き継ぎを容認または拒否するように構成されてよく、ユーザのエイリアスのステータス変更をユーザに通知すること、ユーザによるエイリアスの操作を承認すること、ユーザのエイリアスとアイデンティティとの対応関係を維持すること、および同様のことを行うように更に構成されてよい。第１クライアントは、機能エイリアス管理エンティティに対して、エイリアスの登録、有効化、無効化、および引き継ぎなどの操作要求を開始するように構成され、エイリアスのステータス変更を通知するためのメッセージを機能エイリアス管理エンティティから受信するように更に構成される。
【００９４】
加えて、ミッションクリティカルサービス・サーバは、発呼制御および媒体制御を主に担い、論理エンティティである。ある特定の実装では、ミッションクリティカルサービス・サーバは、ＭＣＰＴＴ  ｓｅｒｖｅｒ、ＭＣＶｉｄｅｏ  ｓｅｒｖｅｒ、ＭＣＤａｔａ  ｓｅｒｖｅｒ、または同様のものであってよい。ミッションクリティカルサービス・クライアントは、ミッションクリティカルサービス・サーバのピアアプリケーション層エンティティであり、アプリケーション層トラザクションの処理を主に担う。
【００９５】
グループ管理サーバは、システムにおけるグループの管理およびグループ情報のメンテナンス、例えば、グループの作成または解消、グループメンバの変更、または同様のことを主に担う。グループ管理クライアントは、グループ管理サーバのピアアプリケーション層エンティティであり、グループの作成または解消、グループメンバの操作、グループ情報の更新、および同様のことを開始することを主に担う。
【００９６】
構成管理サーバは、システム内のサービス情報およびユーザ情報を構成すること、例えば、ユーザにより使用される端末にユーザ構成ファイルを配信することを主に担う。構成管理クライアントは、構成管理サーバのピアアプリケーション層エンティティであり、構成管理サーバにより配信された構成情報を受信することを主に担う。
【００９７】
アイデンティティ管理サーバは、ユーザのアイデンティティを承認および認証し、ユーザが有効なユーザであるかどうかを判断し、アイデンティティ管理クライアントにサービスアクセストークンを配布するように構成される。アイデンティティ管理クライアントは、アイデンティティ管理サーバのピアアプリケーション層エンティティであり、アイデンティティ管理サーバがユーザを承認および認証するときにサービスアクセストークンを受信するように構成される。
【００９８】
キー管理サーバは、セキュリティキーの管理、例えば、セキュリティキーの生成、配布、または更新を主に担う。キー管理クライアントは、キー管理サーバのピアアプリケーション層エンティティであり、セキュリティキーの受信および更新、並びに同様のことを主に担う。
【００９９】
位置管理サーバは、ユーザの位置を管理すること、例えば、ユーザの位置情報を受信および記憶すること、および、ユーザの位置情報を他の承認済みユーザが使用できるように提供することを主に担う。位置管理クライアントは、位置管理サーバのピアアプリケーション層エンティティであり、ユーザの位置情報を報告すること、および、位置管理サーバから他のユーザの位置情報を取得することを主に担う。
【０１００】
機能エイリアス管理サーバは、システム内のエイリアスに関する情報を維持および更新すること、例えば、エイリアスを追加すること、エイリアスを取り除くこと、エイリアスを更新すること、エイリアスを検索すること、および、ユーザにエイリアスを配信することを主に担う。機能エイリアス管理クライアントは、システム内のエイリアスを検索すること、および、機能エイリアス管理サーバにより配信されたエイリアスを受信することを主に担う。
【０１０１】
ミッションクリティカルサービス・サーバおよびミッションクリティカルサービス・クライアントは、ＭＣＸ−１インタフェースを使用して通信を実施し、複数の異なるサービスに対応するＭＣＸ−１インタフェースは、ＭＣＰＴＴ−１インタフェース、またはＭＣＶｉｄｅｏ−１インタフェース、またはＭＣＤａｔａ−１インタフェースであってよい。対応するＣＳＣインタフェースが、機能エンティティ間の通信に使用されてよい。例えば、位置管理サーバおよび位置管理クライアントは、ＣＳＣ−１４を使用して通信を実施し、エイリアス管理サーバおよびエイリアス管理クライアントは、ＣＳＣ−ｘｘを使用して通信を実施し、エイリアス管理サーバは、ＣＳＣ−ｙｙを使用してミッションクリティカルサービス・サーバとの通信を更に実施してよい。
【０１０２】
なお、本願のこの実施形態では、図２に示すシステムは、ミッションクリティカルサービス・システム（Ｍｉｓｓｉｏｎ  Ｃｒｉｔｉｃａｌ  Ｓｅｒｖｉｃｅ  Ｓｙｓｔｅｍ）に基づくシステムであってよい。加えて、本願のこの実施形態は、ＭＣＰＴＴサービス、ＭＣＤａｔａサービス、ＭＣＶｉｄｅｏサービス、鉄道アプリケーションサービス、または他の同様のサービスに適用可能である。これは、本願のこの実施形態において、ここでは特に限定されない。
【０１０３】
図３は、本願の実施形態に係る機能エイリアス管理エンティティの概略構成図である。図３に示す通り、機能エイリアス管理エンティティは、少なくとも１つのプロセッサ２１と、メモリ２２と、通信インタフェース２３と、通信バス２４とを含んでよい。
【０１０４】
以下では、図３を参照しながら機能エイリアス管理エンティティの各コンポーネントについて詳細に説明する。
【０１０５】
プロセッサ２１は、機能エイリアス管理エンティティの制御センタであり、プロセッサであってもよいし、複数の処理コンポーネントの総称であってもよい。例えば、プロセッサ２１は、中央処理装置（Ｃｅｎｔｒａｌ  Ｐｒｏｃｅｓｓｉｎｇ  Ｕｎｉｔ、ＣＰＵ）である、または、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）であってよい、または、本願のこの実施形態を実装するように構成される１または複数の集積回路、例えば、１または複数のマイクロプロセッサ（Ｄｉｇｉｔａｌ  Ｓｉｇｎａｌ  Ｐｒｏｃｅｓｓｏｒ、ＤＳＰ）、または、１または複数のフィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）である。
【０１０６】
プロセッサ２１は、メモリ２２に記憶されたソフトウェアプログラムを起動または実行すること、または、メモリ２２に記憶されたデータを呼び出すことにより機能エイリアス管理エンティティの様々な機能を実施してよい。
【０１０７】
ある実施形態における特定の実装では、プロセッサ２１は、１または複数のＣＰＵ、例えば、図３に示すＣＰＵ０およびＣＰＵ１を含んでよい。
【０１０８】
ある実施形態における特定の実装では、機能エイリアス管理エンティティは、複数のプロセッサ、例えば、図３のプロセッサ２１およびプロセッサ２５を含んでよい。これらのプロセッサの各々は、シングルコア（ｓｉｎｇｌｅ−ＣＰＵ）プロセッサであってもよいし、マルチコア（ｍｕｌｔｉ−ＣＰＵ）プロセッサであってもよい。ここでのプロセッサは、データ（例えば、コンピュータプログラム命令）を処理するために使用される１または複数のデバイス、回路、および／または処理コアであってよい。
【０１０９】
メモリ２２は、リードオンリメモリ（Ｒｅａｄ−Ｏｎｌｙ  Ｍｅｍｏｒｙ、ＲＯＭ）、または、静的な情報および命令を記憶できる別のタイプの静的記憶デバイス、ランダムアクセスメモリ（Ｒａｎｄｏｍ  Ａｃｃｅｓｓ  Ｍｅｍｏｒｙ、ＲＡＭ）、または、情報および命令を記憶できる別のタイプの動的記憶デバイスであってもよいし、電気消去可能プログラマブルリードオンリメモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）、コンパクトディスク・リードオンリメモリ（Ｃｏｍｐａｃｔ  Ｄｉｓｃ  Ｒｅａｄ−Ｏｎｌｙ  Ｍｅｍｏｒｙ、ＣＤ−ＲＯＭ）、または、他のコンパクトディスク記憶装置もしくは光ディスク記憶装置（圧縮型光ディスク、レーザディスク、光ディスク、デジタル多用途ディスク、Ｂｌｕｅ−ｒａｙ（登録商標）光ディスク、および同様のものを含む）、磁気ディスク記憶媒体もしくは別の磁気記憶デバイス、または、予測されるプログラムコードを命令またはデータ構造の形態で保持または記憶でき、かつ、コンピュータからアクセスできる、任意の他の媒体であってもよいが、これらに限定されるわけではない。メモリ２２は独立して存在してよく、通信バス２４によりプロセッサ２１に接続される。メモリ２２はプロセッサ２１と統合されてもよい。
【０１１０】
メモリ２２は、本願の解決策を実行するために使用されるソフトウェアプログラムを記憶するように構成され、ソフトウェアプログラムは、プロセッサ２１の制御下で実行される。
【０１１１】
通信インタフェース２３は、任意の送受信機を使用する装置の一種であり、別のデバイス、または通信ネットワーク、例えば、イーサネット（登録商標）、無線アクセスネットワーク（ｒａｄｉｏ  ａｃｃｅｓｓ  ｎｅｔｗｏｒｋ、ＲＡＮ）、もしくは無線ローカルエリアネットワーク（Ｗｉｒｅｌｅｓｓ  Ｌｏｃａｌ  Ａｒｅａ  Ｎｅｔｗｏｒｋｓ、ＷＬＡＮ）と通信するように構成される。通信インタフェース２３は、受信機能を実装するための受信ユニットと、送信機能を実装するための送信ユニットとを含んでよい。
【０１１２】
通信バス２４は、業界標準アーキテクチャ（Ｉｎｄｕｓｔｒｙ  Ｓｔａｎｄａｒｄ  Ａｒｃｈｉｔｅｃｔｕｒｅ、ＩＳＡ）バス、ペリフェラルコンポーネントインターコネクト（Ｐｅｒｉｐｈｅｒａｌ  Ｃｏｍｐｏｎｅｎｔ、ＰＣＩ）バス、拡張型業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ、ＥＩＳＡ）バス、または同様のものであってよい。バスは、アドレスバス、データバス、制御バス、または同様のものとして分類されてよい。示しやすくするため、図３のバスは単なる太線で示されている。ただし、これは、１つのバスまたは１種類のバスしか存在しないことを意味するわけではない。
【０１１３】
図３に示すデバイスの構造が、機能エイリアス管理エンティティに対して制限を設けるわけではない。含まれるコンポーネントの数は、図に示すものより多くても少なくてもよい、または、幾つかのコンポーネントが組み合わされる、または、コンポーネントの配置が異なる。
【０１１４】
なお、本願のこの実施形態により提供されるエイリアス管理方法は、エイリアスの登録、有効化、無効化、および引き継ぎなどの管理操作に適用されてよい。当業者が理解しやすいよう、以下の実施形態を使用することにより、エイリアス管理方法について具体的に説明する。
【０１１５】
図４から図７は、本願の実施形態に係るエイリアス管理方法のフローチャートである。図４は、本願の実施形態に係る、エイリアスの登録を要求するためのエイリアス管理方法である。図４に示す通り、方法は以下の段階を含んでよい。
【０１１６】
３０１：機能エイリアス管理エンティティが、第１クライアントにより送信された登録要求メッセージを受信する。
【０１１７】
登録要求メッセージは、ユーザ（ｕｓｅｒ）のアイデンティティと、登録を要求されたエイリアスの名前（ｎａｍｅ）とを含んでよい。登録要求メッセージは、エイリアスの登録を要求するために使用される。
【０１１８】
ユーザは、第１クライアントを使用するユーザである。
【０１１９】
なお、ユーザは承認済みユーザであってよい。具体的に言うと、ユーザにはエイリアス登録権があり、さもなければ、その後の承認検査で承認検査が失敗し、登録手順が終了される。
【０１２０】
ユーザのアイデンティティは、ユーザを一意的に特定するための、文字および／または数字および／または特殊文字の任意の組み合わせである。例えば、ユーザのアイデンティティは、ＭＣ  ｓｅｒｖｉｃｅ  ＩＤ、ＭＣＰＴＴ  ＩＤ、ＭＣＶｉｄｅｏ  ＩＤ、またはＭＣＤａｔａ  ＩＤである。
【０１２１】
例えば、ユーザが新規エイリアスを登録する必要があるときに、ユーザにより使用される第１クライアントは、ユーザのアイデンティティと、登録を要求されたエイリアスの名前とを保持する登録要求メッセージを機能エイリアス管理エンティティに送信して、エイリアスの登録を要求してよい。
【０１２２】
なお、第１クライアントは、機能エイリアス管理エンティティに登録要求メッセージを直接送信してもよいし、別の機能エンティティを使用することにより、機能エイリアス管理エンティティに登録要求メッセージを間接的に送信してもよい。言い換えると、機能エイリアス管理エンティティは、第１クライアントにより送信された登録要求メッセージを直接受信してもよいし、第１クライアントにより送信された登録要求メッセージを間接的に受信してもよい。これは、ここでは特に限定されない。
【０１２３】
ある特定の実装では、登録要求メッセージがユーザの１または複数のアイデンティティを保持してよい。異なるアイデンティティが、異なるサービスタイプ、例えば、ＭＣＰＴＴサービス、ＭＣＤａｔａサービス、およびＭＣＶｉｄｅｏサービスなどの基本サービスタイプ、並びに、鉄道アプリケーションおよび企業アプリケーションなどの他のサービスタイプに対応する。登録要求メッセージが、登録を要求された１または複数のエイリアスの名前を保持してもよい。登録要求メッセージが登録を要求された複数のエイリアスの名前を保持するときに、第１クライアントは、１つの登録要求メッセージを送信することにより、複数のエイリアスの登録を要求してよい。
【０１２４】
更に、登録要求メッセージは、登録を要求されたエイリアスのサービスタイプ、登録を要求されたエイリアスの属性（ａｔｔｒｉｂｕｔｅ）、登録を要求されたエイリアスの適用範囲（ａｐｐｌｙ  ｓｃｏｐｅ）、および、登録を要求されたエイリアスの有効時間（ｖａｌｉｄ  ｔｉｍｅ）のうちの少なくとも１つを含んでよい。
【０１２５】
エイリアスのサービスタイプは、エイリアスが適用可能であるサービスタイプ、例えば、ＭＣＰＴＴサービス、ＭＣＶｉｄｅｏサービス、ＭＣＤａｔａサービス、および鉄道アプリケーションサービスを特定するために使用される。概して、エイリアスのサービスタイプ、および、ユーザのアイデンティティに対応するサービスタイプは同じであるが、異なっていてもよい。
【０１２６】
エイリアスの属性は、複数のユーザが同時に有効化を実施できるかどうかに関する指示、同時に有効化を実施できるユーザの最大数、および、引き継ぎが許可されるかどうかに関する指示のうちの少なくとも１つ、または、これらの組み合わせを含んでよい。
【０１２７】
エイリアスの適用範囲は、例えば、ユーザがエイリアスを有効化できる、エイリアスの適用範囲を特定するために使用される。ある特定の実装では、エイリアスの適用範囲は、ユーザリスト（ｕｓｅｒ  ｌｉｓｔ）であってもよいし、ユーザ役割リスト（ｕｓｅｒ  ｒｏｌｅ  ｌｉｓｔ）、例えば、列車の運転士または列車の車掌であってもよい。当然ながら、登録要求メッセージがエイリアスの適用範囲パラメータを含まないときに、それは、エイリアスが要求者自身にのみ適用可能であることを示してもよいし、エイリアスがシステム内の全てのユーザに適用可能であることを示してもよい。このパラメータがないときは、特定の適用範囲がシステムオペレータにより指定されてよい。
【０１２８】
エイリアスの有効時間は、エイリアスの有効時間を特定するために使用される。ある特定の実装では、エイリアスの有効時間は、タイマを使用することにより実装されてもよいし、非常に長い時間であってもよい。すなわち、永久的に有効である。登録要求メッセージがエイリアスの有効時間パラメータを含まないときに、それは、エイリアスの有効時間が非常に長い、すなわち、永久的に有効であることを示してよい。
【０１２９】
例えば、エイリアスの名前、エイリアスのアイデンティティ、エイリアスの属性、エイリアスのサービスタイプ、エイリアスの適用範囲、およびエイリアスの有効時間の具体的な例を表１に示す。
【表１】
2020526983.tif 000003
【０１３０】
エイリアスの名前は、ユーザが容易に認識、理解、および記憶する文字、漢字、数字、特殊文字、および同様のものの任意の組み合わせ、例えば、表１における列車Ｇ２０の一等運転士であってよい。
【０１３１】
エイリアスのアイデンティティは、エイリアスの名前、または、特定の形式の数字および／または文字および／または特殊記号の組み合わせであってもよい。例えば、エイリアスのアイデンティティは、国際コード、機能アドレス、および機能コードを含んでよく、国際コードは、現在ユーザが加入しているネットワーク、例えば、中国０８６またはフランス０３３を示すために使用される。機能アドレスは、発呼タイプおよびユーザ番号を含む。発呼タイプはプレフィックスであり、異なるタイプのユーザ番号を区別するために使用される。ネットワークの場合は、発呼タイプは、受信された番号を解釈する方法、例えば、その番号が列車番号、または制御室番号、またはエンジン番号に対応しているとみなす方法に関する指示でもある。機能コードは、機能アドレスと関連付けられる役割を示す。エイリアスのアイデンティティは、ユーザと通信し、かつ、ユーザをアドレス指定するために使用されてよい。例えば、エイリアスのアイデンティティ＝国際コード＋機能アドレス（発呼タイプ＋ユーザ番号）＋機能コード＝０４９＋２＋０２７９＋０１である。国際コード＝０４９（０４９はドイツを表わす）、発呼タイプ＝２（２は列車を表わす）、ユーザ番号＝０２７９（０２７９は列車番号を表わす）、機能コード＝０１（０１は一等運転士を表わす）である。
【０１３２】
３０２：機能エイリアス管理エンティティは、ユーザにエイリアス登録権があるときに、第１クライアントに登録応答メッセージを送信する。
【０１３３】
登録応答メッセージは、ユーザのアイデンティティと、成功裏に登録されるエイリアスの名前と、成功裏に登録されるエイリアスのアイデンティティ（ｉｄｅｎｔｉｆｙ、ＩＤ）とを含んでよい。
【０１３４】
例えば、登録応答メッセージを受信した後、第１クライアントがエイリアスを使用する必要があるときに、第１クライアントは、成功裏に登録されるエイリアスを有効化してよく、その結果、第１クライアントを使用するユーザは、成功裏に有効化されるエイリアスのアイデンティティに基づいてアドレス指定され得る。
【０１３５】
なお、エイリアスの名前がシステム全体で一意的であるときに、エイリアスの名前はエイリアスのアイデンティティとして使用されてよい、または、システム全体で一意的であり、かつ、エイリアスを特定できる、アイデンティティがエイリアスに割り当てられてよい。
【０１３６】
登録を要求されたエイリアスの名前が登録されないときに、成功裏に登録されるエイリアスは、登録を要求されたエイリアスであってよい。
【０１３７】
例えば、登録を要求されたエイリアスの数が１であり、かつ、登録を要求されたエイリアスが登録されないときに、機能エイリアス管理エンティティは、ユーザのためにエイリアスを登録し、この場合、登録を要求されたエイリアスは、成功裏に登録されるエイリアスである、または、登録を要求されたエイリアスの数が１より多く、かつ、登録を要求されたエイリアスの中に少なくとも１つの未登録エイリアスが存在するときに、機能エイリアス管理エンティティは、ユーザのために少なくとも１つのエイリアスを有効化し、この場合、少なくとも１つの未登録エイリアスは、成功裏に登録されるエイリアスである。
【０１３８】
更に、登録応答メッセージは、成功裏に登録されるエイリアスのサービスタイプを更に含んでよい。
【０１３９】
成功裏に登録されるエイリアスのアイデンティティが、システムによりエイリアスに予め割り当てられてよい。具体的に言うと、エイリアスの名前とエイリアスのアイデンティティとの対応関係が、機能エイリアス管理エンティティに予め記憶される。エイリアスのアイデンティティは代替的に、機能エイリアス管理エンティティによりエイリアスに割り当てられてよく、例えば、ユーザにエイリアス登録権があると機能エイリアス管理エンティティが判断したときに割り当てられてよく、その結果、ユーザは、エイリアスのアイデンティティに基づいてアドレス指定される。
【０１４０】
段階３０２では、機能エイリアス管理エンティティは、以下の方式で、ユーザにエイリアス登録権があると判断してよいが、これは限定されない。
【０１４１】
第１の考えられる実装では、ユーザの属性は、ユーザにエイリアス登録権があるかどうかであり、ユーザの属性とアイデンティティとの間には対応関係が存在する。登録要求メッセージを受信した後、機能エイリアス管理エンティティは、登録要求メッセージに保持されるユーザのアイデンティティに基づいて、ユーザにエイリアス登録権があるかどうかを認識してよい。
【０１４２】
第２の考えられる実装では、段階３０２の前に、方法は、機能エイリアス管理エンティティがユーザの承認検査を実施し得る段階を更に含んでよい。
【０１４３】
具体的に言うと、段階３０２の前に、方法は、機能エイリアス管理エンティティが、ユーザのアイデンティティに基づいてエイリアス権利関連情報を取得し、そのエイリアス権利関連情報に基づいて、ユーザにエイリアス登録権があるかどうかを判断する段階を更に含んでよい。エイリアス権利関連情報は、ユーザの加入情報であってもよいし、機能エイリアス管理エンティティによりローカルに記憶されるポリシ情報であってもよい。
【０１４４】
考えられる特定の実装では、機能エイリアス管理エンティティは、ユーザのアイデンティティに基づいてユーザの加入情報を取得し、ユーザの加入情報は指示情報を含み、指示情報は、ユーザにエイリアス登録権があるかどうかを示すために使用される。機能エイリアス管理エンティティは、ユーザの加入情報に基づいて、ユーザにエイリアス登録権があるかどうかを判断してよい。加入情報に含まれる指示情報が、ユーザにエイリアス登録権があることを示すために使用されるときに、機能エイリアス管理エンティティは、ユーザにエイリアス登録権があると判断してよい、または、加入情報に含まれる指示情報が、ユーザにエイリアス登録権がないことを示すために使用されるときに、機能エイリアス管理エンティティは、ユーザにエイリアス登録権がないと判断してよい。
【０１４５】
例えば、加入情報では、ユーザにエイリアス登録権があるかどうかを示すために１ビットが使用されてよい。例えば、「１」はユーザにエイリアス登録権があることを示し、「０」はユーザにエイリアス登録権がないことを示す。加えて、加入情報は、ユーザにエイリアス登録権があるかどうかを示すだけでなく、ユーザにエイリアス登録権があるときに、どのエイリアス（１または複数のエイリアス）に対するエイリアス登録権がユーザにあるのかも示してよい。例えば、加入情報では、ユーザにエイリアス登録権があることを示すために「１」のみが使用される。この場合、それは、全てのエイリアスに対するエイリアス登録権がユーザにあることを暗示的に示してよい。別の例として、加入情報は、ユーザが登録できるエイリアスのリストのみを含む。この場合、それは、ユーザにエイリアス登録権があり、かつ、エイリアスリスト内のエイリアスのみに対するエイリアス登録権があることを示す。
【０１４６】
別の考えられる特定の実装では、機能エイリアス管理エンティティはポリシ情報を取得し、そのポリシ情報に基づいて、ユーザにエイリアス登録権があるかどうかを判断し、ポリシ情報は、エイリアス登録権があるユーザのアイデンティティを含む。
【０１４７】
具体的に言うと、機能エイリアス管理エンティティは、ローカルに記憶されたポリシ情報を取得してよく、ポリシ情報は、エイリアス登録権がある１または複数のユーザのアイデンティティを含み、次に、機能エイリアス管理エンティティは、登録要求メッセージに含まれるユーザのアイデンティティがポリシ情報に含まれるかどうかを判断することにより、ユーザにエイリアス登録権があるかどうかを判断してよい。ユーザのアイデンティティがポリシ情報に含まれるときに、機能エイリアス管理エンティティは、ユーザにエイリアス登録権があると判断する、または、ユーザのアイデンティティがポリシ情報に含まれないときに、機能エイリアス管理エンティティは、ユーザにエイリアス登録権がないと判断する。
【０１４８】
例えば、どのユーザにエイリアス登録権があるのかを示すべく、ポリシ情報はユーザのアイデンティティのみを含んでよい。当然ながら、ポリシ情報は、どのエイリアス（１または複数のエイリアス）に対するエイリアス登録権がユーザにあるのかを更に示してよい。例えば、ポリシ情報は、エイリアス登録権があるユーザのアイデンティティリストのみを含む。この場合、それは、全てのエイリアスに対するエイリアス登録権がユーザにあることを暗示的に示してよい。別の例として、エイリアスリスト内のエイリアスのみに対するエイリアス登録権がユーザにあることを示すべく、ポリシ情報は、エイリアスのリストと、そのエイリアスに対応し、かつ、エイリアス登録権がある、ユーザのアイデンティティリストとを含む。
【０１４９】
なお、本願のこの実施形態では、ユーザの加入情報、および、機能エイリアス管理エンティティによりローカルに記憶されたポリシ情報の両方に基づいて、ユーザの承認検査が更に実施されてよい。
【０１５０】
第３の考えられる実装では、段階３０２の前に、方法は、機能エイリアス管理エンティティが、ユーザの承認検査を実施し、登録を要求されたエイリアスが登録されていないかどうかを判断し得る段階を更に含んでよい。
【０１５１】
具体的に言うと、段階３０２の前に、方法は、登録を要求されたエイリアスの数が１であるときに、機能エイリアス管理エンティティが、ユーザの承認検査を実施し、登録を要求されたエイリアスが登録されていないかどうかを判断する段階を更に含んでよい。
【０１５２】
例えば、ユーザの承認検査が成功し、かつ、登録を要求されたエイリアスが登録されない場合は、段階３０２が実施される、または、登録を要求されたエイリアスの名前の数が１より多いときに、機能エイリアス管理エンティティは、ユーザの承認検査を実施し、登録を要求されたエイリアスの中に少なくとも１つの未登録エイリアスが存在するかどうかを判断し、もし、ユーザの承認検査が成功し、かつ、登録を要求されたエイリアスの中に少なくとも１つの未登録エイリアスが存在する場合は、段階３０２が実施される。
【０１５３】
なお、承認検査と、登録を要求されたエイリアスが登録されていないかどうかを判断する段階との間の実行順序はランダムであり、ここでは特に限定されない。加えて、第３実装においてユーザの承認検査を実施する特定の実装は、第２実装におけるものと同様であり、ここでは改めて説明しない。
【０１５４】
加えて、ユーザの加入情報またはポリシ情報が、ユーザにエイリアス登録権があるかどうかを示すだけでなく、どのエイリアスに対するエイリアス登録権がユーザにあるのかも示す場合は、登録を要求されたエイリアスに対するエイリアス登録権がユーザにあり、かつ、登録を要求されたエイリアスが登録されていないと判断したときに、機能エイリアス管理エンティティは段階３０２を実施する、または、登録を要求されたエイリアスに対するエイリアス登録権がユーザにないか、または、登録を要求されたエイリアスが既に登録されていると機能エイリアス管理エンティティが判断したときに、それは、登録を要求されたエイリアスを登録できないことを示し、この場合は、失敗応答メッセージが第１クライアントに返されてよい。
【０１５５】
本願のこの実施形態により提供されるエイリアス管理方法では、機能エイリアス管理エンティティは、第１クライアントにより送信され、かつ、ユーザのアイデンティティと、登録を要求されたエイリアスの名前とを含む、登録要求メッセージを受信し、ユーザにエイリアス登録権があるときに、機能エイリアス管理エンティティは、ユーザのアイデンティティと、成功裏に登録されるエイリアスの名前と、成功裏に登録されるエイリアスのアイデンティティとを含む登録応答メッセージを第１クライアントに送信する。機能エイリアス管理エンティティが、第１クライアントにより送信された登録要求メッセージを受信した後、エイリアスの登録を要求する要求者にエイリアス登録権があると判断したときに、機能エイリアス管理エンティティは、それに応じて、エイリアスが構成されるユーザ構成ファイルを処理することなく、要求者のアイデンティティと、成功裏に登録されるエイリアスの名前と、成功裏に登録されるエイリアスのアイデンティティとを含む登録応答メッセージを第１クライアントに返す。故に、エイリアス登録を実装することができ、エイリアス管理効率が低く、システム処理負荷が重いという問題が解決される。加えて、登録を要求されたエイリアスは、サービスタイプとの結び付き関係を有さず、柔軟に操作され得る。
【０１５６】
オプションとして、上述の実施形態の実装シナリオでは、段階３０２で機能エイリアス管理エンティティが第１クライアントに登録応答メッセージを送信する前に、方法は、登録を要求されたエイリアスの名前が登録されないときに、機能エイリアス管理エンティティが、登録を要求されたエイリアスにアイデンティティを割り当てる段階を更に含む。
【０１５７】
例えば、登録を要求されたエイリアスの名前が登録されないときに、機能エイリアス管理エンティティは、登録を要求されたエイリアスに対するアイデンティティを生成し、そのアイデンティティを、登録を要求されたエイリアスに割り当ててよい。登録を要求されたエイリアスに対するアイデンティティを生成するときに、機能エイリアス管理エンティティは、アイデンティティの構成に基づいてアイデンティティを生成してよい。例えば、エイリアスのアイデンティティは、国際コード、機能アドレス、および機能コードという３つの部分を含む。なお、国際コード、機能アドレス、および機能コードに関する説明については、段階３０１の説明を参照されたい。詳細についてはここで改めて説明しない。
【０１５８】
例えば、登録を要求されたエイリアスの名前の数が１であり、かつ、登録を要求されたエイリアスが登録されないときに、機能エイリアス管理エンティティは、登録を要求されたエイリアスにアイデンティティを割り当てる、または、登録を要求されたエイリアスの名前の数が１より多く、かつ、登録を要求されたエイリアスの中に少なくとも１つの未登録エイリアスが存在するときに、機能エイリアス管理エンティティは、その少なくとも１つの未登録エイリアスにアイデンティティを割り当てる。
【０１５９】
この場合は、段階３０２で成功裏に登録されるエイリアスは、登録を要求されたエイリアスである。
【０１６０】
オプションとして、上述の実施形態の別の実装シナリオでは、段階３０２の後に、方法は、機能エイリアス管理エンティティが第２クライアントに通知メッセージを送信する段階を更に含んでよい。
【０１６１】
通知メッセージは、成功裏に登録されるエイリアスの名前と、成功裏に登録されるエイリアスのアイデンティティとを含んでよい。
【０１６２】
例えば、機能エイリアス管理エンティティは、成功裏に登録されるエイリアスの名前と、成功裏に登録されるエイリアスのアイデンティティとを含む通知メッセージを第２クライアントに送信して、成功裏に登録されるエイリアスをユーザが成功裏に登録することを第２クライアントに通知する。
【０１６３】
第２クライアントは、システム内の全てのユーザにより使用されるクライアントであってもよいし、成功裏に登録されるエイリアスの適用範囲でユーザにより使用されるクライアントであってもよい。適用範囲は、登録要求メッセージに保持されてもよいし、機能エイリアス管理エンティティによりエイリアスに割り当てられてもよい。
【０１６４】
例えば、エイリアスの適用範囲がユーザリストであるときに、機能エイリアス管理エンティティは、ユーザリスト内のユーザにより使用される第２クライアントに通知メッセージを直接送信してよく、エイリアスの適用範囲がユーザ役割リストであるときに、機能エイリアス管理エンティティは、ミッションクリティカルサービス・サーバなどの別の機能エンティティを使用することにより、ユーザ役割リスト内の役割に対応するユーザにより使用される第２クライアントに通知メッセージを送信してよい。
【０１６５】
オプションとして、機能エイリアス管理エンティティがミッションクリティカルサービス・サーバで構成されないときに、機能エイリアス管理エンティティは、成功裏に登録されるエイリアスの名前と、成功裏に登録されるエイリアスのアイデンティティとを含む通知メッセージをミッションクリティカルサービス・サーバに更に送信してよく、その結果、ミッションクリティカルサービス・サーバはその後、成功裏に登録されるエイリアスを認識し、エイリアスを有効化するユーザを更にアドレス指定することができる。
【０１６６】
更に、通知メッセージは、成功裏に登録されるエイリアスのサービスタイプ、成功裏に登録されるエイリアスの属性、成功裏に登録されるエイリアスの適用範囲、および、成功裏に登録されるエイリアスの有効時間のうちの少なくとも１つを更に含んでよい。パラメータは、第１クライアントにより受信されてもよいし、機能エイリアス管理エンティティにより割り当てられてもよい。これは、ここでは特に限定されない。
【０１６７】
上述の実施形態の代替的な解決策では、段階３０２に取って代わる段階が、ユーザにエイリアス登録権がないときに、機能エイリアス管理エンティティが第１クライアントに失敗応答メッセージを返す段階、または、ユーザにエイリアス登録権があり、かつ、登録を要求されたエイリアスの名前が既に登録されているときに、機能エイリアス管理エンティティが第１クライアントに失敗応答メッセージを返す段階を含む。
【０１６８】
更に、失敗応答メッセージは失敗原因を含んでよい。例えば、ユーザにエイリアス登録権がないときに、失敗原因は承認検査が失敗したことにある。承認検査が失敗したという失敗原因を保持する失敗応答メッセージを第１クライアントが受信したときに、第１クライアントは、より高い権利を要求することでエイリアスを登録してよい。別の例として、ユーザにエイリアス登録権があり、かつ、登録を要求されたエイリアスの名前が既に登録されているときに、失敗原因は、登録を要求されたエイリアスの名前が既に登録されていることにある。登録を要求されたエイリアスの名前が既に登録されているという失敗原因を第１クライアントが受信したときに、第１クライアントは、別のエイリアスの登録を要求してよい。
【０１６９】
なお、本願で使用される用語については、複数の異なる実施形態での相互参照がなされてよい。
【０１７０】
図５は、本願の実施形態に係る、エイリアスの有効化を要求するためのエイリアス管理方法である。図５に示す通り、方法は以下の段階を含んでよい。
【０１７１】
４０１：機能エイリアス管理エンティティが、第１クライアントにより送信された有効化要求メッセージを受信する。
【０１７２】
有効化要求メッセージは、ユーザのアイデンティティと、有効化を要求されたエイリアスのアイデンティティとを含んでよい。有効化要求メッセージは、エイリアスの有効化を要求するために使用される。
【０１７３】
ユーザは、第１クライアントを使用するユーザである。
【０１７４】
例えば、ユーザがエイリアスを使用する必要があるときに、ユーザにより使用される第１クライアントは、ユーザのアイデンティティと、有効化を要求されたエイリアスのアイデンティティとを保持する有効化要求メッセージを機能エイリアス管理エンティティに送信して、エイリアスの有効化を要求してよい。
【０１７５】
なお、第１クライアントは、機能エイリアス管理エンティティに有効化要求メッセージを直接送信してもよいし、別の機能エンティティを使用することにより、機能エイリアス管理エンティティに有効化要求メッセージを間接的に送信してもよい。言い換えると、機能エイリアス管理エンティティは、第１クライアントにより送信された有効化要求メッセージを直接受信してもよいし、第１クライアントにより送信された有効化要求メッセージを間接的に受信してもよい。これは、ここでは特に限定されない。
【０１７６】
ある特定の実装では、有効化要求メッセージがユーザの１または複数のアイデンティティを保持してよい。異なるアイデンティティが、異なるサービスタイプ、例えば、ＭＣＰＴＴサービス、ＭＣＤａｔａサービス、およびＭＣＶｉｄｅｏサービスなどの基本サービスタイプ、並びに、鉄道アプリケーションおよび企業アプリケーションなどの他のサービスタイプに対応する。有効化要求メッセージが、有効化を要求された１または複数のエイリアスのアイデンティティを保持してもよい。有効化要求メッセージが有効化を要求された複数のエイリアスのアイデンティティを保持するときに、第１クライアントは、１つの有効化要求メッセージを送信することにより、複数のエイリアスの有効化を要求してよい。
【０１７７】
更に、有効化要求メッセージは、エイリアスのサービスタイプを更に含んでよい。
【０１７８】
４０２：機能エイリアス管理エンティティは、ユーザにエイリアス有効化権があるときに、第１クライアントに有効化応答メッセージを送信する。
【０１７９】
有効化応答メッセージは、ユーザのアイデンティティと、成功裏に有効化されるエイリアスのアイデンティティとを含んでよい。
【０１８０】
例えば、ユーザにエイリアス有効化権があるときに、機能エイリアス管理エンティティは、ユーザのアイデンティティと、成功裏に有効化されるエイリアスのアイデンティティとを保持する有効化応答メッセージを第１クライアントに送信してよく、その結果、第１クライアントを使用するユーザは、成功裏に有効化されるエイリアスのアイデンティティに基づいてアドレス指定され得る。
【０１８１】
更に、登録応答メッセージは、成功裏に有効化されるエイリアスのサービスタイプを更に含んでよい。
【０１８２】
例えば、有効化を要求されたエイリアスが、複数のユーザが同時に有効化できるエイリアスではなく、かつ、有効化を要求されたエイリアスが有効化されないときに、機能エイリアス管理エンティティは、ユーザのためにエイリアスを有効化し、この場合は、有効化を要求されたエイリアスは、成功裏に有効化されるエイリアスである、または、有効化を要求されたエイリアスが、複数のユーザが同時に有効化できるエイリアスであり、かつ、有効化を要求されたエイリアスを成功裏に有効化するユーザの数が０より多くて最大有効化数より少ないときに、機能エイリアス管理エンティティは、ユーザのためにエイリアスを有効化し、この場合は、有効化を要求されたエイリアスは、成功裏に有効化されるエイリアスである、または、有効化を要求されたエイリアスが、複数のユーザが同時に有効化できるエイリアスではないときに、有効化を要求されたエイリアスは有効化されず、有効化を要求されたエイリアスのサービスタイプは、ユーザのアイデンティティに対応するサービスタイプと同じであり、機能エイリアス管理エンティティは、ユーザのためにエイリアスを有効化し、この場合は、有効化を要求されたエイリアスは、成功裏に有効化されるエイリアスである、または、有効化を要求されたエイリアスが、複数のユーザが同時に有効化できるエイリアスであり、有効化を要求されたエイリアスを成功裏に有効化するユーザの数が０より多くて最大有効化数より少なく、かつ、有効化を要求されたエイリアスのサービスタイプが、ユーザのアイデンティティに対応するサービスタイプと同じであるときに、機能エイリアス管理エンティティは、ユーザのためにエイリアスを有効化し、この場合は、有効化を要求されたエイリアスは、成功裏に有効化されるエイリアスである。
【０１８３】
段階４０２では、機能エイリアス管理エンティティは、以下の方式で、ユーザにエイリアス有効化権があると判断してよいが、これは限定されない。
【０１８４】
第１の考えられる実装では、ユーザの属性は、ユーザにエイリアス有効化権があるかどうかであり、ユーザの属性とアイデンティティとの間には対応関係が存在する。有効化要求メッセージを受信した後、機能エイリアス管理エンティティは、有効化要求メッセージに保持されるユーザのアイデンティティに基づいて、ユーザにエイリアス有効化権があるかどうかを認識してよい。
【０１８５】
第２の考えられる実装では、段階４０２の前に、方法は、機能エイリアス管理エンティティがユーザの承認検査を実施し得る段階を更に含んでよい。
【０１８６】
具体的に言うと、段階４０２の前に、方法は、機能エイリアス管理エンティティが、ユーザのアイデンティティに基づいてエイリアス権利関連情報を取得し、そのエイリアス権利関連情報に基づいて、ユーザにエイリアス有効化権があるかどうかを判断する段階を更に含んでよい。エイリアス権利関連情報は、ユーザの加入情報であってもよいし、機能エイリアス管理エンティティによりローカルに記憶されるポリシ情報であってもよい。
【０１８７】
考えられる特定の実装では、機能エイリアス管理エンティティは、ユーザのアイデンティティに基づいてユーザの加入情報を取得し、ユーザの加入情報は指示情報を含み、指示情報は、ユーザにエイリアス有効化権があるかどうかを示すために使用される。機能エイリアス管理エンティティは、ユーザの加入情報に基づいて、ユーザにエイリアス有効化権があるかどうかを判断してよい。加入情報に含まれる指示情報が、ユーザにエイリアス有効化権があることを示すために使用されるときに、機能エイリアス管理エンティティは、ユーザにエイリアス有効化権があると判断してよい、または、加入情報に含まれる指示情報が、ユーザにエイリアス有効化権がないことを示すために使用されるときに、機能エイリアス管理エンティティは、ユーザにエイリアス有効化権がないと判断してよい。
【０１８８】
別の考えられる特定の実装では、機能エイリアス管理エンティティはポリシ情報を取得し、そのポリシ情報およびユーザのアイデンティティに基づいて、ユーザにエイリアス有効化権があるかどうかを判断し、ポリシ情報は、エイリアス有効化権があるユーザのアイデンティティを含む。ユーザのアイデンティティがポリシ情報に含まれるときに、機能エイリアス管理エンティティは、ユーザにエイリアス有効化権があると判断する、または、ユーザのアイデンティティがポリシ情報に含まれないときに、機能エイリアス管理エンティティは、ユーザにエイリアス有効化権がないと判断する。
【０１８９】
なお、本願のこの実施形態では、ユーザの加入情報、および、機能エイリアス管理エンティティによりローカルに記憶されたポリシ情報の両方に基づいて、ユーザの承認検査が更に実施されてよい。
【０１９０】
第３の考えられる実装では、段階４０２の前に、方法は、機能エイリアス管理エンティティがユーザの承認検査を実施し得る段階と、承認検査が成功した後に、機能エイリアス管理エンティティが、有効化を要求されたエイリアスが、複数のユーザが同時に有効化できるエイリアスであるかどうかを判断し、有効化を要求されたエイリアスが有効化されていないかどうかを判断し得る段階とを更に含んでよい。
【０１９１】
例えば、有効化を要求されたエイリアスが、複数のユーザが同時に有効化できるエイリアスではなく、かつ、有効化を要求されたエイリアスが有効化されない場合は、段階４０２が実施される、または、有効化を要求されたエイリアスが、複数のユーザが同時に有効化できるエイリアスであり、かつ、有効化を要求されたエイリアスを成功裏に有効化するユーザの数が０より多くて最大有効化数より少ない場合は、段階４０２が実施されてもよい。
【０１９２】
更に、有効化要求メッセージが有効化を要求されたエイリアスのサービスタイプを含むときに、有効化を要求されたエイリアスのサービスタイプが、ユーザのアイデンティティに対応するサービスタイプと同じであることが更に判断されてよい。
【０１９３】
例えば、有効化を要求されたエイリアスが、複数のユーザが同時に有効化できるエイリアスではなく、有効化を要求されたエイリアスが有効化されず、かつ、有効化を要求されたエイリアスのサービスタイプが、ユーザのアイデンティティに対応するサービスタイプと同じである場合は、段階４０２が実施される、または、有効化を要求されたエイリアスが、複数のユーザが同時に有効化できるエイリアスであり、有効化を要求されたエイリアスを成功裏に有効化するユーザの数が０より多くて最大有効化数より少なく、かつ、有効化を要求されたエイリアスのサービスタイプが、ユーザのアイデンティティに対応するサービスタイプと同じである場合は、段階４０２が実施される。
【０１９４】
第３実装においてユーザの承認検査を実施する特定の実装は、第２方式におけるものと同様であり、ここでは改めて説明しない。
【０１９５】
なお、有効化要求メッセージが、有効化を要求された２またはそれより多くのエイリアスのアイデンティティを含むときに、承認検査が成功した後に、上述の判断操作は、有効化を要求された各エイリアスのアイデンティティに対して実施されてよく、上述の判断操作が、有効化を要求された各エイリアスのアイデンティティに対して実施され、かつ、有効化を要求された少なくとも１つのエイリアスが、成功裏に有効化されるエイリアスであるときに、段階４０２が実施される。加えて、有効化を要求されたエイリアスの中に、成功裏に有効化されるエイリアスが存在しない場合は、失敗応答メッセージが第１クライアントに返されてよい。
【０１９６】
例えば、有効化を要求されたエイリアスが、複数のユーザが同時に有効化できるエイリアスであるかどうか、および、有効化を要求されたエイリアスが、複数のユーザが同時に有効化できるエイリアスであるときは、有効化を要求されたエイリアスの属性に、有効化を実施できる最大有効化数が含まれる。加えて、機能エイリアス管理エンティティは、現時点でエイリアスを有効化しているユーザの数を把握すべく、有効化しているユーザの情報を動的にローカルに維持してよい、例えば、有効化しているユーザのリストをローカルに記憶してよい。例えば、表２に示す通り、アイデンティティがｘｘｘであるエイリアスを成功裏に有効化するユーザのアイデンティティは、ｕｓｅｒ  ｓｅｒｖｉｃｅ  ＩＤ１、ｕｓｅｒ  ｓｅｒｖｉｃｅ  ＩＤ２、およびｕｓｅｒ  ｓｅｒｖｉｃｅ  ＩＤ３であり、アイデンティティがｙｙｙであるエイリアスを成功裏に有効化するユーザのアイデンティティは、ｕｓｅｒ  ｓｅｒｖｉｃｅ  ＩＤ７、ｕｓｅｒ  ｓｅｒｖｉｃｅ  ＩＤ９、およびｕｓｅｒ  ｓｅｒｖｉｃｅ  ＩＤ１０である。
【表２】
2020526983.tif 000004
【０１９７】
本願のこの実施形態により提供されるエイリアス管理方法では、機能エイリアス管理エンティティは、第１クライアントにより送信され、かつ、ユーザのアイデンティティと、有効化を要求されたエイリアスのアイデンティティとを含む、有効化要求メッセージを受信し、ユーザにエイリアス有効化権があるときに、機能エイリアス管理エンティティは、ユーザのアイデンティティと、成功裏に有効化されるエイリアスのアイデンティティとを含む有効化応答メッセージを第１クライアントに送信する。第１クライアントにより送信された有効化要求メッセージを機能エイリアス管理エンティティが受信した後、エイリアスの有効化を要求する要求者にエイリアス有効化権があると判断したときに、機能エイリアス管理エンティティは、それに応じて、エイリアスが構成されるユーザ構成ファイルを処理することなく、要求者のアイデンティティと、成功裏に有効化されるエイリアスのアイデンティティとを含む有効化応答メッセージを第１クライアントに返す。故に、エイリアス有効化を実装することができ、エイリアス管理効率が低く、システム処理負荷が重いという問題が解決される。加えて、有効化を要求されたエイリアスはユーザ構成ファイルと結び付けられないので、エイリアスの有効化とユーザ構成ファイルの有効化との間に必要な関係は存在せず、エイリアス操作の柔軟性が高まる。
【０１９８】
オプションとして、上述の実施形態の実装シナリオでは、段階４０２の後に、方法は、機能エイリアス管理エンティティが、ユーザのアイデンティティと、成功裏に有効化されるエイリアスとの対応関係を記憶する段階を更に含んでよい。
【０１９９】
具体的に言うと、ユーザにエイリアス有効化権があると機能エイリアス管理エンティティが判断したときに、機能エイリアス管理エンティティは、ユーザのアイデンティティと、成功裏に有効化されるエイリアスとの対応関係を更に記憶してよく、このことは、ユーザがエイリアスを成功裏に有効化することを示す。例えば、機能エイリアス管理エンティティは、エイリアスに対応する有効化しているユーザの情報にユーザのアイデンティティを記憶してよい。例えば、ユーザが有効化を要求するエイリアスのアイデンティティはｘｘｘであり、ユーザのアイデンティティはｕｓｅｒ  ｓｅｒｖｉｃｅ  ＩＤ４であり、機能エイリアス管理エンティティは、有効化を要求されたエイリアスが成功裏に有効化されるときに、ユーザのアイデンティティｕｓｅｒ  ｓｅｒｖｉｃｅ  ＩＤ４を、表２に示す有効化リスト内の対応する位置に追加してよい。
【０２００】
オプションとして、上述の実施形態の別の実装シナリオでは、段階４０２の後に、方法は、機能エイリアス管理エンティティが第２クライアントに通知メッセージを送信する段階を更に含んでよい。
【０２０１】
具体的に言うと、有効化を要求されたエイリアスが成功裏に有効化され、かつ、別のユーザもエイリアスを同時に成功裏に有効化したときに、機能エイリアス管理エンティティは、第２クライアントに通知メッセージを送信して、ユーザがエイリアスを成功裏に有効化することを第２クライアントに通知してよく、ユーザを更にアドレス指定してよい。
【０２０２】
第２クライアントは、エイリアスを成功裏に有効化するユーザにより使用されるクライアントであってよい。エイリアスを成功裏に有効化するユーザは、エイリアスを有効化する状態を現在も依然として保っているユーザであってよく、前にエイリアスを有効化し、その後エイリアスを無効化したユーザではない。例えば、第２クライアントは、エイリアスに対応する有効化しているユーザの情報に含まれる別のユーザのアイデンティティに対応するユーザにより使用されるクライアントであってよい。
【０２０３】
更に、機能エイリアス管理エンティティがミッションクリティカルサービス・サーバで構成されないときに、機能エイリアス管理エンティティは、ミッションクリティカルサービス・サーバに有効化通知メッセージを送信してよい。
【０２０４】
有効化通知メッセージは、成功裏に有効化されるエイリアスのアイデンティティと、ユーザのアイデンティティとを含んでよく、成功裏に有効化されるエイリアスのアイデンティティと、ユーザのアイデンティティとの間には対応関係が存在し、その結果、ミッションクリティカルサービス・サーバは、メッセージをルーティングし、その後ユーザをアドレス指定することができる。
【０２０５】
機能エイリアス管理エンティティが機能エイリアス管理サーバで構成されないときに、機能エイリアス管理エンティティは、機能エイリアス管理サーバに有効化通知メッセージを送信してよく、その結果、エイリアス管理サーバは、受信された有効化通知メッセージに基づいてエイリアス情報を維持および更新する。有効化通知メッセージは、機能エイリアス管理エンティティがミッションクリティカルサービス・サーバで構成されないときに、機能エイリアス管理エンティティによりミッションクリティカルサービス・サーバに送信される有効化通知メッセージと同様であり、ここでは改めて説明しない。
【０２０６】
上述の実施形態の代替的な解決策では、段階４０２に取って代わって以下の段階が使用される。
【０２０７】
ユーザにエイリアス有効化権がないときに、機能エイリアス管理エンティティは第１クライアントに失敗応答メッセージを返す、または、ユーザにエイリアス有効化権があり、かつ、有効化を要求されたエイリアスの中に、成功裏に有効化されるエイリアスが存在しないときに、機能エイリアス管理エンティティは第１クライアントに失敗応答メッセージを返す。
【０２０８】
例えば、有効化を要求されたエイリアスが、複数のユーザが同時に有効化できるエイリアスではなく、かつ、有効化を要求されたエイリアスが既に有効化されているときに、有効化を要求されたエイリアスは、成功裏に有効化されないエイリアスである。
【０２０９】
更に、失敗応答メッセージは失敗原因を含んでよい。例えば、ユーザにエイリアス有効化権がないときに、失敗原因は承認検査が失敗したことにある。承認検査が失敗したという失敗原因を保持する失敗応答メッセージを第１クライアントが受信したときに、第１クライアントは、より高い権利を要求することでエイリアスを有効化してよい。別の例として、ユーザにエイリアス有効化権があり、有効化を要求されたエイリアスが、複数のユーザが同時に有効化できるエイリアスではなく、かつ、有効化を要求されたエイリアスが既に有効化されているときに、失敗原因は、有効化を要求されたエイリアスが、複数のユーザが同時に有効化できるエイリアスではないこと、および、有効化を要求されたエイリアスが既に有効化されていることにある。有効化を要求されたエイリアスが、複数のユーザが同時に有効化できるエイリアスではなく、かつ、有効化を要求されたエイリアスが既に有効化されているという失敗原因を第１クライアントが受信したときに、第１クライアントは、有効化を要求されたエイリアスの引き継ぎを要求して、エイリアスの有効化を実装してよい。別の例として、ユーザにエイリアス有効化権があり、有効化を要求されたエイリアスが、複数のユーザが同時に有効化できるエイリアスであり、かつ、有効化を要求されたエイリアスを成功裏に有効化するユーザの数が最大有効化数より多いときに、失敗原因は、有効化を要求されたエイリアスを成功裏に有効化するユーザの数が最大有効化数より多いことにある。有効化を要求されたエイリアスを成功裏に有効化するユーザの数が最大有効化数より多いという失敗原因を第１クライアントが受信したときに、第１クライアントは、より高いエイリアス優先権を要求し、有効化を要求されたエイリアスを成功裏に有効化するという目的を更に達成してよい。
【０２１０】
なお、本願のこの実施形態における詳細な説明については、図４に示す実施形態における対応する内容の詳細な説明を参照してよく、それに応じて「登録」が「有効化」に置き換えられている点でのみ違いがある。本願のこの実施形態では詳細について改めて説明しない。
【０２１１】
なお、図５に示す実施形態は、システムにより予め構成されたエイリアスに基づいていてもよいし、図４に示す新たに登録されたエイリアスに基づいていてもよい。ユーザがエイリアスを使用する必要があるときに、ユーザはエイリアスを有効化してよい。
【０２１２】
図６は、本願の実施形態に係る、エイリアスの無効化を要求するためのエイリアス管理方法である。図６に示す通り、方法は以下の段階を含んでよい。
【０２１３】
５０１：機能エイリアス管理エンティティが、第１クライアントにより送信された無効化要求メッセージを受信する。
【０２１４】
無効化要求メッセージは、ユーザのアイデンティティと、無効化を要求されたエイリアスのアイデンティティとを含んでよい。無効化要求メッセージは、エイリアスの無効化を要求するために使用される。
【０２１５】
ユーザは、第１クライアントを使用するユーザである。
【０２１６】
例えば、ユーザがエイリアスを無効化する必要があるときに、ユーザにより使用される第１クライアントは、ユーザのアイデンティティと、無効化を要求されたエイリアスのアイデンティティとを保持する無効化要求メッセージを機能エイリアス管理エンティティに送信して、エイリアスの無効化を要求してよい。
【０２１７】
ある特定の実装では、無効化要求メッセージがユーザの１または複数のアイデンティティを保持してよい。無効化要求メッセージが、無効化を要求された１または複数のエイリアスのアイデンティティを保持してもよい。更に、無効化要求メッセージは、無効化を要求されたエイリアスのサービスタイプを更に含んでよい。
【０２１８】
５０２：機能エイリアス管理エンティティは、ユーザにエイリアス無効化権があるときに、第１クライアントに無効化応答メッセージを送信する。
【０２１９】
無効化応答メッセージは、ユーザのアイデンティティと、成功裏に無効化されるエイリアスのアイデンティティとを含んでよい。
【０２２０】
例えば、無効化要求メッセージが、無効化を要求された複数のエイリアスのアイデンティティを含むときに、無効化応答メッセージは、無効化を要求された複数のエイリアスの中で成功裏に無効化される全てのエイリアスのアイデンティティを含む。  更に、無効化応答メッセージは、成功裏に無効化されるエイリアスのサービスタイプを更に含んでよい。
【０２２１】
例えば、ユーザにエイリアス無効化権があるときに、機能エイリアス管理エンティティは、ユーザのアイデンティティと、成功裏に無効化されるエイリアスのアイデンティティとを保持する無効化応答メッセージを第１クライアントに送信してよく、その結果、無効化を要求されたエイリアスが既に成功裏に無効化されていることを第１クライアントは認識する。
【０２２２】
段階５０２では、機能エイリアス管理エンティティは、以下の方式で、ユーザにエイリアス無効化権があると判断してよいが、これは限定されない。
【０２２３】
第１の考えられる実装では、ユーザの属性は、ユーザにエイリアス無効化権があるかどうかであり、ユーザの属性とアイデンティティとの間には対応関係が存在する。無効化要求メッセージを受信した後、機能エイリアス管理エンティティは、無効化要求メッセージに保持されるユーザのアイデンティティに基づいて、ユーザにエイリアス無効化権があるかどうかを認識してよい。
【０２２４】
第２の考えられる実装では、段階５０２の前に、方法は、機能エイリアス管理エンティティがユーザの承認検査を実施し得る段階を更に含んでよい。
【０２２５】
具体的に言うと、段階５０２の前に、方法は、機能エイリアス管理エンティティが、ユーザのアイデンティティに基づいてエイリアス権利関連情報を取得し、そのエイリアス権利関連情報に基づいて、ユーザにエイリアス無効化権があるかどうかを判断する段階を更に含んでよい。エイリアス権利関連情報は、ユーザの加入情報であってもよいし、機能エイリアス管理エンティティによりローカルに記憶されるポリシ情報であってもよい。
【０２２６】
考えられる実装では、機能エイリアス管理エンティティは、ユーザのアイデンティティに基づいてユーザの加入情報を取得し、ユーザの加入情報は指示情報を含み、指示情報は、ユーザにエイリアス無効化権があるかどうかを示すために使用される。機能エイリアス管理エンティティは、ユーザの加入情報に基づいて、ユーザにエイリアス無効化権があるかどうかを判断してよい。加入情報に含まれる指示情報が、ユーザにエイリアス無効化権があることを示すために使用されるときに、機能エイリアス管理エンティティは、ユーザにエイリアス無効化権があると判断してよい、または、加入情報に含まれる指示情報が、ユーザにエイリアス無効化権がないことを示すために使用されるときに、機能エイリアス管理エンティティは、ユーザにエイリアス無効化権がないと判断してよい。
【０２２７】
別の考えられる特定の実装では、機能エイリアス管理エンティティはポリシ情報を取得し、そのポリシ情報およびユーザのアイデンティティに基づいて、ユーザにエイリアス無効化権があるかどうかを判断し、ポリシ情報は、エイリアス無効化権があるユーザのアイデンティティを含む。ユーザのアイデンティティがポリシ情報に含まれるときに、機能エイリアス管理エンティティは、ユーザにエイリアス無効化権があると判断する、または、ユーザのアイデンティティがポリシ情報に含まれないときに、機能エイリアス管理エンティティは、ユーザにエイリアス無効化権がないと判断する。
【０２２８】
なお、本願のこの実施形態では、ユーザの加入情報、および、機能エイリアス管理エンティティによりローカルに記憶されたポリシ情報の両方に基づいて、ユーザの承認検査が更に実施されてよい。
【０２２９】
第３の考えられる実装では、無効化要求メッセージが、無効化を要求されたエイリアスのサービスタイプを更に含むときに、段階５０２の前に、方法は、機能エイリアス管理エンティティがユーザの承認検査を実施し得る段階と、承認検査が成功した後に、無効化を要求されたエイリアスのサービスタイプが、ユーザのアイデンティティに対応するサービスタイプと同じであるかどうかを機能エイリアス管理エンティティが判断する段階とを更に含んでよい。例えば、無効化を要求されたエイリアスのサービスタイプが、ユーザのアイデンティティに対応するサービスタイプと同じであるときに、無効化を要求されたエイリアスは、成功裏に無効化されるエイリアスである。
【０２３０】
本願のこの実施形態により提供されるエイリアス管理方法では、機能エイリアス管理エンティティは、第１クライアントにより送信され、かつ、ユーザのアイデンティティと、無効化を要求されたエイリアスのアイデンティティとを含む、無効化要求メッセージを受信し、ユーザにエイリアス無効化権があるときに、機能エイリアス管理エンティティは、ユーザのアイデンティティと、成功裏に無効化されるエイリアスのアイデンティティとを含む無効化応答メッセージを第１クライアントに送信する。第１クライアントにより送信された無効化要求メッセージを機能エイリアス管理エンティティが受信した後、エイリアスの無効化を要求する要求者にエイリアス無効化権があると判断したときに、機能エイリアス管理エンティティは、それに応じて、エイリアスが構成されるユーザ構成ファイルを処理することなく、要求者のアイデンティティと、成功裏に無効化されるエイリアスのアイデンティティとを含む無効化応答メッセージを第１クライアントに返す。故に、エイリアス無効化を実装することができ、エイリアス管理効率が低く、システム処理負荷が重いという問題が解決される。
【０２３１】
オプションとして、上述の実施形態の実装シナリオでは、段階５０２の後に、方法は、機能エイリアス管理エンティティが、ユーザのアイデンティティと、成功裏に無効化されるエイリアスのアイデンティティとの対応関係を削除する段階を更に含む。
【０２３２】
具体的に言うと、ユーザにエイリアス無効化権があると機能エイリアス管理エンティティが判断したときに、機能エイリアス管理エンティティは、ユーザのアイデンティティと、成功裏に無効化されるエイリアスのアイデンティティとの対応関係を削除してよい。すなわち、ユーザはエイリアスを成功裏に無効化する。例えば、機能エイリアス管理エンティティは、ユーザのアイデンティティを、成功裏に無効化されるエイリアスに対応する有効化しているユーザの情報から削除してよい。例えば、ユーザが無効化を要求するエイリアスのアイデンティティがｘｘｘであり、かつ、ユーザのアイデンティティがｕｓｅｒ  ｓｅｒｖｉｃｅ  ＩＤ１である場合は、本願の別の実施形態に示す表２のｕｓｅｒ  ｓｅｒｖｉｃｅ  ＩＤ１は削除されてよい。
【０２３３】
オプションとして、上述の実施形態の別の実装シナリオでは、段階５０２の後に、方法は、機能エイリアス管理エンティティが第２クライアントに通知メッセージを送信する段階を更に含む。
【０２３４】
例えば、成功裏に無効化されるエイリアスが別のユーザにより成功裏に無効化されるときに、機能エイリアス管理エンティティは、第２クライアントに通知メッセージを送信して、成功裏に無効化されるエイリアスを、ユーザが成功裏に無効化することを第２クライアントに通知してよい。
【０２３５】
第２クライアントは、成功裏に無効化されるエイリアスを成功裏に有効化する別のユーザにより使用されるクライアントであってよい。成功裏に無効化されるエイリアスを成功裏に有効化するユーザは、エイリアスを有効化する状態を現在も依然として保っているユーザであってよく、前にエイリアスを有効化し、その後エイリアスを無効化したユーザではない。例えば、第２クライアントは、成功裏に無効化されるエイリアスに対応する有効化しているユーザの情報に含まれる別のユーザのアイデンティティに対応するユーザにより使用されるクライアントであってよく、有効化しているユーザの情報は、現時点での有効化しているユーザの情報である。
【０２３６】
更に、機能エイリアス管理エンティティがミッションクリティカルサービス・サーバで構成されないときに、機能エイリアス管理エンティティは、ミッションクリティカルサービス・サーバに無効化通知メッセージを送信してよい。例えば、無効化通知メッセージを受信した後、ミッションクリティカルサービス・サーバは、無効化通知メッセージに基づいて発呼制御および媒体制御を実施してよい。
【０２３７】
無効化通知メッセージは、ユーザのアイデンティティと、成功裏に無効化されるエイリアスのアイデンティティとを含んでよい。成功裏に無効化されるエイリアスのアイデンティティと、ユーザのアイデンティティとの間には対応関係が存在する。
【０２３８】
機能エイリアス管理エンティティが機能エイリアス管理サーバで構成されないときに、機能エイリアス管理エンティティは、機能エイリアス管理サーバに無効化通知メッセージを送信してよく、その結果、エイリアス管理サーバは、受信された無効化通知メッセージに基づいてエイリアス情報を維持および更新する。無効化通知メッセージは、機能エイリアス管理エンティティがミッションクリティカルサービス・サーバで構成されないときに、機能エイリアス管理エンティティによりミッションクリティカルサービス・サーバに送信される無効化通知メッセージと同様であり、ここでは改めて説明しない。
【０２３９】
上述の実施形態の代替的な解決策では、段階５０２に取って代わって以下の段階が使用されてよい。
【０２４０】
ユーザにエイリアス無効化権がないときに、機能エイリアス管理エンティティは第１クライアントに失敗応答メッセージを返す。
【０２４１】
更に、失敗応答メッセージは失敗原因を含んでよい。例えば、ユーザにエイリアス無効化権がないと機能エイリアス管理エンティティが判断したときに、失敗原因は承認検査が失敗したことにある。承認検査が失敗したという失敗原因を保持する失敗応答メッセージを第１クライアントが受信したときに、第１クライアントは、より高い権利を要求することでエイリアスを無効化してよい。別の例として、ユーザにエイリアス無効化権があると機能エイリアス管理エンティティが判断し、かつ、無効化を要求されたエイリアスを無効化できないときに、失敗原因は、無効化を要求されたエイリアスを無効化できないことにある。
【０２４２】
なお、本願のこの実施形態における詳細な説明については、図５に示す実施形態における対応する内容の詳細な説明を参照してよく、「有効化」が「無効化」に置き換えられている点でのみ違いがある。本願のこの実施形態では詳細について改めて説明しない。
【０２４３】
なお、ユーザがエイリアスを無効化する必要があるときは、エイリアスの無効化操作を実施すべく、図６に示す方法が使用されてよい。無効化方法は、図５に示す方法に基づいて実施されてよく、限定されない。
【０２４４】
本願の実施形態では、ユーザがエイリアスを引き継ぐ必要があるときに、エイリアスの引き継ぎ操作が実施されてよい。
【０２４５】
図７は、本願の実施形態に係る、エイリアスの引き継ぎを要求するためのエイリアス管理方法である。図７に示す通り、方法は以下の段階を含んでよい。
【０２４６】
６０１：機能エイリアス管理エンティティが、第１クライアントにより送信された引き継ぎ要求メッセージを受信する。
【０２４７】
引き継ぎ要求メッセージは、ユーザのアイデンティティと、引き継ぎを要求されたエイリアスのアイデンティティとを含んでよい。引き継ぎ要求メッセージは、エイリアスの引き継ぎを要求するために使用される。
【０２４８】
ユーザは、第１クライアントを使用するユーザである。
【０２４９】
例えば、ユーザがエイリアスを引き継ぐ必要があるときに、ユーザにより使用される第１クライアントは、ユーザのアイデンティティと、引き継ぎを要求されたエイリアスのアイデンティティとを保持する引き継ぎ要求メッセージを機能エイリアス管理エンティティに送信して、エイリアスの引き継ぎを要求してよい。
【０２５０】
なお、第１クライアントは、機能エイリアス管理エンティティに引き継ぎ要求メッセージを直接送信してもよいし、別の機能エンティティを使用することにより、機能エイリアス管理エンティティに引き継ぎ要求メッセージを間接的に送信してもよい。言い換えると、機能エイリアス管理エンティティは、第１クライアントにより送信された引き継ぎ要求メッセージを直接受信してもよいし、第１クライアントにより送信された引き継ぎ要求メッセージを間接的に受信してもよい。これは、ここでは特に限定されない。
【０２５１】
ある特定の実装では、引き継ぎ要求メッセージがユーザの１または複数のアイデンティティを保持してよい。異なるアイデンティティが、異なるサービスタイプ、例えば、ＭＣＰＴＴサービス、ＭＣＤａｔａサービス、およびＭＣＶｉｄｅｏサービスなどの基本サービスタイプ、並びに、鉄道アプリケーションおよび企業アプリケーションなどの他のサービスタイプに対応する。引き継ぎ要求メッセージが、引き継ぎを要求された１または複数のエイリアスのアイデンティティを保持してもよい。
【０２５２】
更に、引き継ぎ要求メッセージは、引き継ぎを要求されたエイリアスのサービスタイプを更に含んでよい。
【０２５３】
６０２：機能エイリアス管理エンティティは、ユーザにエイリアス引き継ぎ権があるときに、第１クライアントに引き継ぎ応答メッセージを送信する。
【０２５４】
引き継ぎ応答メッセージは、ユーザのアイデンティティと、成功裏に引き継がれるエイリアスのアイデンティティとを含んでよい。
【０２５５】
例えば、引き継ぎ要求メッセージが、引き継ぎを要求された複数のエイリアスのアイデンティティを含むときに、引き継ぎ応答メッセージは、引き継ぎを要求された複数のエイリアスの中で成功裏に引き継がれる全てのエイリアスのアイデンティティを含む。
【０２５６】
例えば、ユーザにエイリアス引き継ぎ権があるときに、機能エイリアス管理エンティティは、ユーザのアイデンティティと、成功裏に引き継がれるエイリアスのアイデンティティとを保持する引き継ぎ応答メッセージを第１クライアントに送信してよく、その結果、第１クライアントは、引き継ぎを要求されたエイリアスが既に成功裏に引き継がれていることを認識し、その後、成功裏に引き継がれるエイリアスのアイデンティティに基づいて、第１クライアントを使用するユーザをアドレス指定してよい。
【０２５７】
更に、引き継ぎ応答メッセージは、成功裏に引き継がれるエイリアスのサービスタイプを更に含んでよい。
【０２５８】
例えば、引き継ぎを要求されたエイリアスが引き継ぎを許可されたエイリアスであるときに、引き継ぎを要求されたエイリアスは、成功裏に引き継がれるエイリアスである、または、引き継ぎを要求されたエイリアスが、引き継ぎを許可されたエイリアスであり、かつ、引き継ぎを要求されたエイリアスのサービスタイプが、ユーザのアイデンティティに対応するサービスタイプと同じであるときに、引き継ぎを要求されたエイリアスは、成功裏に引き継がれるエイリアスである。
【０２５９】
段階６０２では、機能エイリアス管理エンティティは、以下の方式で、ユーザにエイリアス引き継ぎ権があると判断してよいが、これは限定されない。
【０２６０】
第１の考えられる実装では、ユーザの属性は、ユーザにエイリアス引き継ぎ権があるかどうかであり、ユーザの属性とアイデンティティとの間には対応関係が存在する。引き継ぎ要求メッセージを受信した後、機能エイリアス管理エンティティは、引き継ぎ要求メッセージに保持されるユーザのアイデンティティに基づいて、ユーザにエイリアス引き継ぎ権があるかどうかを認識してよい。
【０２６１】
第２の考えられる実装では、段階６０２の前に、方法は、機能エイリアス管理エンティティがユーザの承認検査を実施し得る段階を更に含む。
【０２６２】
具体的に言うと、段階６０２の前に、方法は、機能エイリアス管理エンティティが、ユーザのアイデンティティに基づいてエイリアス権利関連情報を取得し、そのエイリアス権利関連情報に基づいて、ユーザにエイリアス引き継ぎ権があるかどうかを判断する段階を更に含んでよい。エイリアス権利関連情報は、ユーザの加入情報であってもよいし、機能エイリアス管理エンティティによりローカルに記憶されるポリシ情報であってもよい。
【０２６３】
考えられる特定の実装では、機能エイリアス管理エンティティは、ユーザのアイデンティティに基づいてユーザの加入情報を取得し、ユーザの加入情報は指示情報を含み、指示情報は、ユーザにエイリアス引き継ぎ権があるかどうかを示すために使用される。機能エイリアス管理エンティティは、ユーザの加入情報に基づいて、ユーザにエイリアス引き継ぎ権があるかどうかを判断してよい。加入情報に含まれる指示情報が、ユーザにエイリアス引き継ぎ権があることを示すために使用されるときに、機能エイリアス管理エンティティは、ユーザにエイリアス引き継ぎ権があると判断してよい、または、加入情報に含まれる指示情報が、ユーザにエイリアス引き継ぎ権がないことを示すために使用されるときに、機能エイリアス管理エンティティは、ユーザにエイリアス引き継ぎ権がないと判断してよい。
【０２６４】
別の考えられる特定の実装では、機能エイリアス管理エンティティはポリシ情報を取得し、そのポリシ情報およびユーザのアイデンティティに基づいて、ユーザにエイリアス引き継ぎ権があるかどうかを判断し、ポリシ情報は、エイリアス引き継ぎ権があるユーザのアイデンティティを含む。ユーザのアイデンティティがポリシ情報に含まれるときに、機能エイリアス管理エンティティは、ユーザにエイリアス引き継ぎ権があると判断する、または、ユーザのアイデンティティがポリシ情報に含まれないときに、機能エイリアス管理エンティティは、ユーザにエイリアス引き継ぎ権がないと判断する。
【０２６５】
第３の考えられる実装では、段階６０２の前に、方法は、機能エイリアス管理エンティティがユーザの承認検査を実施し、引き継ぎを要求されたエイリアスが、引き継ぎを許可されたエイリアスであるかどうかを判断する段階を更に含む。
【０２６６】
具体的に言うと、段階６０２の前に、方法は、引き継ぎを要求されたエイリアスのアイデンティティの数が１であるときに、機能エイリアス管理エンティティがユーザの承認検査を実施し、引き継ぎを要求されたエイリアスが、引き継ぎを許可されたエイリアスであるかどうかを判断し、もし、ユーザの承認検査が成功し、かつ、引き継ぎを要求されたエイリアスが、引き継ぎを許可されたエイリアスである場合は、段階６０２を実施する段階、または、登録を要求されたエイリアスのアイデンティティの数が１より多いときに、機能エイリアス管理エンティティがユーザの承認検査を実施し、引き継ぎを要求されたエイリアスの中に、引き継ぎを許可された少なくとも１つのエイリアスが存在するかどうかを判断し、もし、ユーザの承認検査が成功し、かつ、引き継ぎを要求されたエイリアスの中に、引き継ぎを許可された少なくとも１つのエイリアスが存在する場合は、段階６０２を実施する段階を更に含んでよい。
【０２６７】
なお、承認検査と、引き継ぎを要求されたエイリアスが、引き継ぎを許可されたエイリアスであるかどうかを判断する段階との間の実行順序はランダムであり、ここでは特に限定されない。  加えて、第３実装においてユーザの承認検査を実施する特定の実装は、第２実装におけるものと同様であり、ここでは改めて説明しない。
【０２６８】
更に、引き継ぎ要求メッセージが、引き継ぎを要求されたエイリアスのサービスタイプを更に含むときに、機能エイリアス管理エンティティは、引き継ぎを要求されたエイリアスのサービスタイプが、ユーザのアイデンティティに対応するサービスタイプと同じであるかどうかを更に判断してよい。
【０２６９】
例えば、引き継ぎを要求されたエイリアスが、引き継ぎを許可されたエイリアスであり、かつ、引き継ぎを要求されたエイリアスのサービスタイプが、ユーザのアイデンティティに対応するサービスタイプと同じであるときに、段階６０２が実施される。
【０２７０】
なお、引き継ぎ要求メッセージが、引き継ぎを要求された２またはそれより多くのエイリアスのアイデンティティを含むときに、承認検査が成功した後に、上述の判断操作は、引き継ぎを要求された各エイリアスのアイデンティティに対して実施されてよく、上述の判断操作が、引き継ぎを要求された各エイリアスのアイデンティティに対して実施され、かつ、引き継ぎを要求された少なくとも１つのエイリアスが、成功裏に引き継がれるエイリアスであるときに、段階６０２が実施される。加えて、引き継ぎを要求されたエイリアスの中に、成功裏に引き継がれるエイリアスが存在しない場合は、失敗応答メッセージが第１クライアントに返されてよい。
【０２７１】
例えば、引き継ぎを要求されたエイリアスの属性は、引き継ぎを要求されたエイリアスが、引き継ぎを許可されたエイリアスであるかどうかを示すために使用される指示情報を含んでよい。
【０２７２】
本願のこの実施形態により提供されるエイリアス管理方法では、機能エイリアス管理エンティティは、第１クライアントにより送信され、かつ、ユーザのアイデンティティと、引き継ぎを要求されたエイリアスのアイデンティティとを含む、引き継ぎ要求メッセージを受信し、ユーザにエイリアス引き継ぎ権があるときに、機能エイリアス管理エンティティは、ユーザのアイデンティティと、成功裏に引き継がれるエイリアスのアイデンティティとを含む引き継ぎ応答メッセージを第１クライアントに送信する。第１クライアントにより送信された引き継ぎ要求メッセージを機能エイリアス管理エンティティが受信した後、エイリアスの引き継ぎを要求する要求者にエイリアス引き継ぎ権があると判断したときに、機能エイリアス管理エンティティは、それに応じて、エイリアスが構成されるユーザ構成ファイルを処理することなく、要求者のアイデンティティと、成功裏に引き継がれるエイリアスのアイデンティティとを含む引き継ぎ応答メッセージを第１クライアントに返す。故に、エイリアス引き継ぎを実装することができ、エイリアス管理効率が低く、システム処理負荷が重いという問題が解決される。
【０２７３】
オプションとして、上述の実施形態の実装シナリオでは、段階６０２の後に、方法は、機能エイリアス管理エンティティが、成功裏に引き継がれるエイリアスのアイデンティティと、第２クライアントを使用するユーザのアイデンティティとの対応関係を削除する段階を更に含む。
【０２７４】
第２クライアントを使用するユーザは、成功裏に引き継がれるエイリアスを成功裏に有効化するユーザであってよい。
【０２７５】
具体的に言うと、ユーザにエイリアス引き継ぎ権があると機能エイリアス管理エンティティが判断したときに、成功裏に引き継がれるエイリアスが別のユーザにより有効化される（別のユーザにより使用されるクライアントが第２クライアントである）場合は、機能エイリアス管理エンティティは、成功裏に引き継がれるエイリアスのアイデンティティと、ユーザのアイデンティティとの対応関係を削除してよい。例えば、機能エイリアス管理エンティティは、エイリアスを有効化する別のユーザのアイデンティティを、成功裏に引き継がれるエイリアスに対応する有効化しているユーザの情報から削除してよい。加えて、ユーザのアイデンティティと、成功裏に引き継がれるエイリアスとの対応関係は記憶されてよい。加えて、引き継ぎを要求されたエイリアスが有効化されないときは、エイリアスを有効化すべく、図５に示すエイリアス管理方法が実施されてよい。
【０２７６】
例えば、ユーザにエイリアス引き継ぎ権があると機能エイリアス管理エンティティが判断した場合は、成功裏に引き継がれるエイリアスが別のユーザにより有効化されるときに、機能エイリアス管理エンティティは、エイリアスを有効化するユーザのアイデンティティを有効化しているユーザの情報から削除してよい。ユーザは、時間順序に基づいてエイリアスを最も早くまたは最も遅く有効化するユーザ、または、ユーザの優先度に基づいてエイリアスを有効化し、かつ、最も低いユーザ優先度を有する、ユーザであってよい。具体的に言うと、ユーザのアイデンティティは、有効化しているユーザの情報から削除される。具体的に言うと、ユーザの優先度を特定するためにアルゴリズムが使用される。これは本発明では限定されない。
【０２７７】
オプションとして、上述の実施形態の別の実装シナリオでは、段階６０２の後に、方法は、機能エイリアス管理エンティティが第２クライアントに通知メッセージを送信する段階を更に含んでよい。
【０２７８】
通知メッセージは、第１クライアントを使用するユーザが、成功裏に引き継がれるエイリアスを成功裏に引き継ぐことを第２クライアントに通知するために使用される、または、成功裏に引き継がれるエイリアスを無効化するよう第２クライアントに命令するために使用される。例えば、通知メッセージを受信した後、第２クライアントは、成功裏に引き継がれるエイリアスを無効化してよい。
【０２７９】
第２クライアントは、エイリアスを既に有効化しているユーザにより使用されるクライアントであってよい。エイリアスを既に有効化しているユーザは、エイリアスを有効化する状態を現在も依然として保っているユーザであってよく、前にエイリアスを有効化し、その後エイリアスを無効化したユーザではない。
【０２８０】
具体的に言うと、機能エイリアス管理エンティティは、成功裏に引き継がれるエイリアスをユーザが成功裏に引き継ぐことを通知するために使用される通知メッセージ、または、成功裏に引き継がれるエイリアスを無効化するよう第２クライアントに命令するために使用される通知メッセージを第２クライアントに送信し、その結果、第２クライアントは、図６に示すエイリアス管理方法を実施することによりエイリアスを無効化することができる。通知メッセージは、特定の実装において、原因コード（ｃａｕｓｅ  ｃｏｄｅ）であってもよいし、平文の文字列であってもよい。
【０２８１】
更に、機能エイリアス管理エンティティがミッションクリティカルサービス・サーバで構成されないときに、機能エイリアス管理エンティティは、ミッションクリティカルサービス・サーバに引き継ぎ通知メッセージを送信してよい。
【０２８２】
引き継ぎ通知メッセージは、ユーザのアイデンティティと、成功裏に引き継がれるエイリアスのアイデンティティとを含んでよい。成功裏に引き継がれるエイリアスのアイデンティティと、ユーザのアイデンティティとの間には対応関係が存在する。成功裏に引き継がれるエイリアスのアイデンティティに対応するユーザのアイデンティティは、１または複数のユーザのアイデンティティであってよい。
【０２８３】
機能エイリアス管理エンティティがミッションクリティカルサービス・サーバで構成されないときに、機能エイリアス管理エンティティは、ミッションクリティカルサービス・サーバに無効化通知メッセージを更に送信してよい。  無効化通知メッセージは、ユーザのアイデンティティと、成功裏に無効化されるエイリアスのアイデンティティとを含む。
【０２８４】
例えば、引き継ぎ通知メッセージおよび／または無効化通知メッセージを受信した後、ミッションクリティカルサービス・サーバは、対応する発呼制御および媒体制御を実施してよい。
【０２８５】
機能エイリアス管理エンティティが機能エイリアス管理サーバで構成されないときに、機能エイリアス管理エンティティは、機能エイリアス管理サーバに引き継ぎ通知メッセージおよび無効化通知メッセージを送信してよく、その結果、エイリアス管理サーバは、対応するエイリアス情報を維持および更新し、引き継ぎ通知メッセージおよび無効化通知メッセージは、機能エイリアス管理エンティティがミッションクリティカルサービス・サーバで構成されないときに、機能エイリアス管理エンティティによりミッションクリティカルサービス・サーバに送信される引き継ぎ通知メッセージおよび無効化通知メッセージとそれぞれ同様である。詳細についてはここで改めて説明しない。
【０２８６】
なお、これら２つの通知メッセージで送信される特定の内容は、１つのメッセージを使用することにより実装されてよい。例えば、機能エイリアス管理エンティティは、ミッションクリティカルサービス・サーバに通知メッセージを送信し、通知メッセージは、成功裏に引き継がれるエイリアスのアイデンティティと、ユーザのアイデンティティとを含み、成功裏に無効化されるエイリアスのアイデンティティと、ユーザのアイデンティティとを更に含む。当然ながら、どのエイリアスが引き継がれ、かつ、どのエイリアスが無効化されるかを示すために、指示情報が使用されてよい。
【０２８７】
概して、引き継ぎを許可されたエイリアスは、複数のユーザで同時に有効化することができない。ただし、引き継ぎを許可されたエイリアスが、複数のユーザが同時に有効化できるエイリアスであり、かつ、現時点で、引き継ぎを許可されたエイリアスを別のユーザが成功裏に有効化している場合は、全ての他のユーザのエイリアスを引き継ぐか、もしくは、あるユーザのエイリアスを引き継ぐか、および、引き継ぐユーザのエイリアスをいかにして選択するかが実装されてよい、または、オペレータ自身が規則を定めてよい。
【０２８８】
上述の実施形態の代替的な解決策では、以下の段階が段階６０２に取って代わって使用されてよい。
【０２８９】
ユーザにエイリアス引き継ぎ権がないときに、機能エイリアス管理エンティティは第１クライアントに失敗応答メッセージを返す。代替的に、ユーザにエイリアス引き継ぎ権があり、かつ、引き継ぎを要求されたエイリアスが、引き継ぎを許可されていないエイリアスであるときに、機能エイリアス管理エンティティは、第１クライアントに失敗応答メッセージを返す。
【０２９０】
更に、失敗応答メッセージは失敗原因を含んでよい。例えば、ユーザにエイリアス引き継ぎ権がないときに、失敗原因は承認検査が失敗したことにある。承認検査が失敗したという失敗原因を保持する失敗応答メッセージを第１クライアントが受信したときに、第１クライアントは、より高い権利を要求することでエイリアスを引き継いでよい。別の例として、ユーザにエイリアス引き継ぎ権があり、かつ、引き継ぎを要求されたエイリアスが、引き継ぎを許可されていないエイリアスであるときに、失敗原因は、引き継ぎを要求されたエイリアスが、引き継ぎを許可されていないエイリアスであることにある。
【０２９１】
なお、本願のこの実施形態における詳細な説明については、図４に示す実施形態における対応する内容の詳細な説明を参照してよく、「登録」が「引き継ぎ」に置き換えられている点でのみ違いがある。本願のこの実施形態では詳細について改めて説明しない。
【０２９２】
なお、本願の実施形態における有効化通知メッセージ、無効化通知メッセージ、および引き継ぎ通知メッセージは、異なるタイプの通知メッセージを使用することにより区別されてよい。代替的に、同じタイプの通知メッセージが使用されてよいが、この場合は、指示情報を通知メッセージに保持する必要があり、指示情報は、メッセージのタイプを示すために使用される。例えば、通知メッセージのタイプを示すために３ビットが使用されてよい。例えば、「００１」は有効化通知メッセージを示し、「０１０」は無効化通知メッセージを示し、「０１１」は引き継ぎ通知メッセージを示す。例えば、通知メッセージがユーザ１のアイデンティティとエイリアス１のアイデンティティとを含み、かつ、指示情報が００１である場合、それは、ユーザ１がエイリアス１を成功裏に有効化することを通知するために通知メッセージが使用されることを示す。
【０２９３】
図８は、本願の実施形態に係るエイリアスベースのアドレス指定発呼方法のフローチャートである。図８に示す通り、方法は以下の段階を含んでよい。
【０２９４】
７０１：ミッションクリティカルサービス・サーバが、第１クライアントにより送信された発呼要求メッセージを受信する。
【０２９５】
発呼要求メッセージは、発呼ユーザのアイデンティティと、発呼を要求されたエイリアスのアイデンティティとを含む。
【０２９６】
発呼ユーザのアイデンティティは、発呼する第１クライアントに対応するユーザのアイデンティティであってよい。
【０２９７】
発呼を要求されたエイリアスは被呼者のエイリアスであってよく、発呼を要求されたエイリアスは１または複数のユーザにより有効化されてよく、発呼を要求されたエイリアスを有効化する全てのユーザが発呼に参加するよう促される。発呼を要求されたエイリアスのアイデンティティは、エイリアスを一意的に特定できる名前またはアイデンティティである。
【０２９８】
本願のこの実施形態では、エイリアスのアドレス指定および発呼機能を実装すべく、エイリアスのアイデンティティは、グループアイデンティティと同様のドメイン名を含むべきである。
【０２９９】
７０２：ミッションクリティカルサービス・サーバは、発呼ユーザのアイデンティティに基づいて、発呼ユーザにエイリアス発呼権があると判断する。
【０３００】
ミッションクリティカルサービス・サーバは、以下の実装において、発呼ユーザにエイリアス発呼権があると判断してよい。
【０３０１】
方式１：ミッションクリティカルサービス・サーバは、発呼ユーザのアイデンティティに基づいて発呼ユーザの加入情報を取得し、発呼ユーザの加入情報は指示情報を含み、指示情報は、ユーザにエイリアス発呼権があるかどうかを示すために使用される。ミッションクリティカルサービス・サーバは、発呼ユーザの加入情報に基づいて、発呼ユーザにエイリアス発呼権があると判断する。
【０３０２】
例えば、加入情報に含まれる指示情報が、発呼ユーザにエイリアス発呼権があることを示すために使用されるときに、ミッションクリティカルサービス・サーバは、発呼ユーザにエイリアス発呼権があると判断してよい、または、加入情報に含まれる指示情報が、発呼ユーザにエイリアス発呼権がないことを示すために使用されるときに、ミッションクリティカルサービス・サーバは、発呼ユーザにエイリアス発呼権がないと判断してよい。
【０３０３】
方式２：ミッションクリティカルサービス・サーバはポリシ情報を取得し、ポリシ情報は、エイリアス発呼権があるユーザのアイデンティティを含む。ミッションクリティカルサービス・サーバは、ポリシ情報および発呼ユーザのアイデンティティに基づいて、発呼ユーザにエイリアス発呼権があるかどうかを判断する。
【０３０４】
例えば、発呼ユーザのアイデンティティがポリシ情報に含まれるときに、ミッションクリティカルサービス・サーバは、発呼ユーザにエイリアス発呼権があると判断する、または、発呼ユーザのアイデンティティがポリシ情報に含まれないときに、ミッションクリティカルサービス・サーバは、ユーザにエイリアス発呼権がないと判断する。
【０３０５】
方式１および方式２を参照しながら、ユーザの承認検査が更に実施されてよい。
【０３０６】
７０３：ミッションクリティカルサービス・サーバは、発呼を要求されたエイリアスのアイデンティティに対応する有効化しているユーザの情報を機能エイリアス管理エンティティから取得する。
【０３０７】
有効化しているユーザの情報は、発呼を要求されたエイリアスを有効化するユーザのアイデンティティを含む。ミッションクリティカルサービス・サーバは、発呼を要求されたエイリアスのアイデンティティを含む要求メッセージを機能エイリアス管理エンティティに送信してよく、その結果、機能エイリアス管理エンティティは、発呼を要求されたエイリアスのアイデンティティに対応する有効化しているユーザの情報をミッションクリティカルサービス・サーバに返す。例えば、本願の別の実施形態における表２に示す通り、エイリアスのアイデンティティがｘｘｘであるときに、返された有効化しているユーザの情報は、ｕｓｅｒ  ｓｅｒｖｉｃｅ  ＩＤ１、ｕｓｅｒ  ｓｅｒｖｉｃｅ  ＩＤ２、およびｕｓｅｒ  ｓｅｒｖｉｃｅ  ＩＤ３である。
【０３０８】
７０４：ミッションクリティカルサービス・サーバは、発呼を要求されたエイリアスのアイデンティティに対応する有効化しているユーザの情報に基づいて、有効化しているユーザの情報内のユーザに発呼する。
【０３０９】
段階７０３の例によれば、ミッションクリティカルサービス・サーバは、ユーザアイデンティティがｕｓｅｒ  ｓｅｒｖｉｃｅ  ＩＤ１、ｕｓｅｒ  ｓｅｒｖｉｃｅ  ＩＤ２、およびｕｓｅｒ  ｓｅｒｖｉｃｅ  ＩＤ３であるユーザにより使用されるクライアントに発呼してよい。
【０３１０】
例えば、発呼ユーザおよび被呼ユーザが異なるミッションクリティカルサービス・サーバによりサービス提供されるときは、有効化しているユーザの情報内の各被呼ユーザについて、発呼ユーザがミッションクリティカルサービス・サーバ１によりサービス提供され、かつ、被呼ユーザがミッションクリティカルサービス・サーバ２によりサービス提供されると仮定すると、ミッションクリティカルサービス・サーバ１は、ミッションクリティカルサービス・サーバ２に発呼要求メッセージを送信し、発呼要求メッセージは、発呼ユーザのアイデンティティと、被呼ユーザのアイデンティティと、エイリアスのアイデンティティとを含んでよく、次に、ミッションクリティカルサービス・サーバ２は、被呼ユーザにより使用されるクライアントに発呼要求メッセージを送信し、発呼要求メッセージ内のエイリアスのアイデンティティは任意であり、発呼が、エイリアスを使用することによりなされる発呼であることを示すために使用される。被呼ユーザが発呼を受信する場合は、被呼ユーザにより使用されるクライアントは、ミッションクリティカルサービス・サーバ２を使用することによりミッションクリティカルサービス・サーバ１に発呼応答メッセージを送信して、発呼が受け付けられることを示してよい。当然ながら、発呼ユーザおよび被呼ユーザが同じミッションクリティカルサービス・サーバによりサービス提供されるときに、発呼ユーザおよび被呼ユーザの両方がミッションクリティカルサービス・サーバ１によりサービス提供されると仮定すると、ミッションクリティカルサービス・サーバ１は、被呼ユーザにより使用されるクライアントに発呼要求メッセージを直接送信してよい。
【０３１１】
７０５：ミッションクリティカルサービス・サーバは、第１クライアントに発呼応答メッセージを送信する。
【０３１２】
発呼応答メッセージは、発呼ユーザのアイデンティティと、成功裏に発呼されるエイリアスのアイデンティティと、成功裏に発呼され、かつ、成功裏に発呼されるエイリアスのアイデンティティに対応する、ユーザのアイデンティティとを含んでよい。
【０３１３】
本願のこの実施形態により提供されるエイリアスベースのアドレス指定発呼方法では、ミッションクリティカルサービス・サーバは、第１クライアントにより送信された発呼要求メッセージを受信し、発呼要求メッセージは、発呼ユーザのアイデンティティと、発呼を要求されたエイリアスのアイデンティティとを含み、発呼ユーザにエイリアス発呼権があるときに、ミッションクリティカルサービス・サーバは、発呼を要求されたエイリアスに対応する有効化しているユーザの情報に基づいて、発呼を要求されたエイリアスを有効化するユーザに発呼する。第１クライアントにより送信され、かつ、発呼ユーザのアイデンティティと、発呼を要求されたエイリアスのアイデンティティとを含む、発呼要求メッセージを受信した後、ミッションクリティカルサービス・サーバは、発呼ユーザにエイリアス発呼権があると判断し、次に、ミッションクリティカルサービス・サーバは、発呼を要求されたエイリアスに対応し、かつ、エイリアスを有効化する、ユーザに発呼することにより、エイリアスベースのアドレス指定発呼を実装する。
【０３１４】
なお、ユーザがエイリアスベースのアドレス指定発呼をする必要があるときは、図８に示す方法が実施されてよい。方法は、図５に示す方法でエイリアスを有効化することに基づいて実施されてよい。
【０３１５】
以上では、ネットワーク要素間の相互作用の観点から、本願の実施形態により提供される解決策について説明した。各ネットワーク要素、例えば、機能エイリアス管理エンティティまたはクライアントが、上述の機能を実装する各機能を実施するための、対応するハードウェア構造および／またはソフトウェアモジュールを含むことが理解できる。当業者であれば、本願で開示する実施形態との関連で説明されている例におけるアルゴリズム段階が、本願では、ハードウェア、または、ハードウェアとコンピュータソフトウェアとの組み合わせにより実装され得ることが容易に分かるはずである。ある機能がハードウェアによって実施されるか、または、コンピュータソフトウェアにより駆動されるハードウェアによって実施されるかは、技術的解決策の特定の用途および設計上の制約によって決まる。当業者であれば、異なる方法を使用して、説明されている機能を特定の用途ごとに実装できるが、その実装が本願の範囲を超えるものとみなされるべきではない。
【０３１６】
本願の実施形態では、上述の方法の例に従って、機能エイリアス管理エンティティ内の機能モジュールが分割により取得されてよい。例えば、各機能に対応する各機能モジュールが分割により取得されてよい、または、２またはそれより多くの機能が１つの処理モジュールに統合されてよい。統合されたモジュールは、ハードウェアの形態で実装されてもよいし、ソフトウェア機能モジュールの形態で実装されてもよい。なお、本願の実施形態におけるモジュールの分割は例に過ぎず、論理機能の分割に過ぎない。実際の実装では他の分割方式が使用されてよい。
【０３１７】
各機能に対応する各機能モジュールが分割により取得されるときに、図９は、上述の実施形態で使用される機能エイリアス管理エンティティの考えられる概略構成図である。図９に示す通り、機能エイリアス管理エンティティは、受信ユニット８１および送信ユニット８２を含んでよい。
【０３１８】
受信ユニット８１は、図４に示すエイリアス管理方法の段階３０１と、図５に示すエイリアス管理方法の段階４０１と、図６に示すエイリアス管理方法の段階５０１と、図７に示すエイリアス管理方法の段階６０１とを実施する際に機能エイリアス管理エンティティをサポートするように構成される。
【０３１９】
送信ユニット８２は、図４に示すエイリアス管理方法の段階３０２と、図５に示すエイリアス管理方法の段階４０２と、図６に示すエイリアス管理方法の段階５０２と、図７に示すエイリアス管理方法の段階６０２および／または他の送信操作とを実施する際に機能エイリアス管理エンティティをサポートするように構成される。
【０３２０】
本願のこの実施形態では、機能エイリアス管理エンティティは、取得ユニット８３および判断ユニット８４を更に含んでよい。
【０３２１】
取得ユニット８３は、図４から図７に示すエイリアス管理方法で取得操作を実施する際に機能エイリアス管理エンティティをサポートするように構成される。判断ユニット８４は、図４から図７に示すエイリアス管理方法で判断操作および／または判定操作を実施する際に機能エイリアス管理エンティティをサポートするように構成される。
【０３２２】
本願のこの実施形態では、機能エイリアス管理エンティティは、割り当てユニット８５、または記憶ユニット８６、または削除ユニット８７を更に含んでよい。
【０３２３】
割り当てユニット８５は、図４に示すエイリアス管理方法で割り当て操作を実施する際に機能エイリアス管理エンティティをサポートするように構成される。
【０３２４】
記憶ユニット８６は、図５に示すエイリアス管理方法で記憶操作を実施する際に機能エイリアス管理エンティティをサポートするように構成される。
【０３２５】
削除ユニット８７は、図６および図７に示すエイリアス管理方法で削除操作を実施する際に機能エイリアス管理エンティティをサポートするように構成される。
【０３２６】
なお、上述の方法の実施形態で使用される各段階の全ての関連内容が、対応する機能モジュールの機能説明で引用されてよい。詳細についてはここで改めて説明しない。
【０３２７】
本願のこの実施形態により提供される機能エイリアス管理エンティティは、上述のエイリアス管理方法を実施するように構成され、それにより、上述のエイリアス管理方法と同じ効果が得られる。
【０３２８】
統合されたユニットが使用されるときに、図１０は、上述の実施形態で使用される機能エイリアス管理エンティティの別の考えられる概略構成図である。図１０に示す通り、機能エイリアス管理エンティティは、処理モジュール９１および通信モジュール９２を含んでよい。
【０３２９】
処理モジュール９１は、機能エイリアス管理エンティティの動作、および／または、本明細書で説明されている技術の他のプロセスを制御および管理するように構成される。例えば、処理モジュール９１は、図４から図７に示すエイリアス管理方法で取得操作を、図４から図７に示すエイリアス管理方法で判断操作および／または判定操作を、並びに、図４に示すエイリアス管理方法で割り当て操作を実施する際に機能エイリアス管理エンティティをサポートするように構成される。通信モジュール９２は、機能エイリアス管理エンティティと別のネットワークエンティティとの間の通信、例えば、図１および図２に示す機能エンティティまたはネットワークエンティティとの通信をサポートするように構成される。具体的に言うと、例えば、通信モジュール９２は、図４に示すエイリアス管理方法の段階３０１および段階３０２と、図５に示すエイリアス管理方法の段階４０１および段階４０２と、図６に示すエイリアス管理方法の段階５０１および段階５０２と、図７に示すエイリアス管理方法の段階６０１および段階６０２とを実施する際に機能エイリアス管理エンティティをサポートするように構成される。機能エイリアス管理エンティティは、機能エイリアス管理エンティティのプログラムコードおよびデータを記憶するように構成され、かつ、記憶操作を実施する際に機能エイリアス管理エンティティをサポートするように更に構成される、記憶モジュール９３を更に含んでよい。
【０３３０】
処理モジュール９１はプロセッサまたはコントローラであってよい。処理モジュールは、本願で開示する内容との関連で説明されている論理ブロック、モジュール、および回路の様々な例を実装または実行してよい。プロセッサは、計算機能を実装するための組み合わせ、例えば、１または複数のマイクロプロセッサを含む組み合わせ、または、ＤＳＰとマイクロプロセッサとの組み合わせであってもよい。通信モジュール９２は、送受信機、送受信回路、または通信インタフェースであってよい。記憶モジュール９３はメモリであってよい。
【０３３１】
処理モジュール９１がプロセッサであるときに、通信モジュール９２は通信インタフェースであり、記憶モジュール９３はメモリであり、本願のこの実施形態で使用される機能エイリアス管理エンティティは、図３に示す機能エイリアス管理エンティティであってよい。
【０３３２】
加えて、本願の実施形態はチップシステムを更に提供する。チップシステムは、図４から図８の方法のうちの何れか１つでこれらの機能を実装する際に機能エイリアス管理エンティティをサポートするように構成されるプロセッサを含んでよい。更に、オプションとして、チップシステムはメモリを更に含んでよく、メモリは、機能エイリアス管理エンティティにより必要とされるプログラム命令およびデータを記憶するように構成される。
【０３３３】
実装に関する上述の説明によって、当業者は、上述の機能モジュールの分割が、説明を簡便かつ簡潔にする目的で、説明のための例として取り上げられていることを理解できる。実際の適用では、要件に従って上述の機能を複数の異なるモジュールに割り当て、実装することができる。すなわち、上記機能の全てまたは一部を実装すべく、装置の内部構造が複数の異なる機能モジュールに分割される。
【０３３４】
本願で提供される幾つかの実施形態では、開示されている装置および方法が他の方式で実装され得ることを理解されたい。例えば、説明されている装置の実施形態は例に過ぎない。例えば、モジュールまたはユニットの分割は、論理機能の分割に過ぎず、実際の実装では他の分割であってよい。例えば、複数のユニットまたはコンポーネントを組み合わせるか、もしくは統合して、別の装置にしてよい、または、幾つかの特徴を無視してもよいし、実施しなくてもよい。加えて、表示または議論されている相互結合もしくは直接結合、または通信接続は、幾つかのインタフェースを使用することにより実装されてよい。装置間またはユニット間の間接結合または通信接続は、電子的形態、機械的形態、または他の形態で実装されてよい。
【０３３５】
別個の部分として説明されているユニットは、物理的に別個であってもよいし、そうでなくてもよく、ユニットとして表示されている部分は、１または複数の物理的ユニットであってもよいし、１つの場所に配置されてもよいし、複数の異なる場所に分散されてもよい。実施形態の解決策の目的を達成するための実際のニーズに従って、ユニットのうちの幾つかまたは全てが選択されてよい。
【０３３６】
加えて、本願の実施形態における機能ユニットは１つの処理ユニットに統合されてよい、または、これらのユニットの各々が物理的に単独で存在してよい、または、２またはそれより多くのユニットが１つのユニットに統合される。統合されたユニットは、ハードウェアの形態で実装されてもよいし、ソフトウェア機能ユニットの形態で実装されてもよい。
【０３３７】
統合されたユニットがソフトウェア機能ユニットの形態で実装され、かつ、独立した製品として販売または使用されるときに、統合ユニットは可読記憶媒体で記憶されてよい。そのような理解に基づいて、本願の実施形態における技術的解決策は本質的に、ソフトウェア製品の形態で実装されてよい、または、従来技術に寄与する部分、または、技術的解決策のうちの全てまたは幾つかが、ソフトウェア製品の形態で実装されてよい。ソフトウェア製品は記憶媒体に記憶され、デバイス（シングルチップマイクロコンピュータ、チップ、または同様のものであってよい）またはプロセッサ（ｐｒｏｃｅｓｓｏｒ）に、本願の実施形態で説明されている方法の段階のうちの全てまたは幾つかを実施するよう指示するための幾つかの命令を含む。上述の記憶媒体は、ＵＳＢフラッシュドライブ、リムーバブルハードディスク、ＲＯＭ、ＲＡＭ、磁気ディスク、または光ディスクなど、プログラムコードを記憶できる任意の媒体を含む。
【０３３８】
上述の説明は本願の特定の実施形態に過ぎず、本願の保護範囲を限定することを意図するものではない。本願で開示されている技術的範囲内での変形または置き換えは何れも、本願の保護範囲に含まれるものとする。故に、本願の保護範囲は、特許請求の範囲の保護範囲の対象になるものとする。
【図１】
2020526983.tif 000005
【図２】
2020526983.tif 000006
【図３】
2020526983.tif 000007
【図４】
2020526983.tif 000008
【図５】
2020526983.tif 000009
【図６】
2020526983.tif 000010
【図７】
2020526983.tif 000011
【図８】
2020526983.tif 000012
【図９】
2020526983.tif 000013
【図１０】
2020526983.tif 000014
【手続補正書】
【提出日】令和2年2月12日(2020.2.12)
【手続補正１】
【補正対象書類名】特許請求の範囲
【補正対象項目名】全文
【補正方法】変更
【補正の内容】
【特許請求の範囲】
【請求項１】
エイリアス管理方法であって、
機能エイリアス管理エンティティが、第１クライアントから有効化要求メッセージを受信する段階であって、前記有効化要求メッセージは、前記第１クライアントを使用するユーザのアイデンティティと、有効化を要求されたエイリアスのアイデンティティとを含む、段階と、
前記ユーザにエイリアス有効化権があるときに、前記機能エイリアス管理エンティティが前記第１クライアントに有効化応答メッセージを送信する段階であって、前記有効化応答メッセージは、前記ユーザの前記アイデンティティと、成功裏に有効化されるエイリアスのアイデンティティとを含む、段階と
を備える方法。
【請求項２】
前記第１クライアントはミッションクリティカルサービス・クライアントに統合され、前記機能エイリアス管理エンティティはミッションクリティカルサービス・サーバに統合される、請求項１に記載の方法。
【請求項３】
前記有効化を要求されたエイリアスが、複数のユーザが同時に有効化できるエイリアスではなく、かつ、前記有効化を要求されたエイリアスが有効化されないときに、前記成功裏に有効化されるエイリアスは、前記有効化を要求されたエイリアスである、または、
前記有効化を要求されたエイリアスが、複数のユーザが同時に有効化できるエイリアスであり、かつ、前記有効化を要求されたエイリアスを成功裏に有効化するユーザの数が０より多くて最大有効化数より少ないときに、前記成功裏に有効化されるエイリアスは、前記有効化を要求されたエイリアスである、または、
前記有効化を要求されたエイリアスが、複数のユーザが同時に有効化できるエイリアスではなく、前記有効化を要求されたエイリアスが有効化されず、前記有効化を要求されたエイリアスを有効化するユーザの数が０に等しく、かつ、前記有効化を要求されたエイリアスのサービスタイプが、前記ユーザの前記アイデンティティに対応するサービスタイプと同じであるときに、前記成功裏に有効化されるエイリアスは、前記有効化を要求されたエイリアスである、または、
前記有効化を要求されたエイリアスが、複数のユーザが同時に有効化できるエイリアスであり、前記有効化を要求されたエイリアスを成功裏に有効化するユーザの数が０より多くて最大有効化数より少なく、かつ、前記有効化を要求されたエイリアスのサービスタイプが、前記ユーザの前記アイデンティティに対応するサービスタイプと同じであるときに、前記成功裏に有効化されるエイリアスは、前記有効化を要求されたエイリアスである、
請求項１または２に記載の方法。
【請求項４】
前記機能エイリアス管理エンティティが、前記ユーザの前記アイデンティティと、前記成功裏に有効化されるエイリアスとの対応関係を記憶する段階
を更に備える、請求項１から３の何れか一項に記載の方法。
【請求項５】
前記機能エイリアス管理エンティティが第２クライアントに通知メッセージを送信する段階であって、前記通知メッセージは、前記成功裏に有効化されるエイリアスを、前記ユーザが成功裏に有効化することを前記第２クライアントに通知するために使用される、段階
を更に備える、請求項１から４の何れか一項に記載の方法。
【請求項６】
エイリアス管理方法であって、
機能エイリアス管理エンティティが、第１クライアントから無効化要求メッセージを受信する段階であって、前記無効化要求メッセージは、前記第１クライアントを使用するユーザのアイデンティティと、無効化を要求されたエイリアスのアイデンティティとを含む、段階と、
前記ユーザにエイリアス無効化権があるときに、前記機能エイリアス管理エンティティが前記第１クライアントに無効化応答メッセージを送信する段階であって、前記無効化応答メッセージは、前記ユーザの前記アイデンティティと、成功裏に無効化されるエイリアスのアイデンティティとを含む、段階と
を備える方法。
【請求項７】
前記第１クライアントはミッションクリティカルサービス・クライアントに統合され、前記機能エイリアス管理エンティティはミッションクリティカルサービス・サーバに統合される、請求項６に記載の方法。
【請求項８】
前記無効化を要求されたエイリアスのサービスタイプが、前記ユーザの前記アイデンティティに対応するサービスタイプと同じであるときに、前記成功裏に無効化されるエイリアスは、前記無効化を要求されたエイリアスである、
請求項６または７に記載の方法。
【請求項９】
前記機能エイリアス管理エンティティが、前記ユーザの前記アイデンティティと、前記成功裏に無効化されるエイリアスの前記アイデンティティとの対応関係を削除する段階
を更に備える、請求項６から８の何れか一項に記載の方法。
【請求項１０】
前記機能エイリアス管理エンティティが第２クライアントに通知メッセージを送信する段階であって、前記通知メッセージは、前記成功裏に無効化されるエイリアスを、前記ユーザが成功裏に無効化することを前記第２クライアントに通知するために使用される、段階
を更に備える、請求項６から９の何れか一項に記載の方法。
【請求項１１】
エイリアス管理方法であって、
機能エイリアス管理エンティティが、第１クライアントから引き継ぎ要求メッセージを受信する段階であって、前記引き継ぎ要求メッセージは、前記第１クライアントを使用するユーザのアイデンティティと、引き継ぎを要求されたエイリアスのアイデンティティとを含む、段階と、
前記ユーザにエイリアス引き継ぎ権があるときに、前記機能エイリアス管理エンティティが前記第１クライアントに引き継ぎ応答メッセージを送信する段階であって、前記引き継ぎ応答メッセージは、前記ユーザの前記アイデンティティと、成功裏に引き継がれるエイリアスのアイデンティティとを含む、段階と
を備える方法。
【請求項１２】
前記第１クライアントはミッションクリティカルサービス・クライアントに統合され、前記機能エイリアス管理エンティティはミッションクリティカルサービス・サーバに統合される、請求項１１に記載の方法。
【請求項１３】
前記引き継ぎを要求されたエイリアスが、引き継ぎを許可されたエイリアスであるときに、前記成功裏に引き継がれるエイリアスは、前記引き継ぎを要求されたエイリアスである、または、
前記引き継ぎを要求されたエイリアスが、引き継ぎを許可されたエイリアスであり、かつ、前記引き継ぎを要求されたエイリアスのサービスタイプが、前記ユーザの前記アイデンティティに対応するサービスタイプと同じであるときに、前記成功裏に引き継がれるエイリアスは、前記引き継ぎを要求されたエイリアスである、
請求項１１または１２に記載の方法。
【請求項１４】
前記機能エイリアス管理エンティティが、前記成功裏に引き継がれるエイリアスの前記アイデンティティと、第２クライアントを使用するユーザのアイデンティティとの対応関係を削除し、前記第２クライアントに通知メッセージを送信する段階であって、前記通知メッセージは、前記成功裏に引き継がれるエイリアスを、前記第１クライアントを使用する前記ユーザが成功裏に引き継ぐことを前記第２クライアントに通知するために使用されるか、または、前記成功裏に引き継がれるエイリアスを無効化するよう前記第２クライアントに命令するために使用され、前記第２クライアントを使用する前記ユーザは、前記成功裏に引き継がれるエイリアスを成功裏に有効化するユーザである、段階
を更に備える、請求項１１から１３の何れか一項に記載の方法。
【請求項１５】
受信ユニットと送信ユニットとを備える機能エイリアス管理エンティティであって、
前記受信ユニットは、第１クライアントから有効化要求メッセージを受信するように構成され、前記有効化要求メッセージは、前記第１クライアントを使用するユーザのアイデンティティと、有効化を要求されたエイリアスのアイデンティティとを含み、
前記送信ユニットは、前記ユーザにエイリアス有効化権があるときに、前記第１クライアントに有効化応答メッセージを送信するように構成され、前記有効化応答メッセージは、前記ユーザの前記アイデンティティと、成功裏に有効化されるエイリアスのアイデンティティとを含む、
機能エイリアス管理エンティティ。
【請求項１６】
前記第１クライアントはミッションクリティカルサービス・クライアントに統合され、前記機能エイリアス管理エンティティはミッションクリティカルサービス・サーバに統合される、請求項１５に記載の機能エイリアス管理エンティティ。
【請求項１７】
前記ユーザの前記アイデンティティと、前記成功裏に有効化されるエイリアスとの対応関係を記憶するように構成される記憶ユニット
を更に備える、請求項１５または１６に記載の機能エイリアス管理エンティティ。
【請求項１８】
受信ユニットと送信ユニットとを備える機能エイリアス管理エンティティであって、
前記受信ユニットは、第１クライアントから無効化要求メッセージを受信するように構成され、前記無効化要求メッセージは、前記第１クライアントを使用するユーザのアイデンティティと、無効化を要求されたエイリアスのアイデンティティとを含み、
前記送信ユニットは、前記ユーザにエイリアス無効化権があるときに、前記第１クライアントに無効化応答メッセージを送信するように構成され、前記無効化応答メッセージは、前記ユーザの前記アイデンティティと、成功裏に無効化されるエイリアスのアイデンティティとを含む、
機能エイリアス管理エンティティ。
【請求項１９】
前記第１クライアントはミッションクリティカルサービス・クライアントに統合され、前記機能エイリアス管理エンティティはミッションクリティカルサービス・サーバに統合される、請求項１８に記載の機能エイリアス管理エンティティ。
【請求項２０】
前記ユーザの前記アイデンティティと、前記成功裏に無効化されるエイリアスの前記アイデンティティとの対応関係を削除するように構成される削除ユニット
を更に備える、請求項１８または１９に記載の機能エイリアス管理エンティティ。
【請求項２１】
受信ユニットと送信ユニットとを備える機能エイリアス管理エンティティであって、
前記受信ユニットは、第１クライアントから引き継ぎ要求メッセージを受信するように構成され、前記引き継ぎ要求メッセージは、前記第１クライアントを使用するユーザのアイデンティティと、引き継ぎを要求されたエイリアスのアイデンティティとを含み、
前記送信ユニットは、前記ユーザにエイリアス引き継ぎ権があるときに、前記第１クライアントに引き継ぎ応答メッセージを送信するように構成され、前記引き継ぎ応答メッセージは、前記ユーザの前記アイデンティティと、成功裏に引き継がれるエイリアスのアイデンティティとを含む、
機能エイリアス管理エンティティ。
【請求項２２】
前記第１クライアントはミッションクリティカルサービス・クライアントに統合され、前記機能エイリアス管理エンティティはミッションクリティカルサービス・サーバに統合される、請求項２１に記載の機能エイリアス管理エンティティ。
【請求項２３】
コンピュータプログラムを記憶するように構成されるコンピュータ可読記憶媒体であって、前記コンピュータプログラムは、請求項１から１４の何れか一項に記載のエイリアス管理方法を実施するために使用される命令を含む、コンピュータ可読記憶媒体。
【請求項２４】
実行可能な命令を記憶する非一時的記憶媒体と結合されるプロセッサを備える装置であって、前記実行可能な命令は、前記プロセッサにより実行されるときに、前記プロセッサに、請求項１から１４の何れか一項に記載のエイリアス管理方法を実施させる、装置。
【請求項２５】
コンピュータに、請求項１から１４の何れか一項に記載のエイリアス管理方法を実行させるためのプログラム。
【手続補正２】
【補正対象書類名】明細書
【補正対象項目名】００８０
【補正方法】変更
【補正の内容】
【００８０】
図１には、３ＧＰＰ  ＬＴＥシステムに基づくミッションクリティカルサービス・アプリケーション層のアーキテクチャが示されている。ミッションクリティカルサービス・ユーザデータベース（ＭＣ  ｓｅｒｖｉｃｅ  ｕｓｅｒ  ｄａｔａｂａｓｅ）がユーザ構成ファイルを記憶し、ユーザ構成ファイルは、ユーザのアイデンティティと、そのアイデンティティに対応する１または複数のエイリアスとを含む。エイリアスは、公の正式名称または標準名以外の名前である。異なるサービスの場合は、同じユーザが同じアイデンティティを使用してもよいし、異なるアイデンティティを使用してもよい。ユーザのアイデンティティは、ユーザのアイデンティティに対応するエイリアスと結び付けられ、ユーザ構成ファイルに記憶される。例えば、ＭＣＰＴＴサービスの場合は、ユーザのアイデンティティは、ユーザのアイデンティティに対応するエイリアスと結び付けられ、ＭＣＤａｔａサービスの場合は、ユーザのアイデンティティは、ユーザのアイデンティティに対応するエイリアスと結び付けられる。構成管理サーバ（Ｃｏｎｆｉｇｕｒａｔｉｏｎ  Ｍａｎａｇｅｍｅｎｔ  Ｓｅｒｖｅｒ、ＣＭＳ）および構成管理クライアント（Ｃｏｎｆｉｇｕｒａｔｉｏｎ  Ｍａｎａｇｅｍｅｎｔ  Ｃｌｉｅｎｔ、ＣＭＣ）を使用することによって、エイリアスを含むユーザ構成ファイルが、システム管理者により、ユーザが使用する端末に配信されるときにのみ、ユーザはエイリアスを使用することができる。加えて、エイリアスを含むユーザ構成ファイルは、エイリアスの管理、例えば、登録、有効化、無効化、または引き継ぎを実施する必要があるときに、それに応じて最初に処理されなければならない。例えば、エイリアスがシステムに動的かつ一時的に登録される場合は、ユーザ構成ファイルが最初に修正されるか、または、新規ユーザ構成ファイルが最初に構成されるときにのみ、エイリアス登録が完了され得る。
【手続補正３】
【補正対象書類名】明細書
【補正対象項目名】０１３３
【補正方法】変更
【補正の内容】
【０１３３】
登録応答メッセージは、ユーザのアイデンティティと、成功裏に登録されるエイリアスの名前と、成功裏に登録されるエイリアスのアイデンティティ（ｉｄｅｎｔｉｔｙ、ＩＤ）とを含んでよい。
【手続補正４】
【補正対象書類名】明細書
【補正対象項目名】０１９６
【補正方法】変更
【補正の内容】
【０１９６】
例えば、機能エイリアス管理エンティティが、有効化を要求されたエイリアスが、複数のユーザが同時に有効化できるエイリアスであるかどうかを判断し、有効化を要求されたエイリアスが、複数のユーザが同時に有効化できるエイリアスであるときは、有効化を要求されたエイリアスの属性に、有効化を実施できる最大有効化数が含まれる。加えて、機能エイリアス管理エンティティは、現時点でエイリアスを有効化しているユーザの数を把握すべく、有効化しているユーザの情報を動的にローカルに維持してよい、例えば、有効化しているユーザのリストをローカルに記憶してよい。例えば、表２に示す通り、アイデンティティがｘｘｘであるエイリアスを成功裏に有効化するユーザのアイデンティティは、ｕｓｅｒ  ｓｅｒｖｉｃｅ  ＩＤ１、ｕｓｅｒ  ｓｅｒｖｉｃｅ  ＩＤ２、およびｕｓｅｒ  ｓｅｒｖｉｃｅ  ＩＤ３であり、アイデンティティがｙｙｙであるエイリアスを成功裏に有効化するユーザのアイデンティティは、ｕｓｅｒ  ｓｅｒｖｉｃｅ  ＩＤ７、ｕｓｅｒ  ｓｅｒｖｉｃｅ  ＩＤ９、およびｕｓｅｒ  ｓｅｒｖｉｃｅ  ＩＤ１０である。
【表２】
2020526983.tif 000015
【手続補正５】
【補正対象書類名】明細書
【補正対象項目名】０３３８
【補正方法】変更
【補正の内容】
【０３３８】
上述の説明は本願の特定の実施形態に過ぎず、本願の保護範囲を限定することを意図するものではない。本願で開示されている技術的範囲内での変形または置き換えは何れも、本願の保護範囲に含まれるものとする。故に、本願の保護範囲は、特許請求の範囲の保護範囲の対象になるものとする。
（項目１）
エイリアス管理方法であって、
機能エイリアス管理エンティティが、第１クライアントにより送信された登録要求メッセージを受信する段階であって、上記登録要求メッセージは、ユーザのアイデンティティと、登録を要求されたエイリアスの名前とを含む、段階と、
上記ユーザにエイリアス登録権があるときに、上記機能エイリアス管理エンティティが上記第１クライアントに登録応答メッセージを送信する段階であって、上記登録応答メッセージは、上記ユーザの上記アイデンティティと、成功裏に登録されるエイリアスの名前と、上記成功裏に登録されるエイリアスのアイデンティティとを含む、段階と
を備える方法。
（項目２）
上記機能エイリアス管理エンティティが上記第１クライアントに登録応答メッセージを送信する上記段階の前に、
上記機能エイリアス管理エンティティが、上記ユーザの上記アイデンティティに基づいて上記ユーザの加入情報を取得する段階であって、上記加入情報は指示情報を含み、上記指示情報は、上記ユーザに上記エイリアス登録権があることを示すために使用される、段階、または、
上記機能エイリアス管理エンティティがポリシ情報を取得し、上記ポリシ情報に基づいて、上記ユーザに上記エイリアス登録権があると判断する段階であって、上記ポリシ情報は、上記エイリアス登録権があるユーザのアイデンティティを含む、段階
を更に備える、項目１に記載の方法。
（項目３）
上記機能エイリアス管理エンティティが上記第１クライアントに登録応答メッセージを送信する上記段階の前に、
上記登録を要求されたエイリアスの上記名前が登録されないときに、上記機能エイリアス管理エンティティが、上記登録を要求されたエイリアスに上記アイデンティティを割り当てる段階であって、上記成功裏に登録されるエイリアスは、上記登録を要求されたエイリアスである、段階
を更に備える、項目１または２に記載の方法。
（項目４）
上記登録要求メッセージは、上記登録を要求されたエイリアスのサービスタイプ、上記登録を要求されたエイリアスの属性、上記登録を要求されたエイリアスの適用範囲、および、上記登録を要求されたエイリアスの有効時間のうちの少なくとも１つを更に含む、項目１から３の何れか一項に記載の方法。
（項目５）
上記機能エイリアス管理エンティティが第２クライアントに通知メッセージを送信する段階であって、上記通知メッセージは、上記成功裏に登録されるエイリアスの上記名前と、上記成功裏に登録されるエイリアスの上記アイデンティティとを含む、段階
を更に備える、項目１から４の何れか一項に記載の方法。
（項目６）
上記通知メッセージは、上記成功裏に登録されるエイリアスのサービスタイプ、上記成功裏に登録されるエイリアスの属性、上記成功裏に登録されるエイリアスの適用範囲、および、上記成功裏に登録されるエイリアスの有効時間のうちの少なくとも１つを更に含む、項目５に記載の方法。
（項目７）
エイリアス管理方法であって、
機能エイリアス管理エンティティが、第１クライアントにより送信された有効化要求メッセージを受信する段階であって、上記有効化要求メッセージは、ユーザのアイデンティティと、有効化を要求されたエイリアスのアイデンティティとを含む、段階と、
上記ユーザにエイリアス有効化権があるときに、上記機能エイリアス管理エンティティが上記第１クライアントに有効化応答メッセージを送信する段階であって、上記有効化応答メッセージは、上記ユーザの上記アイデンティティと、成功裏に有効化されるエイリアスのアイデンティティとを含む、段階と
を備える方法。
（項目８）
上記機能エイリアス管理エンティティが上記第１クライアントに有効化応答メッセージを送信する上記段階の前に、
上記機能エイリアス管理エンティティが、上記ユーザの上記アイデンティティに基づいて上記ユーザの加入情報を取得する段階であって、上記加入情報は指示情報を含み、上記指示情報は、上記ユーザに上記エイリアス有効化権があることを示すために使用される、段階、または、
上記機能エイリアス管理エンティティがポリシ情報を取得し、上記ポリシ情報に基づいて、上記ユーザに上記エイリアス有効化権があると判断する段階であって、上記ポリシ情報は、上記エイリアス有効化権があるユーザのアイデンティティを含む、段階
を更に備える、項目７に記載の方法。
（項目９）
上記有効化を要求されたエイリアスが、複数のユーザが同時に有効化できるエイリアスではなく、かつ、上記有効化を要求されたエイリアスが有効化されないときに、上記成功裏に有効化されるエイリアスは、上記有効化を要求されたエイリアスである、または、
上記有効化を要求されたエイリアスが、複数のユーザが同時に有効化できるエイリアスであり、かつ、上記有効化を要求されたエイリアスを成功裏に有効化するユーザの数が０より多くて最大有効化数より少ないときに、上記成功裏に有効化されるエイリアスは、上記有効化を要求されたエイリアスである、または、
上記有効化を要求されたエイリアスが、複数のユーザが同時に有効化できるエイリアスではなく、上記有効化を要求されたエイリアスが有効化されず、上記有効化を要求されたエイリアスを有効化するユーザの数が０に等しく、かつ、上記有効化を要求されたエイリアスのサービスタイプが、上記ユーザの上記アイデンティティに対応するサービスタイプと同じであるときに、上記成功裏に有効化されるエイリアスは、上記有効化を要求されたエイリアスである、または、
上記有効化を要求されたエイリアスが、複数のユーザが同時に有効化できるエイリアスであり、上記有効化を要求されたエイリアスを成功裏に有効化するユーザの数が０より多くて最大有効化数より少なく、かつ、上記有効化を要求されたエイリアスのサービスタイプが、上記ユーザの上記アイデンティティに対応するサービスタイプと同じであるときに、上記成功裏に有効化されるエイリアスは、上記有効化を要求されたエイリアスである、
項目７または８に記載の方法。
（項目１０）
上記機能エイリアス管理エンティティが、上記ユーザの上記アイデンティティと、上記成功裏に有効化されるエイリアスとの対応関係を記憶する段階
を更に備える、項目７から９の何れか一項に記載の方法。
（項目１１）
上記機能エイリアス管理エンティティが第２クライアントに通知メッセージを送信する段階であって、上記通知メッセージは、上記成功裏に有効化されるエイリアスを、上記ユーザが成功裏に有効化することを上記第２クライアントに通知するために使用される、段階
を更に備える、項目７から１０の何れか一項に記載の方法。
（項目１２）
エイリアス管理方法であって、
機能エイリアス管理エンティティが、第１クライアントにより送信された無効化要求メッセージを受信する段階であって、上記無効化要求メッセージは、ユーザのアイデンティティと、無効化を要求されたエイリアスのアイデンティティとを含む、段階と、
上記ユーザにエイリアス無効化権があるときに、上記機能エイリアス管理エンティティが上記第１クライアントに無効化応答メッセージを送信する段階であって、上記無効化応答メッセージは、上記ユーザの上記アイデンティティと、成功裏に無効化されるエイリアスのアイデンティティとを含む、段階と
を備える方法。
（項目１３）
上記機能エイリアス管理エンティティが上記第１クライアントに無効化応答メッセージを送信する上記段階の前に、
上記機能エイリアス管理エンティティが、上記ユーザの上記アイデンティティに基づいて上記ユーザの加入情報を取得する段階であって、上記加入情報は指示情報を含み、上記指示情報は、上記ユーザに上記エイリアス無効化権があることを示すために使用される、段階、または、
上記機能エイリアス管理エンティティがポリシ情報を取得し、上記ポリシ情報に基づいて、上記ユーザに上記エイリアス無効化権があると判断する段階であって、上記ポリシ情報は、上記エイリアス無効化権があるユーザのアイデンティティを含む、段階
を更に備える、項目１２に記載の方法。
（項目１４）
上記無効化を要求されたエイリアスのサービスタイプが、上記ユーザの上記アイデンティティに対応するサービスタイプと同じであるときに、上記成功裏に無効化されるエイリアスは、上記無効化を要求されたエイリアスである、
項目１２または１３に記載の方法。
（項目１５）
上記機能エイリアス管理エンティティが、上記ユーザの上記アイデンティティと、上記成功裏に無効化されるエイリアスの上記アイデンティティとの対応関係を削除する段階
を更に備える、項目１２から１４の何れか一項に記載の方法。
（項目１６）
上記機能エイリアス管理エンティティが第２クライアントに通知メッセージを送信する段階であって、上記通知メッセージは、上記成功裏に無効化されるエイリアスを、上記ユーザが成功裏に無効化することを上記第２クライアントに通知するために使用される、段階
を更に備える、項目１２から１５の何れか一項に記載の方法。
（項目１７）
エイリアス管理方法であって、
機能エイリアス管理エンティティが、第１クライアントにより送信された引き継ぎ要求メッセージを受信する段階であって、上記引き継ぎ要求メッセージは、ユーザのアイデンティティと、引き継ぎを要求されたエイリアスのアイデンティティとを含む、段階と、
上記ユーザにエイリアス引き継ぎ権があるときに、上記機能エイリアス管理エンティティが上記第１クライアントに引き継ぎ応答メッセージを送信する段階であって、上記引き継ぎ応答メッセージは、上記ユーザの上記アイデンティティと、成功裏に引き継がれるエイリアスのアイデンティティとを含む、段階と
を備える方法。
（項目１８）
上記機能エイリアス管理エンティティが上記第１クライアントに引き継ぎ応答メッセージを送信する上記段階の前に、
上記機能エイリアス管理エンティティが、上記ユーザの上記アイデンティティに基づいて上記ユーザの加入情報を取得する段階であって、上記加入情報は指示情報を含み、上記指示情報は、上記ユーザに上記エイリアス引き継ぎ権があることを示すために使用される、段階、または、
上記機能エイリアス管理エンティティがポリシ情報を取得し、上記ポリシ情報に基づいて、上記ユーザに上記エイリアス引き継ぎ権があると判断する段階であって、上記ポリシ情報は、上記エイリアス引き継ぎ権があるユーザのアイデンティティを含む、段階
を更に備える、項目１７に記載の方法。
（項目１９）
上記引き継ぎを要求されたエイリアスが、引き継ぎを許可されたエイリアスであるときに、上記成功裏に引き継がれるエイリアスは、上記引き継ぎを要求されたエイリアスである、または、
上記引き継ぎを要求されたエイリアスが、引き継ぎを許可されたエイリアスであり、かつ、上記引き継ぎを要求されたエイリアスのサービスタイプが、上記ユーザの上記アイデンティティに対応するサービスタイプと同じであるときに、上記成功裏に引き継がれるエイリアスは、上記引き継ぎを要求されたエイリアスである、
項目１７または１８に記載の方法。
（項目２０）
上記機能エイリアス管理エンティティが、上記成功裏に引き継がれるエイリアスの上記アイデンティティと、第２クライアントを使用するユーザのアイデンティティとの対応関係を削除し、上記第２クライアントに通知メッセージを送信する段階であって、上記通知メッセージは、上記成功裏に引き継がれるエイリアスを、上記第１クライアントを使用する上記ユーザが成功裏に引き継ぐことを上記第２クライアントに通知するために使用されるか、または、上記成功裏に引き継がれるエイリアスを無効化するよう上記第２クライアントに命令するために使用され、上記第２クライアントを使用する上記ユーザは、上記成功裏に引き継がれるエイリアスを成功裏に有効化するユーザである、段階
を更に備える、項目１７から１９の何れか一項に記載の方法。
（項目２１）
受信ユニットと送信ユニットとを備える機能エイリアス管理エンティティであって、
上記受信ユニットは、第１クライアントにより送信された登録要求メッセージを受信するように構成され、上記登録要求メッセージは、ユーザのアイデンティティと、登録を要求されたエイリアスの名前とを含み、
上記送信ユニットは、上記ユーザにエイリアス登録権があるときに、上記第１クライアントに登録応答メッセージを送信するように構成され、上記登録応答メッセージは、上記ユーザの上記アイデンティティと、成功裏に登録されるエイリアスの名前と、上記成功裏に登録されるエイリアスのアイデンティティとを含む、
機能エイリアス管理エンティティ。
（項目２２）
上記受信ユニットにより受信される上記ユーザの上記アイデンティティに基づいて、上記ユーザの加入情報を取得するように構成される取得ユニットであって、上記加入情報は指示情報を含み、上記指示情報は、上記ユーザに上記エイリアス登録権があることを示すために使用される、取得ユニット、または、
ポリシ情報を取得するように構成される取得ユニットと、上記取得ユニットにより取得された上記ポリシ情報に基づいて、上記ユーザに上記エイリアス登録権があると判断するように構成される判断ユニットとであって、上記ポリシ情報は、上記エイリアス登録権があるユーザのアイデンティティを含む、取得ユニットおよび判断ユニット
を更に備える、項目２１に記載の機能エイリアス管理エンティティ。
（項目２３）
上記登録を要求されたエイリアスの上記名前が登録されないときに、上記登録を要求されたエイリアスに上記アイデンティティを割り当てるように構成される割り当てユニットであって、上記成功裏に登録されるエイリアスは、上記登録を要求されたエイリアスである、割り当てユニット
を更に備える、項目２１または２２に記載の機能エイリアス管理エンティティ。
（項目２４）
上記登録要求メッセージは、上記登録を要求されたエイリアスのサービスタイプ、上記登録を要求されたエイリアスの属性、上記登録を要求されたエイリアスの適用範囲、および、上記登録を要求されたエイリアスの有効時間のうちの少なくとも１つを更に含む、項目２１から２３の何れか一項に記載の機能エイリアス管理エンティティ。
（項目２５）
上記送信ユニットは、第２クライアントに通知メッセージを送信するように更に構成され、上記通知メッセージは、上記成功裏に登録されるエイリアスの上記名前と、上記成功裏に登録されるエイリアスの上記アイデンティティとを含む、
項目２１から２４の何れか一項に記載の機能エイリアス管理エンティティ。
（項目２６）
上記通知メッセージは、上記成功裏に登録されるエイリアスのサービスタイプ、上記成功裏に登録されるエイリアスの属性、上記成功裏に登録されるエイリアスの適用範囲、および、上記成功裏に登録されるエイリアスの有効時間のうちの少なくとも１つを更に含む、項目２５に記載の機能エイリアス管理エンティティ。
（項目２７）
受信ユニットと送信ユニットとを備える機能エイリアス管理エンティティであって、
上記受信ユニットは、第１クライアントにより送信された有効化要求メッセージを受信するように構成され、上記有効化要求メッセージは、ユーザのアイデンティティと、有効化を要求されたエイリアスのアイデンティティとを含み、
上記送信ユニットは、上記ユーザにエイリアス有効化権があるときに、上記第１クライアントに有効化応答メッセージを送信するように構成され、上記有効化応答メッセージは、上記ユーザの上記アイデンティティと、成功裏に有効化されるエイリアスのアイデンティティとを含む、
機能エイリアス管理エンティティ。
（項目２８）
上記受信ユニットにより受信される上記ユーザの上記アイデンティティに基づいて、上記ユーザの加入情報を取得するように構成される取得ユニットであって、上記加入情報は指示情報を含み、上記指示情報は、上記ユーザに上記エイリアス有効化権があることを示すために使用される、取得ユニット、または、
ポリシ情報を取得するように構成される取得ユニットと、上記取得ユニットにより取得された上記ポリシ情報に基づいて、上記ユーザに上記エイリアス有効化権があると判断するように構成される判断ユニットとであって、上記ポリシ情報は、上記エイリアス有効化権があるユーザのアイデンティティを含む、取得ユニットおよび判断ユニット
を更に備える、項目２７に記載の機能エイリアス管理エンティティ。
（項目２９）
上記有効化を要求されたエイリアスが、複数のユーザが同時に有効化できるエイリアスではなく、かつ、上記有効化を要求されたエイリアスが有効化されないときに、上記成功裏に有効化されるエイリアスは、上記有効化を要求されたエイリアスである、または、
上記有効化を要求されたエイリアスが、複数のユーザが同時に有効化できるエイリアスであり、かつ、上記有効化を要求されたエイリアスを成功裏に有効化するユーザの数が０より多くて最大有効化数より少ないときに、上記成功裏に有効化されるエイリアスは、上記有効化を要求されたエイリアスである、または、
上記有効化を要求されたエイリアスが、複数のユーザが同時に有効化できるエイリアスではなく、上記有効化を要求されたエイリアスが有効化されず、かつ、上記有効化を要求されたエイリアスのサービスタイプが、上記ユーザの上記アイデンティティに対応するサービスタイプと同じであるときに、上記成功裏に有効化されるエイリアスは、上記有効化を要求されたエイリアスである、または、
上記有効化を要求されたエイリアスが、複数のユーザが同時に有効化できるエイリアスであり、上記有効化を要求されたエイリアスを成功裏に有効化するユーザの数が０より多くて最大有効化数より少なく、かつ、上記有効化を要求されたエイリアスのサービスタイプが、上記ユーザの上記アイデンティティに対応するサービスタイプと同じであるときに、上記成功裏に有効化されるエイリアスは、上記有効化を要求されたエイリアスである、
項目２７または２８に記載の機能エイリアス管理エンティティ。
（項目３０）
上記ユーザの上記アイデンティティと、上記成功裏に有効化されるエイリアスとの対応関係を記憶するように構成される記憶ユニット
を更に備える、項目２７から２９の何れか一項に記載の機能エイリアス管理エンティティ。
（項目３１）
上記送信ユニットは、第２クライアントに通知メッセージを送信するように更に構成され、上記通知メッセージは、上記成功裏に有効化されるエイリアスを、上記ユーザが成功裏に有効化することを上記第２クライアントに通知するために使用される、
項目２７から３０の何れか一項に記載の機能エイリアス管理エンティティ。
（項目３２）
受信ユニットと送信ユニットとを備える機能エイリアス管理エンティティであって、
上記受信ユニットは、第１クライアントにより送信された無効化要求メッセージを受信するように構成され、上記無効化要求メッセージは、ユーザのアイデンティティと、無効化を要求されたエイリアスのアイデンティティとを含み、
上記送信ユニットは、上記ユーザにエイリアス無効化権があるときに、上記第１クライアントに無効化応答メッセージを送信するように構成され、上記無効化応答メッセージは、上記ユーザの上記アイデンティティと、成功裏に無効化されるエイリアスのアイデンティティとを含む、
機能エイリアス管理エンティティ。
（項目３３）
上記ユーザの上記アイデンティティに基づいて、上記ユーザの加入情報を取得するように構成される取得ユニットであって、上記加入情報は指示情報を含み、上記指示情報は、上記ユーザに上記エイリアス無効化権があることを示すために使用される、取得ユニット、または、
ポリシ情報を取得するように構成される取得ユニットと、上記取得ユニットにより取得された上記ポリシ情報に基づいて、上記ユーザに上記エイリアス無効化権があると判断するように構成される判断ユニットとであって、上記ポリシ情報は、上記エイリアス無効化権があるユーザのアイデンティティを含む、取得ユニットおよび判断ユニット
を更に備える、項目３２に記載の機能エイリアス管理エンティティ。
（項目３４）
上記無効化を要求されたエイリアスのサービスタイプが、上記ユーザの上記アイデンティティに対応するサービスタイプと同じであるときに、上記成功裏に無効化されるエイリアスは、上記無効化を要求されたエイリアスである、
項目３２または３３に記載の機能エイリアス管理エンティティ。
（項目３５）
上記ユーザの上記アイデンティティと、上記成功裏に無効化されるエイリアスの上記アイデンティティとの対応関係を削除するように構成される削除ユニット
を更に備える、項目３２から３４の何れか一項に記載の機能エイリアス管理エンティティ。
（項目３６）
上記送信ユニットは、第２クライアントに通知メッセージを送信するように更に構成され、上記通知メッセージは、上記成功裏に無効化されるエイリアスを、上記ユーザが成功裏に無効化することを上記第２クライアントに通知するために使用される、
項目３２から３５の何れか一項に記載の機能エイリアス管理エンティティ。
（項目３７）
受信ユニットと送信ユニットとを備える機能エイリアス管理エンティティであって、
上記受信ユニットは、第１クライアントにより送信された引き継ぎ要求メッセージを受信するように構成され、上記引き継ぎ要求メッセージは、ユーザのアイデンティティと、引き継ぎを要求されたエイリアスのアイデンティティとを含み、
上記送信ユニットは、上記ユーザにエイリアス引き継ぎ権があるときに、上記第１クライアントに引き継ぎ応答メッセージを送信するように構成され、上記引き継ぎ応答メッセージは、上記ユーザの上記アイデンティティと、成功裏に引き継がれるエイリアスのアイデンティティとを含む、
機能エイリアス管理エンティティ。
（項目３８）
上記受信ユニットにより受信される上記ユーザの上記アイデンティティに基づいて、上記ユーザの加入情報を取得するように構成される取得ユニットであって、上記加入情報は指示情報を含み、上記指示情報は、上記ユーザに上記エイリアス引き継ぎ権があることを示すために使用される、取得ユニット、または、
ポリシ情報を取得するように構成される取得ユニットと、上記取得ユニットにより取得された上記ポリシ情報に基づいて、上記ユーザに上記エイリアス引き継ぎ権があると判断するように構成される判断ユニットとであって、上記ポリシ情報は、上記エイリアス引き継ぎ権があるユーザのアイデンティティを含む、取得ユニットおよび判断ユニット
を更に備える、項目３７に記載の機能エイリアス管理エンティティ。
（項目３９）
上記引き継ぎを要求されたエイリアスが、引き継ぎを許可されたエイリアスであるときに、上記成功裏に引き継がれるエイリアスは、上記引き継ぎを要求されたエイリアスである、または、
上記引き継ぎを要求されたエイリアスが、引き継ぎを許可されたエイリアスであり、かつ、上記引き継ぎを要求されたエイリアスのサービスタイプが、上記ユーザの上記アイデンティティに対応するサービスタイプと同じであるときに、上記成功裏に引き継がれるエイリアスは、上記引き継ぎを要求されたエイリアスである、
項目３７または３８に記載の機能エイリアス管理エンティティ。
（項目４０）
上記成功裏に引き継がれるエイリアスの上記アイデンティティと、第２クライアントを使用するユーザのアイデンティティとの対応関係を削除するように構成される削除ユニットであって、上記第２クライアントを使用する上記ユーザは、上記成功裏に引き継がれるエイリアスを成功裏に有効化するユーザである、削除ユニット
を更に備え、
上記送信ユニットは、上記第２クライアントに通知メッセージを送信するように更に構成され、上記通知メッセージは、上記成功裏に引き継がれるエイリアスを、上記第１クライアントを使用する上記ユーザが成功裏に引き継ぐことを上記第２クライアントに通知するために使用される、または、上記成功裏に引き継がれるエイリアスを無効化するよう上記第２クライアントに命令するために使用される、
項目３７から３９の何れか一項に記載の機能エイリアス管理エンティティ。
（項目４１）
コンピュータプログラムを記憶するように構成されるコンピュータ可読記憶媒体であって、上記コンピュータプログラムは、項目１から２０の何れか一項に記載のエイリアス管理方法を実施するために使用される命令を含む、コンピュータ可読記憶媒体。
【国際調査報告】
2020526983.tif 000016
2020526983.tif 000017
2020526983.tif 000018
2020526983.tif 000019